(57)【要約】【課題】褪色バランスに優れたインクセット、該インクセットを用いたインクジェット記録用インクセット、及びインクジェット記録方法を提供すること。【解決手段】少なくとも、明細書中に記載の一般式（Ａ−Ｉ）で表される化合物と、明細書中に記載の一般式（Ｂ−Ｉ）で表される化合物及び明細書中に記載の一般式（Ｂ−Ｖ）で表される化合物から選択される少なくとも１種の化合物とを含むインク組成物を含有するインクセット。【選択図】なし【特許請求の範囲】
【請求項１】
少なくとも、下記一般式（Ａ−Ｉ）で表される化合物と、下記一般式（Ｂ−Ｉ）で表される化合物及び下記一般式（Ｂ−Ｖ）で表される化合物から選択される少なくとも１種の化合物とを含むインク組成物を含有するインクセット。
【化１】
2014152231.tif 000124
（一般式（Ａ−Ｉ）中、Ｒ４は置換基を表し、Ｒ５は−ＯＲ６又は−ＮＨＲ７を表し、Ｒ６及びＲ７は水素原子又は置換基を表し、Ｘ３は２価の連結基を表し、ｎ０は０又は１であり、Ａｒ３は２価のヘテロ環基を表し、Ａｒ４はアルキル基、アリール基又はトリアジン基を表す。）
【化２】
2014152231.tif 000125
（一般式（Ｂ−Ｉ）中、Ｒ１は水素原子又は置換基を表し、Ｒ２は置換基を表し、Ｒ３はイオン性親水性基又は環を形成してもよいアルキル基を表し、ｎ４は０〜４であり、ｎ５は２〜５である。）
【化３】
2014152231.tif 000126
（一般式（Ｂ−Ｖ）中、Ｒ１３はそれぞれ独立に、水素原子又は置換基を表し、Ｒ１４はそれぞれ独立に、−ＯＲ１６、−ＮＨＲ１７又はシアノ基を表し、Ｒ１６及びＲ１７は水素原子又は置換基を表し、Ｘ１は置換若しくは無置換のアリール基又は置換若しくは無置換のトリアジン基を表し、ｎ６は０又は１であり、Ａｒ１はそれぞれ独立に、２価のヘテロ環基を表し、Ａｒ２はそれぞれ独立に、置換若しくは無置換のアルキル基、置換若しくは無置換のアリール基又はトリアジン基を表す。）
【請求項２】
更に、下記一般式（Ｃ−１）で表される化合物を含むインク組成物、下記一般式（Ｄ−１）で表される化合物を含むインク組成物、及び下記一般式（Ｅ−１）で表される化合物を含むインク組成物を含有する請求項１に記載のインクセット。
一般式（Ｃ−１）：
【化４】
2014152231.tif 000127
一般式（Ｃ−１）中、Ｘ２１、Ｘ２２、Ｘ２３およびＸ２４はそれぞれ独立に−ＳＯ−Ｚ２、−ＳＯ２−Ｚ２、−ＳＯ２ＮＲ２１Ｒ２２、スルホ基、−ＣＯＮＲ２１Ｒ２２、または−ＣＯＯＲ２１を表す。
Ｚ２はそれぞれ独立に置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。
Ｒ２１、Ｒ２２はそれぞれ独立に、水素原子、置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。
Ｙ２１、Ｙ２２、Ｙ２３およびＹ２４はそれぞれ独立に、一価の置換基を表す。
ａ２１〜ａ２４、ｂ２１〜ｂ２４は、それぞれＸ２１〜Ｘ２４およびＹ２１〜Ｙ２４の置換基数を表す。ａ２１〜ａ２４はそれぞれ独立に０〜４の数を表すが、全てが同時に０になることはない。ｂ２１〜ｂ２４はそれぞれ独立に０〜４の数を表す。なお、ａ２１〜ａ２４およびｂ２１〜ｂ２４が２以上の数を表す時、複数のＸ２１〜Ｘ２４、およびＹ２１〜Ｙ２４はそれぞれ同一でも異なっていてもよい。
Ｍは水素原子、金属原子またはその酸化物、水酸化物もしくはハロゲン化物である。
一般式（Ｄ−１）：
【化５】
2014152231.tif 000128
一般式（Ｄ−１）中、Ａ３１は５員ヘテロ環ジアゾ成分Ａ３１−Ｎ２−の残基を表す。
Ｂ３１およびＢ３２は各々＝ＣＲ３１−、−ＣＲ３２＝を表すか、あるいはいずれか一方が窒素原子、他方が＝ＣＲ３１−または−ＣＲ３２＝を表す。Ｒ３５、Ｒ３６は各々独立に水素原子、脂肪族基、芳香族基、ヘテロ環基、アシル基、アルコキシカルボニル基、アリールオキシカルボニル基、カルバモイル基、アルキルもしくはアリールスルホニル基、またはスルファモイル基を表し、各基は更に置換基を有していても良い。
Ｇ３、Ｒ３１、Ｒ３２は各々独立して、水素原子、ハロゲン原子、脂肪族基、芳香族基、ヘテロ環基、シアノ基、カルボキシル基、カルバモイル基、アルコキシカルボニル基、アリールオキシカルボニル基、ヘテロ環オキシカルボニル基、アシル基、ヒドロキシ基、アルコキシ基、アリールオキシ基、ヘテロ環オキシ基、シリルオキシ基、アシルオキシ基、カルバモイルオキシ基、アルコキシカルボニルオキシ基、アリールオキシカルボニルオキシ基、アミノ基（アリールアミノ基、ヘテロ環アミノ基を含む）、アシルアミノ基、ウレイド基、スルファモイルアミノ基、アルコキシカルボニルアミノ基、アリールオキシカルボニルアミノ基、アルキルもしくはアリールスルホニルアミノ基、ヘテロ環スルホニルアミノ基、ニトロ基、アルキル及びアリールチオ基、アルキル及びアリールスルホニル基、ヘテロ環スルホニル基、アルキル及びアリールスルフィニル基、ヘテロ環スルフィニル基、スルファモイル基、スルホ基、またはヘテロ環チオ基を表し、各基は更に置換されていても良い。
Ｒ３１とＲ３５、あるいはＲ３５とＲ３６が結合して５乃至６員環を形成しても良い。
一般式（Ｅ−１）：
Ａ４１−（Ｎ＝Ｎ−（Ｂ４１）ｍ）ｎ−Ｎ＝Ｎ−Ｃ４１
一般式（Ｅ−１）中、Ａ４１、Ｂ４１およびＣ４１は、それぞれ独立に、置換されていてもよい芳香族基または置換されていてもよいヘテロ環基を表し、Ａ４１およびＣ４１は一価の基であり、Ｂ４１は二価の基である。また、ｍは１または２であり、ｎは０以上の整数である。ただし、Ａ４１、Ｂ４１およびＣ４１の少なくとも１つはヘテロ環基である。
【請求項３】
前記一般式（Ａ−Ｉ）で表される化合物が、下記一般式（Ａ−ＩＩ）で表される化合物である請求項１又は２に記載のインクセット。
【化６】
2014152231.tif 000129
（一般式（Ａ−ＩＩ）中、Ｒ４は置換基を表し、Ｒ５は−ＯＲ６又は−ＮＨＲ７を表し、Ｒ６及びＲ７は水素原子又は置換基を表し、Ｘ３は２価の連結基を表し、ｎ０は０又は１であり、Ａｒ３は２価のヘテロ環基を表し、Ａ１はイオン性親水性基を表し、ｎ１は０〜２を表す。）
【請求項４】
前記一般式（Ａ−Ｉ）で表される化合物が、下記一般式（Ａ−ＩＩＩ）で表される化合物である請求項１〜３のいずれか１項に記載のインクセット。
【化７】
2014152231.tif 000130
（一般式（Ａ−ＩＩＩ）中、Ｒ２０はアルキレン基、−Ｓ−、又はこれらの組み合わせからなる連結基を表し、Ｒ２１はイオン性親水性基を表し、Ｒ１１はアルキル基を表し、Ｒ１２はアミノ基を表す。）
【請求項５】
前記一般式（Ｂ−Ｉ）で表される化合物が、下記一般式（Ｂ−ＩＩ）で表される化合物及び下記一般式（Ｂ−ＩＩＩ）で表される化合物から選択された少なくとも１種の化合物である請求項１〜４のいずれか１項に記載のインク組成物。
【化８】
2014152231.tif 000131
（一般式（Ｂ−ＩＩ）及び（Ｂ−ＩＩＩ）中、Ｒ１及びＲ２はそれぞれ独立に水素原子又は１価の置換基を表し、Ａ２及びＡ３はイオン性親水性基を表し、ｎ４は０〜４であり、ｎ２及びｎ３は０〜２を表す。）
【請求項６】
前記一般式（Ｂ−Ｉ）で表される化合物が、下記一般式（Ｂ−ＩＶ）で表される化合物である請求項１〜５のいずれか１項に記載のインクセット。
【化９】
2014152231.tif 000132
（一般式（Ｂ−ＩＶ）中、Ｒ８はヒドロキシル基、モルホリノ基又はアミノ基を表し、Ｒ９はそれぞれ独立に水素原子、ヒドロキシル基、カルボキシル基、アルキル基、アルコキシ基、スルホ基又はアミノカルボニルアミノ基を表し、Ｒ１０はそれぞれ独立にカルボキシル基又はスルホ基を表す。）
【請求項７】
前記一般式（Ｂ−Ｖ）で表される化合物が、下記一般式（Ｂ−ＶＩ）で表される化合物である請求項１〜６のいずれか１項に記載のインクセット。
【化１０】
2014152231.tif 000133
（一般式（Ｂ−ＶＩ）中、Ｒ１３はそれぞれ独立に、水素原子又は置換基を表し、Ｒ１４はそれぞれ独立に、−ＯＲ１６、−ＮＨＲ１７又はシアノ基を表し、Ｒ１６及びＲ１７は水素原子又は置換基を表し、Ｘ１は置換若しくは無置換のアリール基又は置換若しくは無置換のトリアジン基を表し、ｎ０は０又は１であり、Ａｒ１はそれぞれ独立に、２価のヘテロ環基を表し、Ａ４はそれぞれ独立に、イオン性親水性基を表し、ｎ７は０〜２を表す。）
【請求項８】
前記一般式（Ｂ−Ｖ）で表される化合物が、下記一般式（Ｂ−ＶＩＩ）で表される化合物である請求項１〜７のいずれか１項に記載のインクセット。
【化１１】
2014152231.tif 000134
（一般式（Ｂ−ＶＩＩ）中、Ｒ１５は−ＯＭを表し、Ｒ２０は−ＣＯ２Ｍを表し、Ｍは水素原子又は一価のカウンターカチオンを表す。Ｒ２１は置換若しくは無置換のアルキル基を表し、Ｒ１３はそれぞれ独立に、水素原子又は置換基を表し、Ｒ１８は置換若しくは無置換のアミノ基を表し、Ｒ１９はシアノ基を表す。）
【請求項９】
前記一般式（Ｅ−１）で表される化合物が、下記一般式（Ｅ−２）で表される化合物である請求項２〜８のいずれか１項に記載のインクセット。
一般式（Ｅ−２）：
【化１２】
2014152231.tif 000135
一般式（Ｅ−２）中、Ａ１は置換若しくは無置換のアリール基、又は置換若しくは無置換のヘテロ環基を表す。
Ｒ１は置換又は無置換のアリール基を表す。
Ｇ１は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｂ１、及びＢ２はそれぞれ独立に、窒素原子又は−Ｃ（Ｒ６１）＝を表す。Ｒ６１は、水素原子、アルキル基、スルホ基、カルボキシ基、置換若しくは無置換のカルバモイル基、又はシアノ基を表す。
Ｒ２及びＲ３はそれぞれ独立に、水素原子、置換若しくは無置換のアリール基、置換若しくは無置換のアルキル基、置換若しくは無置換のアルキルアミノ基、又は置換若しくは無置換のアリールアミノ基を表す。
Ｒ４は水素原子、置換若しくは無置換のアルキルアミノ基、又は置換若しくは無置換のアリールアミノ基を表す。
【請求項１０】
前記一般式（Ｅ−１）で表される化合物が、下記一般式（Ｅ−３）で表される化合物である請求項２〜９のいずれか１項に記載のインクセット。
一般式（Ｅ−３）：
【化１３】
2014152231.tif 000136
一般式（Ｅ−３）中、Ａ１は置換若しくは無置換のアリール基、又は置換若しくは無置換の含窒素５員ヘテロ環基を表す。
Ｒ１は置換又は無置換のアリール基を表す。
Ｇ１は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｍはそれぞれ独立に水素原子又は一価のカウンターカチオンを表す。
【請求項１１】
前記一般式（Ｃ−１）で表される化合物が、下記一般式（Ｃ−２）で表される化合物である請求項２〜１０のいずれか１項に記載のインクセット。
一般式（Ｃ−２）：
【化１４】
2014152231.tif 000137
一般式（Ｃ−２）において、Ｘ５１〜Ｘ５４およびＹ５１〜Ｙ５８、Ｍ１は一般式（Ｃ−１）の中のＸ２１〜Ｘ２４およびＹ２１〜Ｙ２４、Ｍとそれぞれ同義である。ａ５１〜ａ５４はそれぞれ独立に１または２の整数を表す。
【請求項１２】
前記一般式（Ｄ−１）で表される化合物が、下記一般式（Ｄ−２）で表される化合物である請求項２〜１１のいずれか１項に記載のインクセット。
一般式（Ｄ−２）：
【化１５】
2014152231.tif 000138
一般式（Ｄ−２）において、Ｒ３１、Ｒ３２、Ｒ３５およびＲ３６は一般式（Ｄ−１）と同義である。
Ｒ３３およびＲ３４は各々独立に水素原子または置換基を表し、該置換基は脂肪族基、芳香族基、ヘテロ環基、アシル基、アルコキシカルボニル基、アリールオキシカルボニル基、カルバモイル基、アルキルスルホニル基、アリールスルホニル基、またはスルファモイル基を表す。
Ｚ３１はハメットの置換基定数σｐ値が０．２０以上の電子求引性基を表す。
Ｚ３２は水素原子または置換基を表し、該置換基は脂肪族基、芳香族基もしくはヘテロ環基を表す。
Ｑは水素原子または置換基を表し、該置換基は脂肪族基、芳香族基もしくはヘテロ環基を表す。
【請求項１３】
請求項１〜１２のいずれか１項に記載のインクセットがインクジェット記録用である、インクジェット記録用インクセット。
【請求項１４】
請求項１〜１２のいずれか１項に記載のインクセット又は請求項１３に記載のインクジェット記録用インクセットを使用して、インクジェットプリンターにより画像記録を行うインクジェット記録方法。
【発明の詳細な説明】
【技術分野】
【０００１】
本発明は、インクセット、インクジェット記録用インクセット、及びインクジェット記録方法に関する。
【背景技術】
【０００２】
インクジェット記録方法は、インク小滴を普通紙や光沢メディアなどの記録媒体に付与して画像を形成する記録方法であり、その低価格化、記録速度の向上により、急速に普及が進んでいる。また、インクジェット記録方法により得られる画像の高画質化が進んだことに加えて、デジタルカメラの急速な普及に伴い、銀塩写真に匹敵する画像の出力方法として広く一般的になっている。
【０００３】
カラー画像形成には、複数色のインク組成物を組み合わせたインクセットが用いられる。一般に、カラー画像の形成は、イエローインク組成物、マゼンタインク組成物、及びシアンインク組成物の三色、更に所望によりブラックインク組成物を加えた四色によって行われている。また、これらの四色にライトシアンインク組成物及びライトマゼンタインク組成物を加えた六色又はそれらに更にダークイエローインク組成物を加えた七色によってカラー画像形成を行なう場合もある。このような２種以上のインク組成物を組み合わせたものがインクセットである。
特許文献１及び２には、イエローインク組成物、マゼンタインク組成物、及びシアンインク組成物を含有するインクセットが記載されている。
【先行技術文献】
【特許文献】
【０００４】
【特許文献１】特表２００７−５１０７６０号公報
【特許文献２】特開２００７−２２４２７６号公報
【発明の概要】
【発明が解決しようとする課題】
【０００５】
インク組成物に用いられる染料は、光や大気中のオゾンの影響により、染料分子が分解する現象がある。染料分子が分解した結果、色が薄まるもしくは変化する（総じて褪色する）。この褪色の後、各染料が示す濃度や色味も各染料によって異なる。インクセットにおいて、特定のインク組成物の耐光性や耐オゾン性などの画像堅牢性が、他のインク組成物よりも低い場合は、その特定のインク組成物によって形成された色が、他の色よりも早く褪色してしまうため、印画物は光やオゾンの影響を受けた後、元の画像とは色味が異なるものになってしまう。
したがって、インクセットにおいては、該インクセットを用いて形成した画像が、光やオゾンの影響を受けて褪色した後も特定の色味に偏らず、形成直後の画像により近い色味にできる、すなわち褪色バランスに優れることが求められる。
【０００６】
本発明は、褪色バランスに優れたインクセット、該インクセットを用いたインクジェット記録用インクセット、及びインクジェット記録方法を提供することを目的とする。
【課題を解決するための手段】
【０００７】
上記課題は、以下の手段により解決することができる。
【０００８】
［１］
少なくとも、下記一般式（Ａ−Ｉ）で表される化合物と、下記一般式（Ｂ−Ｉ）で表される化合物及び下記一般式（Ｂ−Ｖ）で表される化合物から選択される少なくとも１種の化合物とを含むインク組成物を含有するインクセット。
【０００９】
【化１】
2014152231.tif 000002
【００１０】
（一般式（Ａ−Ｉ）中、Ｒ４は置換基を表し、Ｒ５は−ＯＲ６又は−ＮＨＲ７を表し、Ｒ６及びＲ７は水素原子又は置換基を表し、Ｘ３は２価の連結基を表し、ｎ０は０又は１であり、Ａｒ３は２価のヘテロ環基を表し、Ａｒ４はアルキル基、アリール基又はトリアジン基を表す。）
【００１１】
【化２】
2014152231.tif 000003
【００１２】
（一般式（Ｂ−Ｉ）中、Ｒ１は水素原子又は置換基を表し、Ｒ２は置換基を表し、Ｒ３はイオン性親水性基又は環を形成してもよいアルキル基を表し、ｎ４は０〜４であり、ｎ５は２〜５である。）
【００１３】
【化３】
2014152231.tif 000004
【００１４】
（一般式（Ｂ−Ｖ）中、Ｒ１３はそれぞれ独立に、水素原子又は置換基を表し、Ｒ１４はそれぞれ独立に、−ＯＲ１６、−ＮＨＲ１７又はシアノ基を表し、Ｒ１６及びＲ１７は水素原子又は置換基を表し、Ｘ１は置換若しくは無置換のアリール基又は置換若しくは無置換のトリアジン基を表し、ｎ６は０又は１であり、Ａｒ１はそれぞれ独立に、２価のヘテロ環基を表し、Ａｒ２はそれぞれ独立に、置換若しくは無置換のアルキル基、置換若しくは無置換のアリール基又はトリアジン基を表す。）
［２］
更に、下記一般式（Ｃ−１）で表される化合物を含むインク組成物、下記一般式（Ｄ−１）で表される化合物を含むインク組成物、及び下記一般式（Ｅ−１）で表される化合物を含むインク組成物を含有する［１］に記載のインクセット。
一般式（Ｃ−１）：
【００１５】
【化４】
2014152231.tif 000005
【００１６】
一般式（Ｃ−１）中、Ｘ２１、Ｘ２２、Ｘ２３およびＸ２４はそれぞれ独立に−ＳＯ−Ｚ２、−ＳＯ２−Ｚ２、−ＳＯ２ＮＲ２１Ｒ２２、スルホ基、−ＣＯＮＲ２１Ｒ２２、または−ＣＯＯＲ２１を表す。
Ｚ２はそれぞれ独立に置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。
Ｒ２１、Ｒ２２はそれぞれ独立に、水素原子、置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。
Ｙ２１、Ｙ２２、Ｙ２３およびＹ２４はそれぞれ独立に、一価の置換基を表す。
ａ２１〜ａ２４、ｂ２１〜ｂ２４は、それぞれＸ２１〜Ｘ２４およびＹ２１〜Ｙ２４の置換基数を表す。ａ２１〜ａ２４はそれぞれ独立に０〜４の数を表すが、全てが同時に０になることはない。ｂ２１〜ｂ２４はそれぞれ独立に０〜４の数を表す。なお、ａ２１〜ａ２４およびｂ２１〜ｂ２４が２以上の数を表す時、複数のＸ２１〜Ｘ２４、およびＹ２１〜Ｙ２４はそれぞれ同一でも異なっていてもよい。
Ｍは水素原子、金属原子またはその酸化物、水酸化物もしくはハロゲン化物である。
一般式（Ｄ−１）：
【００１７】
【化５】
2014152231.tif 000006
【００１８】
一般式（Ｄ−１）中、Ａ３１は５員ヘテロ環ジアゾ成分Ａ３１−Ｎ２−の残基を表す。
Ｂ３１およびＢ３２は各々＝ＣＲ３１−、−ＣＲ３２＝を表すか、あるいはいずれか一方が窒素原子、他方が＝ＣＲ３１−または−ＣＲ３２＝を表す。Ｒ３５、Ｒ３６は各々独立に水素原子、脂肪族基、芳香族基、ヘテロ環基、アシル基、アルコキシカルボニル基、アリールオキシカルボニル基、カルバモイル基、アルキルもしくはアリールスルホニル基、またはスルファモイル基を表し、各基は更に置換基を有していても良い。
Ｇ３、Ｒ３１、Ｒ３２は各々独立して、水素原子、ハロゲン原子、脂肪族基、芳香族基、ヘテロ環基、シアノ基、カルボキシル基、カルバモイル基、アルコキシカルボニル基、アリールオキシカルボニル基、ヘテロ環オキシカルボニル基、アシル基、ヒドロキシ基、アルコキシ基、アリールオキシ基、ヘテロ環オキシ基、シリルオキシ基、アシルオキシ基、カルバモイルオキシ基、アルコキシカルボニルオキシ基、アリールオキシカルボニルオキシ基、アミノ基（アリールアミノ基、ヘテロ環アミノ基を含む）、アシルアミノ基、ウレイド基、スルファモイルアミノ基、アルコキシカルボニルアミノ基、アリールオキシカルボニルアミノ基、アルキルもしくはアリールスルホニルアミノ基、ヘテロ環スルホニルアミノ基、ニトロ基、アルキル及びアリールチオ基、アルキル及びアリールスルホニル基、ヘテロ環スルホニル基、アルキル及びアリールスルフィニル基、ヘテロ環スルフィニル基、スルファモイル基、スルホ基、またはヘテロ環チオ基を表し、各基は更に置換されていても良い。
Ｒ３１とＲ３５、あるいはＲ３５とＲ３６が結合して５乃至６員環を形成しても良い。
一般式（Ｅ−１）：
Ａ４１−（Ｎ＝Ｎ−（Ｂ４１）ｍ）ｎ−Ｎ＝Ｎ−Ｃ４１
一般式（Ｅ−１）中、Ａ４１、Ｂ４１およびＣ４１は、それぞれ独立に、置換されていてもよい芳香族基または置換されていてもよいヘテロ環基を表し、Ａ４１およびＣ４１は一価の基であり、Ｂ４１は二価の基である。また、ｍは１または２であり、ｎは０以上の整数である。ただし、Ａ４１、Ｂ４１およびＣ４１の少なくとも１つはヘテロ環基である。
［３］
上記一般式（Ａ−Ｉ）で表される化合物が、下記一般式（Ａ−ＩＩ）で表される化合物である［１］又は［２］に記載のインクセット。
【００１９】
【化６】
2014152231.tif 000007
【００２０】
（一般式（Ａ−ＩＩ）中、Ｒ４は置換基を表し、Ｒ５は−ＯＲ６又は−ＮＨＲ７を表し、Ｒ６及びＲ７は水素原子又は置換基を表し、Ｘ３は２価の連結基を表し、ｎ０は０又は１であり、Ａｒ３は２価のヘテロ環基を表し、Ａ１はイオン性親水性基を表し、ｎ１は０〜２を表す。）
［４］
上記一般式（Ａ−Ｉ）で表される化合物が、下記一般式（Ａ−ＩＩＩ）で表される化合物である［１］〜［３］のいずれか１項に記載のインクセット。
【００２１】
【化７】
2014152231.tif 000008
【００２２】
（一般式（Ａ−ＩＩＩ）中、Ｒ２０はアルキレン基、−Ｓ−、又はこれらの組み合わせからなる連結基を表し、Ｒ２１はイオン性親水性基を表し、Ｒ１１はアルキル基を表し、Ｒ１２はアミノ基を表す。）
［５］
上記一般式（Ｂ−Ｉ）で表される化合物が、下記一般式（Ｂ−ＩＩ）で表される化合物及び下記一般式（Ｂ−ＩＩＩ）で表される化合物から選択された少なくとも１種の化合物である［１］〜［４］のいずれか１項に記載のインク組成物。
【００２３】
【化８】
2014152231.tif 000009
【００２４】
（一般式（Ｂ−ＩＩ）及び（Ｂ−ＩＩＩ）中、Ｒ１及びＲ２はそれぞれ独立に水素原子又は１価の置換基を表し、Ａ２及びＡ３はイオン性親水性基を表し、ｎ４は０〜４であり、ｎ２及びｎ３は０〜２を表す。）
［６］
上記一般式（Ｂ−Ｉ）で表される化合物が、下記一般式（Ｂ−ＩＶ）で表される化合物である［１］〜［５］のいずれか１項に記載のインクセット。
【００２５】
【化９】
2014152231.tif 000010
【００２６】
（一般式（Ｂ−ＩＶ）中、Ｒ８はヒドロキシル基、モルホリノ基又はアミノ基を表し、Ｒ９はそれぞれ独立に水素原子、ヒドロキシル基、カルボキシル基、アルキル基、アルコキシ基、スルホ基又はアミノカルボニルアミノ基を表し、Ｒ１０はそれぞれ独立にカルボキシル基又はスルホ基を表す。）
［７］
上記一般式（Ｂ−Ｖ）で表される化合物が、下記一般式（Ｂ−ＶＩ）で表される化合物である［１］〜［６］のいずれか１項に記載のインクセット。
【００２７】
【化１０】
2014152231.tif 000011
【００２８】
（一般式（Ｂ−ＶＩ）中、Ｒ１３はそれぞれ独立に、水素原子又は置換基を表し、Ｒ１４はそれぞれ独立に、−ＯＲ１６、−ＮＨＲ１７又はシアノ基を表し、Ｒ１６及びＲ１７は水素原子又は置換基を表し、Ｘ１は置換若しくは無置換のアリール基又は置換若しくは無置換のトリアジン基を表し、ｎ０は０又は１であり、Ａｒ１はそれぞれ独立に、２価のヘテロ環基を表し、Ａ４はそれぞれ独立に、イオン性親水性基を表し、ｎ７は０〜２を表す。）
［８］
上記一般式（Ｂ−Ｖ）で表される化合物が、下記一般式（Ｂ−ＶＩＩ）で表される化合物である［１］〜［７］のいずれか１項に記載のインクセット。
【００２９】
【化１１】
2014152231.tif 000012
【００３０】
（一般式（Ｂ−ＶＩＩ）中、Ｒ１５は−ＯＭを表し、Ｒ２０は−ＣＯ２Ｍを表し、Ｍは水素原子又は一価のカウンターカチオンを表す。Ｒ２１は置換若しくは無置換のアルキル基を表し、Ｒ１３はそれぞれ独立に、水素原子又は置換基を表し、Ｒ１８は置換若しくは無置換のアミノ基を表し、Ｒ１９はシアノ基を表す。）
［９］
上記一般式（Ｅ−１）で表される化合物が、下記一般式（Ｅ−２）で表される化合物である［２］〜［８］のいずれか１項に記載のインクセット。
一般式（Ｅ−２）：
【００３１】
【化１２】
2014152231.tif 000013
【００３２】
一般式（Ｅ−２）中、Ａ１は置換若しくは無置換のアリール基、又は置換若しくは無置換のヘテロ環基を表す。
Ｒ１は置換又は無置換のアリール基を表す。
Ｇ１は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｂ１、及びＢ２はそれぞれ独立に、窒素原子又は−Ｃ（Ｒ６１）＝を表す。Ｒ６１は、水素原子、アルキル基、スルホ基、カルボキシ基、置換若しくは無置換のカルバモイル基、又はシアノ基を表す。
Ｒ２及びＲ３はそれぞれ独立に、水素原子、置換若しくは無置換のアリール基、置換若しくは無置換のアルキル基、置換若しくは無置換のアルキルアミノ基、又は置換若しくは無置換のアリールアミノ基を表す。
Ｒ４は水素原子、置換若しくは無置換のアルキルアミノ基、又は置換若しくは無置換のアリールアミノ基を表す。
［１０］
上記一般式（Ｅ−１）で表される化合物が、下記一般式（Ｅ−３）で表される化合物である［２］〜［９］のいずれか１項に記載のインクセット。
一般式（Ｅ−３）：
【００３３】
【化１３】
2014152231.tif 000014
【００３４】
一般式（Ｅ−３）中、Ａ１は置換若しくは無置換のアリール基、又は置換若しくは無置換の含窒素５員ヘテロ環基を表す。
Ｒ１は置換又は無置換のアリール基を表す。
Ｇ１は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｍはそれぞれ独立に水素原子又は一価のカウンターカチオンを表す。
［１１］
上記一般式（Ｃ−１）で表される化合物が、下記一般式（Ｃ−２）で表される化合物である［２］〜［１０］のいずれか１項に記載のインクセット。
一般式（Ｃ−２）：
【００３５】
【化１４】
2014152231.tif 000015
【００３６】
一般式（Ｃ−２）において、Ｘ５１〜Ｘ５４およびＹ５１〜Ｙ５８、Ｍ１は一般式（Ｃ−１）の中のＸ２１〜Ｘ２４およびＹ２１〜Ｙ２４、Ｍとそれぞれ同義である。ａ５１〜ａ５４はそれぞれ独立に１または２の整数を表す。
［１２］
上記一般式（Ｄ−１）で表される化合物が、下記一般式（Ｄ−２）で表される化合物である［２］〜［１１］のいずれか１項に記載のインクセット。
一般式（Ｄ−２）：
【００３７】
【化１５】
2014152231.tif 000016
【００３８】
一般式（Ｄ−２）において、Ｒ３１、Ｒ３２、Ｒ３５およびＲ３６は一般式（Ｄ−１）と同義である。
Ｒ３３およびＲ３４は各々独立に水素原子または置換基を表し、上記置換基は脂肪族基、芳香族基、ヘテロ環基、アシル基、アルコキシカルボニル基、アリールオキシカルボニル基、カルバモイル基、アルキルスルホニル基、アリールスルホニル基、またはスルファモイル基を表す。
Ｚ３１はハメットの置換基定数σｐ値が０．２０以上の電子求引性基を表す。
Ｚ３２は水素原子または置換基を表し、上記置換基は脂肪族基、芳香族基もしくはヘテロ環基を表す。
Ｑは水素原子または置換基を表し、上記置換基は脂肪族基、芳香族基もしくはヘテロ環基を表す。
［１３］
［１］〜［１２］のいずれか１項に記載のインクセットがインクジェット記録用である、インクジェット記録用インクセット。
［１４］
［１］〜［１２］のいずれか１項に記載のインクセット又は［１３］に記載のインクジェット記録用インクセットを使用して、インクジェットプリンターにより画像記録を行うインクジェット記録方法。
【発明の効果】
【００３９】
本発明によれば、形成した画像の褪色後も元の画像により近い色味にできる、すなわち褪色バランスに優れるインクセット、上記インクセットを用いたインクジェット記録用インクセット、及びインクジェット記録方法を提供することができる。
【発明を実施するための形態】
【００４０】
以下に、本発明を好ましい実施の形態を挙げて詳細に説明する。
まず、本発明において、置換基群Ａ、イオン性親水性基について定義する。
（置換基群Ａ）  
例えば、ハロゲン原子、アルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、シリル基、イオン性親水性基が例として挙げられる。これらの置換基は更に置換されてもよく、更なる置換基としては、以上に説明した置換基群Ａから選択される基を挙げることができる。
【００４１】
更に詳しくは、ハロゲン原子としては、例えば、フッ素原子、塩素原子、臭素原子、又はヨウ素原子が挙げられる。
【００４２】
アルキル基としては、直鎖、分岐、環状の置換若しくは無置換のアルキル基が挙げられ、シクロアルキル基、ビシクロアルキル基、更に環構造が多いトリシクロ構造なども包含するものである。以下に説明する置換基の中のアルキル基（例えば、アルコキシ基、アルキルチオ基のアルキル基）もこのような概念のアルキル基を表す。詳細には、アルキル基としては、好ましくは、炭素数１から３０のアルキル基、例えば、メチル基、エチル基、ｎ−プロピル基、ｉ−プロピル基、ｔ−ブチル基、ｎ−オクチル基、エイコシル基、２−クロロエチル基、２−シアノエチル基、２―エチルヘキシル基等が挙げられ、シクロアルキル基としては、好ましくは、炭素数３から３０の置換又は無置換のシクロアルキル基、例えば、シクロヘキシル基、シクロペンチル基、４−ｎ−ドデシルシクロヘキシル基等が挙げられ、ビシクロアルキル基としては、好ましくは、炭素数５から３０の置換若しくは無置換のビシクロアルキル基、つまり、炭素数５から３０のビシクロアルカンから水素原子を一個取り去った一価の基、例えば、ビシクロ［１，２，２］ヘプタン−２−イル基、ビシクロ［２，２，２］オクタン−３−イル基等が挙げられる。
【００４３】
アラルキル基としては、置換若しくは無置換のアラルキル基が挙げられ、置換若しくは無置換のアラルキル基としては、炭素原子数が７〜３０のアラルキル基が好ましい。例えばベンジル基及び２−フェネチル基を挙げられる。
【００４４】
アルケニル基としては、直鎖、分岐、環状の置換若しくは無置換のアルケニル基が挙げられ、シクロアルケニル基、ビシクロアルケニル基を包含する。詳細には、アルケニル基としては、好ましくは、炭素数２から３０の置換又は無置換のアルケニル基、例えば、ビニル基、アリル基、プレニル基、ゲラニル基、オレイル基等が挙げられ、シクロアルケニル基としては、好ましくは、炭素数３から３０の置換若しくは無置換のシクロアルケニル基、つまり、炭素数３から３０のシクロアルケンの水素原子を一個取り去った一価の基、例えば、２−シクロペンテン−１−イル基、２−シクロヘキセン−１−イル基等が挙げられ、ビシクロアルケニル基としては、置換若しくは無置換のビシクロアルケニル基、好ましくは、炭素数５から３０の置換若しくは無置換のビシクロアルケニル基、つまり二重結合を一個持つビシクロアルケンの水素原子を一個取り去った一価の基、例えば、ビシクロ［２，２，１］ヘプト−２−エン−１−イル基、ビシクロ［２，２，２］オクト−２−エン−４−イル基等が挙げられる。
【００４５】
アルキニル基としては、好ましくは、炭素数２から３０の置換又は無置換のアルキニル基、例えば、エチニル基、プロパルギル基、トリメチルシリルエチニル基等が挙げられる。
【００４６】
アリール基としては、好ましくは、炭素数６から３０の置換若しくは無置換のアリール基、例えば、フェニル基、ｐ−トリル基、ナフチル基、ｍ−クロロフェニル基、ｏ−ヘキサデカノイルアミノフェニル基等が挙げられる。
【００４７】
ヘテロ環基としては、好ましくは、５又は６員の置換若しくは無置換の芳香族若しくは非芳香族のヘテロ環化合物から一個の水素原子を取り除いた一価の基であり、更に好ましくは、炭素数３から３０の５又は６員の芳香族のヘテロ環基、例えば、２−フリル基、２−チエニル基、２−ピリミジニル基、２−ベンゾチアゾリル基等が挙げられる。
【００４８】
アルコキシ基としては、好ましくは、炭素数１から３０の置換若しくは無置換のアルコキシ基、例えば、メトキシ基、エトキシ基、イソプロポキシ基、ｔ−ブトキシ基、ｎ−オクチルオキシ基、２−メトキシエトキシ基等が挙げられる。
【００４９】
アリールオキシ基としては、好ましくは、炭素数６から３０の置換若しくは無置換のアリールオキシ基、例えば、フェノキシ基、２−メチルフェノキシ基、４−ｔ−ブチルフェノキシ基、３−ニトロフェノキシ基、２−テトラデカノイルアミノフェノキシ基等が挙げられる。
【００５０】
シリルオキシ基としては、好ましくは、炭素数０から２０の置換若しくは無置換のシリルオキシ基、例えば、トリメチルシリルオキシ基、ジフェニルメチルシリルオキシ基等が挙げられる。
【００５１】
ヘテロ環オキシ基としては、好ましくは、炭素数２から３０の置換若しくは無置換のヘテロ環オキシ基、例えば、１−フェニルテトラゾール−５−オキシ基、２−テトラヒドロピラニルオキシ基等が挙げられる。
【００５２】
アシルオキシ基としては、好ましくは、ホルミルオキシ基、炭素数２から３０の置換若しくは無置換のアルキルカルボニルオキシ基、炭素数６から３０の置換若しくは無置換のアリールカルボニルオキシ基、例えば、アセチルオキシ基、ピバロイルオキシ基、ステアロイルオキシ基、ベンゾイルオキシ基、ｐ−メトキシフェニルカルボニルオキシ基等が挙げられる。
【００５３】
カルバモイルオキシ基としては、好ましくは、炭素数１から３０の置換若しくは無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。
【００５４】
アルコキシカルボニルオキシ基としては、好ましくは、炭素数２から３０の置換若しくは無置換アルコキシカルボニルオキシ基、例えば、メトキシカルボニルオキシ基、エトキシカルボニルオキシ基、ｔ−ブトキシカルボニルオキシ基、ｎ−オクチルカルボニルオキシ基等が挙げられる。
【００５５】
アリールオキシカルボニルオキシ基としては、好ましくは、炭素数７から３０の置換若しくは無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基等が挙げられる。
【００５６】
アミノ基としては、アルキルアミノ基、アリールアミノ基、ヘテロ環アミノ基を含み、好ましくは、アミノ基、炭素数１から３０の置換若しくは無置換のアルキルアミノ基、炭素数６から３０の置換若しくは無置換のアニリノ基、例えば、メチルアミノ基、ジメチルアミノ基、アニリノ基、Ｎ−メチル−アニリノ基、ジフェニルアミノ基、トリアジニルアミノ基等が挙げられる。
【００５７】
アシルアミノ基としては、好ましくは、ホルミルアミノ基、炭素数１から３０の置換若しくは無置換のアルキルカルボニルアミノ基、炭素数６から３０の置換若しくは無置換のアリールカルボニルアミノ基、例えば、アセチルアミノ基、ピバロイルアミノ基、ラウロイルアミノ基、ベンゾイルアミノ基、３，４，５−トリ−ｎ−オクチルオキシフェニルカルボニルアミノ基等が挙げられる。
【００５８】
アミノカルボニルアミノ基としては、好ましくは、炭素数１から３０の置換若しくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等が挙げられる。
【００５９】
アルコキシカルボニルアミノ基としては、好ましくは、炭素数２から３０の置換若しくは無置換アルコキシカルボニルアミノ基、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基等が挙げられる。
【００６０】
アリールオキシカルボニルアミノ基としては、好ましくは、炭素数７から３０の置換若しくは無置換のアリールオキシカルボニルアミノ基、例えば、フェノキシカルボニルアミノ基、ｐ−クロロフェノキシカルボニルアミノ基、ｍ−ｎ−オクチルオキシフェノキシカルボニルアミノ基等が挙げられる。
【００６１】
スルファモイルアミノ基としては、好ましくは、炭素数０から３０の置換若しくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基等が挙げられる。
【００６２】
アルキル又はアリールスルホニルアミノ基としては、好ましくは、炭素数１から３０の置換若しくは無置換のアルキルスルホニルアミノ基、炭素数６から３０の置換若しくは無置換のアリールスルホニルアミノ基、例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等が挙げられる。
アルキルチオ基としては、好ましくは、炭素数１から３０の置換若しくは無置換のアルキルチオ基、例えば、メチルチオ基、エチルチオ基、ｎ−ヘキサデシルチオ基等が挙げられる。
【００６３】
アリールチオ基としては、好ましくは、炭素数６から３０の置換若しくは無置換のアリールチオ基、例えば、フェニルチオ基、ｐ−クロロフェニルチオ基、ｍ−メトキシフェニルチオ基等が挙げられる。
【００６４】
ヘテロ環チオ基としては、好ましくは、炭素数２から３０の置換又は無置換のヘテロ環チオ基、例えば、２−ベンゾチアゾリルチオ基、１−フェニルテトラゾール−５−イルチオ基等が挙げられる。
【００６５】
スルファモイル基としては、好ましくは、炭素数０から３０の置換若しくは無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ‘−フェニルカルバモイル）スルファモイル基等が挙げられる。
【００６６】
アルキル又はアリールスルフィニル基としては、好ましくは、炭素数１から３０の置換又は無置換のアルキルスルフィニル基、６から３０の置換又は無置換のアリールスルフィニル基、例えば、メチルスルフィニル基、エチルスルフィニル基、フェニルスルフィニル基、ｐ−メチルフェニルスルフィニル基等が挙げられる。
【００６７】
アルキル又はアリールスルホニル基としては、好ましくは、炭素数１から３０の置換又は無置換のアルキルスルホニル基、６から３０の置換又は無置換のアリールスルホニル基、例えば、メチルスルホニル基、エチルスルホニル基、フェニルスルホニル基、ｐ−メチルフェニルスルホニル基等が挙げられる。
【００６８】
アシル基としては、好ましくは、ホルミル基、炭素数２から３０の置換又は無置換のアルキルカルボニル基、炭素数７から３０の置換若しくは無置換のアリールカルボニル基、炭素数２から３０の置換若しくは無置換の炭素原子でカルボニル基と結合しているヘテロ環カルボニル基、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等が挙げられる。
【００６９】
アリールオキシカルボニル基としては、好ましくは、炭素数７から３０の置換若しくは無置換のアリールオキシカルボニル基、例えば、フェノキシカルボニル基、ｏ−クロロフェノキシカルボニル基、ｍ−ニトロフェノキシカルボニル基、ｐ−ｔ−ブチルフェノキシカルボニル基等が挙げられる。
【００７０】
アルコキシカルボニル基としては、好ましくは、炭素数２から３０の置換若しくは無置換アルコキシカルボニル基、例えば、メトキシカルボニル基、エトキシカルボニル基、ｔ−ブトキシカルボニル基、ｎ−オクタデシルオキシカルボニル基等が挙げられる。
【００７１】
カルバモイル基としては、好ましくは、炭素数１から３０の置換若しくは無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等が挙げられる。
【００７２】
アリール又はヘテロ環アゾ基としては、好ましくは炭素数６から３０の置換若しくは無置換のアリールアゾ基、炭素数３から３０の置換若しくは無置換のヘテロ環アゾ基、例えば、フェニルアゾ、ｐ−クロロフェニルアゾ、５−エチルチオ−１，３，４−チアジアゾール−２−イルアゾ等が挙げられる。
【００７３】
イミド基としては、好ましくは、Ｎ−スクシンイミド基、Ｎ−フタルイミド基等が挙げられる。
【００７４】
ホスフィノ基としては、好ましくは、炭素数０から３０の置換若しくは無置換のホスフィノ基、例えば、ジメチルホスフィノ基、ジフェニルホスフィノ基、メチルフェノキシホスフィノ基等が挙げられる。
【００７５】
ホスフィニル基としては、好ましくは、炭素数０から３０の置換若しくは無置換のホスフィニル基、例えば、ホスフィニル基、ジオクチルオキシホスフィニル基、ジエトキシホスフィニル基等が挙げられる。
【００７６】
ホスフィニルオキシ基としては、好ましくは、炭素数０から３０の置換若しくは無置換のホスフィニルオキシ基、例えば、ジフェノキシホスフィニルオキシ基、ジオクチルオキシホスフィニルオキシ基等が挙げられる。
【００７７】
ホスフィニルアミノ基としては、好ましくは、炭素数０から３０の置換若しくは無置換のホスフィニルアミノ基、例えば、ジメトキシホスフィニルアミノ基、ジメチルアミノホスフィニルアミノ基が挙げられる。
【００７８】
シリル基としては、好ましくは、炭素数０から３０の置換若しくは無置換のシリル基、例えば、トリメチルシリル基、ｔ−ブチルジメチルシリル基、フェニルジメチルシリル基等が挙げられる。
【００７９】
（イオン性親水性基）
スルホ基、カルボキシル基、チオカルボキシル基、スルフィノ基、ホスホノ基、ジヒドロキシホスフィノ基、４級アンモニウム基などが挙げられる。特に好ましくはスルホ基、カルボキシル基である。またカルボキシル基、ホスホノ基及びスルホ基は塩の状態であってもよく、塩を形成する対カチオンの例には、アンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が含まれ、リチウム塩、ナトリウム塩、カリウム塩、アンモニウム塩が好ましく、リチウム塩又はリチウム塩を主成分とする混合塩が更に好ましく、リチウム塩が最も好ましい。
【００８０】
（インクセット）
本発明のインクセットは、少なくとも、下記一般式（Ａ−Ｉ）で表される化合物と、下記一般式（Ｂ−Ｉ）で表される化合物及び下記一般式（Ｂ−Ｖ）で表される化合物から選択される少なくとも１種の化合物とを含むインク組成物を含有するインクセットである。
本発明のインクセットは、好ましくはイエローインク組成物、シアンインク組成物、マゼンタインク組成物、及びブラックインク組成物を含有し、下記一般式（Ａ−Ｉ）で表される化合物と、下記一般式（Ｂ−Ｉ）で表される化合物及び下記一般式（Ｂ−Ｖ）で表される化合物から選択される少なくとも１種の化合物とを含むインク組成物はイエローインク組成物であることが好ましい。
【００８１】
【化１６】
2014152231.tif 000017
【００８２】
（一般式（Ａ−Ｉ）中、Ｒ４は置換基を表し、Ｒ５は−ＯＲ６又は−ＮＨＲ７を表し、Ｒ６及びＲ７は水素原子又は置換基を表し、Ｘ３は２価の連結基を表し、ｎ０は０又は１であり、Ａｒ３は２価のヘテロ環基を表し、Ａｒ４はアルキル基、アリール基又はトリアジン基を表す。）
【００８３】
【化１７】
2014152231.tif 000018
【００８４】
（一般式（Ｂ−Ｉ）中、Ｒ１は水素原子又は置換基を表し、Ｒ２は置換基を表し、Ｒ３はイオン性親水性基又は環を形成してもよいアルキル基を表し、ｎ４は０〜４であり、ｎ５は２〜５である。）
【００８５】
【化１８】
2014152231.tif 000019
【００８６】
（一般式（Ｂ−Ｖ）中、Ｒ１３はそれぞれ独立に、水素原子又は置換基を表し、Ｒ１４はそれぞれ独立に、−ＯＲ１６、−ＮＨＲ１７又はシアノ基を表し、Ｒ１６及びＲ１７は水素原子又は置換基を表し、Ｘ１は置換若しくは無置換のアリール基又は置換若しくは無置換のトリアジン基を表し、ｎ６は０又は１であり、Ａｒ１はそれぞれ独立に、２価のヘテロ環基を表し、Ａｒ２はそれぞれ独立に、置換若しくは無置換のアルキル基、置換若しくは無置換のアリール基又はトリアジン基を表す。）
【００８７】
本発明のインクセットにより褪色バランスに優れた画像が形成できる理由は明らかになっていないが本発明者は以下のように推測している。すなわち、上記一般式（Ａ−Ｉ）で表される化合物と、上記一般式（Ｂ−Ｉ）で表される化合物及び下記一般式（Ｂ−Ｖ）で表される化合物から選択される少なくとも１種の化合物とを含有することにより、短波長の染料が分解する割合と、長波長の染料が分解することで生成する短波長吸収分解物の割合がつりあうため、褪色バランスに優れるものと推測される。
【００８８】
＜イエローインク組成物＞
［一般式（Ａ−Ｉ）で表される化合物］
一般式（Ａ−Ｉ）で表される化合物について説明する。
一般式（Ａ−Ｉ）で表される化合物は、アゾ染料（イエロー染料）として好ましく用いることができ、本発明のインクセットにおいてイエローインク組成物に含まれることが好ましい。
【００８９】
【化１９】
2014152231.tif 000020
【００９０】
（一般式（Ａ−Ｉ）中、Ｒ４は置換基を表し、Ｒ５は−ＯＲ６又は−ＮＨＲ７を表し、Ｒ６及びＲ７は水素原子又は置換基を表し、Ｘ３は２価の連結基を表し、ｎ０は０又は１であり、Ａｒ３は２価のヘテロ環基を表し、Ａｒ４はアルキル基、アリール基又はトリアジン基を表す。）
【００９１】
Ａｒ３で表される２価のヘテロ環基としては、５員又は６員環のものが好ましく、それらは更に縮環していてもよい。また、芳香族ヘテロ環であっても非芳香族ヘテロ環であっても良い。Ａｒ３で表される２価のヘテロ環基としては、例えば、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。中では芳香族ヘテロ環基が好ましく、その好ましい例を先と同様に例示すると、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールが挙げられる。チアジアゾールが最も好ましい。それらは置換基を有していても良く、置換基の例としては、前述の置換基群Ａと同じである。
【００９２】
Ｒ４、Ｒ６及びＲ７で表される置換基は、前記置換基群Ａより選択される。
【００９３】
Ｒ４はアルキル基、アルコキシ基、アリール基であることが好ましく、炭素原子数１〜４のアルキル基であることが好ましく、メチル基、エチル基、ターシャリーブチル基、フェニル基、メトキシ基、エトキシ基であることがより好ましく、ターシャリーブチル基であることが更に好ましい。
Ｒ５は置換又は無置換のアミノ基であることが好ましく、Ｒ５は無置換のアミノ基であることがより好ましい。
また、Ａｒ４は置換又は無置換のアリール基であることが好ましく、置換又は無置換のフェニル基であることが更に好ましい。
Ｒ４、Ｒ５、Ａｒ４がさらに置換基を有する場合の置換基としては前記置換基群Ａが挙げられ、アルキル基、アリール基、ヘテロ環基、シアノ基、ヒドロキシル基、ニトロ基、又はアルコキシ基が好ましく、アルキル基、アリール基、又はヘテロ環基が更に好ましい。
【００９４】
一般式（Ａ−Ｉ）のＸ３で表される二価の連結基は、アルキレン基（例、メチレン、エチレン、プロピレン、ブチレン、ペンチレン）、アルケニレン基（例、エテニレン、プロぺニレン）、アルキニレン基（例、エチニレン、プロピニレン）、アリーレン基（例、フェニレン、ナフチレン）、二価のヘテロ環基（例、６−クロロ−１，３，５−トリアジン−２，４−ジイル基、ピリミジン−２，４−ジイル基、キノキサリン−２，３−ジイル基）、−Ｏ−、−ＣＯ−、−ＮＲＡ−（ＲＡは水素原子、アルキル基又はアリール基）、−Ｓ−、−ＳＯ２−、−ＳＯ−又はこれらの組み合わせであることが好ましい。
【００９５】
前記Ｘ３で表されるアルキレン基、アルケニレン基、アルキニレン基、アリーレン基、二価のヘテロ環基、ＲＡで表されるアルキル基又はアリール基は、置換基を有していてもよい。置換基の例としては、前記置換基と同じである。ＲＡで表されるアルキル基及びアリール基は、置換若しくは無置換の、アルキル基又はアリール基が含まれる。置換若しくは無置換のアルキル基としては、炭素原子数が１〜３０のアルキル基が好ましく、置換若しくは無置換のアリール基としては、炭素数６から３０のアリール基が好ましい。
【００９６】
一般式（Ａ−Ｉ）のＸ３で表される二価の連結基において、更に好ましくは、炭素数１０以下のアルキレン基、炭素数１０以下のアルケニレン基、炭素数１０以下のアルキニレン基、炭素数６以上１０以下のアリーレン基、二価のヘテロ環基、−Ｏ―、−Ｓ−又はこれらの組み合わせであり、アルキレン基、もしくは−Ｓ−、又はこれらの組み合わせであることが、更に好ましい。
二価の連結基の総炭素数は０〜５０であることが好ましく、０〜３０であることがより好ましく、０〜１０であることが最も好ましい。
【００９７】
Ａｒ４で表されるアリール基又はアリーレン基は、前述のＲＡで表されるアリール基又はアリーレン基と同義であり好ましいものも同様である。また、Ａｒ４で表されるトリアジン基は１価の置換基を有していてもよい（１価の置換基は前述の置換基群Ａと同義であり好ましいものも同様である。）。
【００９８】
一般式（Ａ−Ｉ）で表される化合物は、下記一般式（Ａ−ＩＩ）で表される化合物であることが好ましく、下記一般式（Ａ−ＩＩＩ）で表される化合物であることが更に好ましい。
【００９９】
【化２０】
2014152231.tif 000021
【０１００】
（一般式（Ａ−ＩＩ）中、Ｒ４は置換基を表し、Ｒ５は−ＯＲ６又は−ＮＨＲ７を表し、Ｒ６及びＲ７は水素原子又は置換基を表し、Ｘ３は２価の連結基を表し、ｎ０は０又は１であり、Ａｒ３は２価のヘテロ環基を表し、Ａ１はイオン性親水性基を表し、ｎ１は０〜２を表す。）
【０１０１】
一般式（Ａ−ＩＩ）におけるＲ４、Ｒ５、Ａｒ３、ｎ０及びＸ３は、前記一般式（Ａ−Ｉ）におけるＲ４、Ｒ５、Ａｒ３、ｎ０及びＸ３と同義であり好ましいものも同様である。
Ａ１で表されるイオン性親水性基は、−ＳＯ３Ｍ又は−ＣＯ２Ｍが好ましく、−ＳＯ３Ｍがより好ましく、−ＣＯ２Ｋが特に好ましい。Ｍはそれぞれ独立に、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましく、カリウム塩又はカリウム塩を主成分とする混合塩が更に好ましく、カリウム塩が最も好ましい。
【０１０２】
一般式（Ａ−ＩＩＩ）：
【化２１】
2014152231.tif 000022
【０１０３】
（一般式（Ａ−ＩＩＩ）中、Ｒ２０はアルキレン基、−Ｓ−、又はこれらの組み合わせからなる連結基を表し、Ｒ２１はイオン性親水性基を表し、Ｒ１１はアルキル基を表し、Ｒ１２はアミノ基を表す。）
【０１０４】
Ｒ２０は、前記一般式（Ａ−Ｉ）のＸ３で表される二価の連結基におけるアルキレン基と同義であり好ましいものも同様である。
Ｒ２１はカルボキシル基（−ＣＯ２Ｍ）を表し、Ｍはそれぞれ独立に、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましく、カリウム塩又はカリウム塩を主成分とする混合塩が更に好ましく、カリウム塩が最も好ましい。
Ｒ１１で表されるアルキル基及びＲ１２で表されるアミノ基は、それぞれ、前記一般式（Ａ−Ｉ）のＲ４、Ｒ５におけるアルキル基及びアミノ基と同義であり好ましいものも同様である。
【０１０５】
前記一般式（Ａ−Ｉ）、（Ａ−ＩＩ）又は（Ａ−ＩＩＩ）で表される化合物の具体例を以下に示すが、本発明に用いられる化合物は、下記の例に限定されるものではない。なお、具体例中、Ｅｔはエチルを、Ｐｈはフェニルを、それぞれ意味する。
【０１０６】
【化２２】
2014152231.tif 000023
【０１０７】
【化２３】
2014152231.tif 000024
【０１０８】
【化２４】
2014152231.tif 000025
【０１０９】
【化２５】
2014152231.tif 000026
【０１１０】
【化２６】
2014152231.tif 000027
【０１１１】
【化２７】
2014152231.tif 000028
【０１１２】
【化２８】
2014152231.tif 000029
【０１１３】
【化２９】
2014152231.tif 000030
【０１１４】
一般式（Ａ−Ｉ）〜（Ａ−ＩＩＩ）で表される化合物は、一般的な合成法で合成することが可能であり、例えば特開２００４−０８３９０３公報中に記載のジアゾ成分及びカップリング成分を変更、種々組み合わせることで合成することができる。
【０１１５】
［一般式（Ｂ−Ｉ）又は（Ｂ−Ｖ）で表される化合物］
本発明のインクセットにおいて、前記一般式（Ａ−Ｉ）で表される化合物を含有するインク組成物（好ましくはイエローインク組成物）は、一般式（Ａ−Ｉ）で表される化合物（第１の色材）と共に、第２の色材として、前記一般式（Ｂ−Ｉ）で表される化合物及び前記一般式（Ｂ−Ｖ）で表される化合物より選択される少なくとも１種を含有する。
【０１１６】
このように、一般式（Ａ−Ｉ）で表される第１の色材と一般式（Ｂ−Ｉ）及び一般式（Ｂ−Ｖ）より選択される第２の色材とを組み合わせて用いることで相乗効果が発揮され、以下のような効果を得ることができる。すなわち、これらの色材を含有させることで、高い着色力を有するイエローインク組成物とすることができるだけではなく、更に耐光性に優れた画像を与え、加えて、所望の色相を発現することができる。
【０１１７】
（一般式（Ｂ−Ｉ）で表される化合物）
【化３０】
2014152231.tif 000031
【０１１８】
（一般式（Ｂ−Ｉ）中、Ｒ１は水素原子又は置換基を表し、Ｒ２は置換基を表し、Ｒ３はイオン性親水性基又は環を形成してもよいアルキル基を表し、ｎ４は０〜４であり、ｎ５は２〜５である。）
【０１１９】
以下、一般式（Ｂ−Ｉ）について詳細に説明する。
一般式（Ｂ−Ｉ）中、Ｒ１、及びＲ２で表される置換基としては、それぞれ独立に、置換されていてもよいアルキル、置換されていてもよいアルコキシ、置換されていてもよいアリール、置換されていてもよい複素環式基、−ＮＲ８Ｒ９、−ＮＨＣＯＲ８、−ＮＨＣＯＮＲ８Ｒ９、−Ｃ（Ｏ）Ｒ８、−Ｃ（Ｏ）ＯＲ８、−Ｃ（Ｏ）ＮＲ８Ｒ９、−ＰＯ３Ｈ２、−ＳＲ８、−ＳＯ２Ｒ８、−ＳＯ２ＮＲ８Ｒ９、−ＳＯＲ８、−ＳＯ３Ｈ、−ＣＦ３、−ＣＮ、−ＮＯ２、ヒドロキシまたはハロゲンが挙げられる。ここにおいて、Ｒ８およびＲ９は、それぞれ独立して、Ｈ、置換されていてもよい炭素原子数１〜８のアルキル基、置換されていてもよいアリール基（例えばフェニル基）、置換されていてもよい複素環式基であるか、またはＲ８およびＲ９は、それらが結合している窒素原子と一緒に、置換されていてもよい五員環または六員環（例えば、ピペリジン、ピロリドン、ピリジン、ピペリザイン（ｐｉｐｅｒｉｚｉｎｅ）またはモルホリン）を形成することができる。
【０１２０】
Ｒ３で表されるイオン性親水性基は、−ＳＯ３Ｍ又は−ＣＯ２Ｍが好ましく、−ＳＯ３Ｍがより好ましい。Ｍはそれぞれ独立に、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましい。Ｒ３で表されるイオン性親水性基は、スルホ基であることが好ましく、スルホ基のカリウム塩であることが更に好ましい。
【０１２１】
Ｒ３で表されるアルキル基としては、置換基を有していてもよく、炭素原子数１〜４のアルキル基であることが好ましく、ヒドロキシ、ハロゲン、カルボキシまたはスルホ基などで置換されていてもよいメチル、エチル、プロピル、イソプロピル、ブチル、ｓｅｃ−ブチルを挙げることができる。例としては、限定されるものではないが、トリフルオロメチル、ヒドロキシエチル、スルホプロピルおよびカルボキシエチルが挙げられる。
【０１２２】
Ｒ３で表されるアルキル基が互いに結合して環を形成する場合の環としては置換されていてもよいアリール基又は置換されていてもよいヘテロ環基が挙げられ、該アリール基及びヘテロ環としては、前述の置換基群Ａにおけるアリール基及びヘテロ環基が挙げられ、互いに結合して形成する環としては、例えばベンゼン環、ナフタレン環が挙げられ、ベンゼン環であることが好ましい。
また、Ｒ３で表されるアルキル基が互いに結合して形成した環は、スルホン酸基で置換されていることが好ましい。
【０１２３】
一般式（Ｂ−Ｉ）中、Ｒ１、及びＲ２が、置換されていてもよいアルコキシである場合、それは、好ましくは置換されていてもよい炭素原子数１〜８のアルコキシ、より好ましくは炭素原子数１〜４のアルコキシ、例えば、ヒドロキシ、ハロゲンまたはカルボキシ基で置換されていてもよいメトキシ、エトキシ、プロポキシ、イソプロポキシ、ブトキシである。例としては、限定されるものではないが、カルボキシプロピルオキシ、カルボキシエトキシ、ヒドロキシエトキシまたはクロロエトキシが挙げられる。
【０１２４】
一般式（Ｂ−Ｉ）中、Ｒ１、及びＲ２が、置換されていてもよいアリール基である場合、置換されていてもよいフェニルであることが好ましい。アリール環上の所望による置換基としては、例えば、炭素原子数１〜８のアルキル、炭素原子数１〜８のアルコキシ、−ＮＲ８Ｒ９、−ＮＨＣＯＲ８、−ＮＨＣＯＮＲ８Ｒ９、−Ｃ（Ｏ）Ｒ８、−Ｃ（Ｏ）ＯＲ８、−Ｃ（Ｏ）ＮＲ８Ｒ９、−ＰＯ３Ｈ２、−ＳＲ８、−ＳＯ２Ｒ８、−ＳＯ２ＮＲ８Ｒ９、−ＳＯＲ８、−ＳＯ３Ｈ、−ＣＦ３、−ＣＮ、−ＮＯ２、ヒドロキシまたはハロゲンが挙げられ、ここにおいて、Ｒ８およびＲ９は先に記載したとおりである。例としては、限定されるものではないが、カルボキシフェニル、スルホフェニル、ニトロフェニルおよびクロロフェニルが挙げられる。
【０１２５】
一般式（Ｂ−Ｉ）中、Ｒ１、及びＲ２が、置換されていてもよい複素環式基である場合、それは、好ましくは置換されていてもよい脂肪族複素環式基または置換されていてもよい芳香族複素環式基のいずれか、例えば、置換されていてもよいチオフェン、ピラゾール、トリアゾール、チアジアゾール、チアゾール、イミダゾール、ピリジン、ピロリドン、ピペリザイン、モルホリンまたはピリミジンである。複素環式環上の所望による置換基としては、例えば、炭素原子数１〜８のアルキル、−ＮＲ８Ｒ９、−ＮＨＣＯＲ８、−ＮＨＣＯＮＲ８Ｒ９、−Ｃ（Ｏ）ＯＲ８、−Ｃ（Ｏ）ＮＲ８Ｒ９、−ＳＲ８、−ＳＯ２Ｒ８、−ＳＯ２ＮＲ８Ｒ９、−ＳＯＲ８、−ＳＯ３Ｈ、−ＣＦ３、−ＣＮ、−ＮＯ２、ヒドロキシまたはハロゲンが挙げられ、ここにおいて、Ｒ８およびＲ９は先に記載したとおりである。例としては、限定されるものではないが、カルボキシトリアゾール、クロロピリジルおよびシアノチオフェンが挙げられる。
【０１２６】
一般式（Ｂ−Ｉ）中、Ｒ１、及びＲ２はそれぞれ独立に、水素原子、ヒドロキシル基、置換されていてもよい炭素原子数１〜４のアルキル基（好ましくはメチル基またはエチル基）、置換されていてもよい炭素原子数１〜４のアルコキシ基（好ましくはメトキシ基またはエトキシ基）、−ＮＲ８Ｒ９−ＳＯ２ＮＲ８Ｒ９または−ＮＨＣＯＮＲ８Ｒ９であり、ここにおいて、Ｒ８およびＲ９は上記のとおりであるが、より好ましくは、Ｒ８はＨであり、Ｒ９は、Ｈ、置換されていてもよい炭素原子数１〜４のアルキル基（好ましくはメチル基またはエチル基）またはアリール基（好ましくはフェニル基）である。
【０１２７】
Ｒ１、及びＲ２それぞれ独立に、水素原子、ヒドロキシル基、炭素原子数１〜４のアルキル基、炭素原子数１〜４のアルコキシ基、カルボン酸基、−ＮＲ８Ｒ９またはＮＨＣＯＮＨ２であることが好ましい。
【０１２８】
Ｒ１はより好ましくは、ヒドロキシル基、又は−ＮＲ８Ｒ９である。好ましくはＲ８はＨであり、Ｒ９は、Ｈ、置換されていてもよい炭素原子数１〜４のアルキル基（好ましくはメチル基またはエチル基）であり、より好ましくはＲ８はＨであり、Ｒ９はヒドロキシル基で置換された炭素原子数１〜４のアルキル基（好ましくはメチル基またはエチル基）である。
【０１２９】
Ｒ２はより好ましくは、水素原子、炭素原子数１〜４のアルキルまたはカルボン酸であり、更に好ましくは、特に良好な溶解度、耐光堅牢度および耐オゾン堅牢度を有することからカルボン酸である。
【０１３０】
ｎ４は０〜４であり、１〜４であることが好ましく、１〜２であることがより好ましい。
ｎ５は２〜５であり、２〜４であることが好ましく、２〜４であることがより好ましく、２〜３であることが更に好ましい。水性液体媒体中での一般式（Ｂ−Ｉ）の化合物の溶解度が改善されるためである。
【０１３１】
一般式（Ｂ−Ｉ）で表される化合物は、下記一般式（Ｂ−ＩＩ）で表される化合物または下記一般式（Ｂ−ＩＩＩ）で表される化合物であることが好ましい。
【０１３２】
【化３１】
2014152231.tif 000032
【０１３３】
（一般式（Ｂ−ＩＩ）中、Ｒ１は水素原子又は置換基を表し、Ｒ２は置換基を表し、Ａ２はイオン性親水性基を表し、ｎ４は０〜４であり、ｎ２は２〜４を表す。）
【０１３４】
Ａ２で表されるイオン性親水性基は、−ＳＯ３Ｍ又は−ＣＯ２Ｍが好ましく、−ＳＯ３Ｍがより好ましい。Ｍはそれぞれ独立に、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましい。Ａ２で表されるイオン性親水性基は、スルホ基であることが好ましく、スルホ基のカリウム塩であることが更に好ましい。
一般式（Ｂ−ＩＩ）におけるＲ１、及びＲ２は一般式（Ｂ−Ｉ）におけるＲ１、及びＲ２と同義であり好ましいものも同様である。
ｎ４は０〜４であり、１〜４であることが好ましく、１〜２であることがより好ましい。
ｎ２は２〜４であることが好ましく、２〜４であることがより好ましく、２〜３であることが更に好ましい。水性液体媒体中での一般式（Ｂ−ＩＩ）の化合物の溶解度が改善されるためである。
【０１３５】
【化３２】
2014152231.tif 000033
【０１３６】
（一般式（Ｂ−ＩＩＩ）中、Ｒ１は水素原子又は置換基を表し、Ｒ２は置換基を表し、Ａ３はイオン性親水性基を表し、ｎ４は０〜４であり、ｎ３は２〜４を表す。）
【０１３７】
Ａ３で表されるイオン性親水性基は、−ＳＯ３Ｍ又は−ＣＯ２Ｍが好ましく、−ＳＯ３Ｍがより好ましい。Ｍはそれぞれ独立に、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましい。Ａ３で表されるイオン性親水性基は、スルホ基であることが好ましく、スルホ基のカリウム塩であることが更に好ましい。
【０１３８】
一般式（Ｂ−ＩＩＩ）におけるＲ１、及びＲ２は一般式（Ｂ−Ｉ）におけるＲ１、及びＲ２と同義であり好ましいものも同様である。
ｎ４は０〜４であり、１〜４であることが好ましく、１〜２であることがより好ましい。
ｎ３は２〜４であることが好ましく、２〜４であることがより好ましく、２〜３であることが更に好ましい。水性液体媒体中での一般式（Ｂ−ＩＩＩ）の化合物の溶解度が改善されるためである。
【０１３９】
一般式（Ｂ−ＩＩＩ）で表される化合物は、下記一般式（Ｂ−ＩＶ）で表される化合物であることが更に好ましい。
【０１４０】
【化３３】
2014152231.tif 000034
【０１４１】
（一般式（Ｂ−ＩＶ）中、Ｒ８はヒドロキシル基、又は−ＮＲ８Ｒ９を表す。Ｒ９はそれぞれ独立に水素原子、ヒドロキシル基、炭素原子数１〜４のアルキル基、炭素原子数１〜４のアルコキシ基、カルボン酸基、−ＮＲ８Ｒ９またはＮＨＣＯＮＨ２を表す。Ｒ８およびＲ９は、それぞれ独立して、Ｈ、置換されていてもよい炭素原子数１〜８のアルキル基、置換されていてもよいアリール基（例えばフェニル基）、置換されていてもよい複素環式基であるか、またはＲ８およびＲ９は、それらが結合している窒素原子と一緒に、置換されていてもよい五員環または六員環を形成することができる。Ｒ１０はそれぞれ独立にカルボキシル基又はスルホ基を表す。）
【０１４２】
Ｒ８およびＲ９が形成する五員環または六員環としては、例えば、ピペリジン、ピロリドン、ピリジン、ピペリザイン（ｐｉｐｅｒｉｚｉｎｅ）またはモルホリンが挙げられる。これらは置換基を有していてもよく、置換基の例としては、前記群Ａが挙げられる。Ｒ８で表されるアミノ基、Ｒ９で表されるアルキル基、アルコキシ基、スルホ基、アミノカルボニルアミノ基、及びＲ１０で表されるスルホ基は、前述の群Ａにおけるアミノ基、アルキル基、アルコキシ基、スルホ基、アミノカルボニルアミノ基、スルホ基と同義であり好ましいものも同様である。
【０１４３】
Ｒ１０はスルホ基であることが好ましく、スルホ基のカリウム塩であることが更に好ましい。
【０１４４】
一般式（Ｂ−Ｉ）〜（Ｂ−ＩＶ）で表される化合物は対称的または非対称的であることができる。
【０１４５】
次に本発明の上記一般式（Ｂ−Ｉ）〜（Ｂ−ＩＶ）で表される化合物の具体例を下記に示す。
【０１４６】
【化３４】
2014152231.tif 000035
【０１４７】
【化３５】
2014152231.tif 000036
【０１４８】
【化３６】
2014152231.tif 000037
【０１４９】
【化３７】
2014152231.tif 000038
【０１５０】
【表１】
2014152231.tif 000039
【０１５１】
【表２】
2014152231.tif 000040
【０１５２】
【表３】
2014152231.tif 000041
【０１５３】
一般式（Ｂ−Ｉ）〜（Ｂ−ＩＶ）で表される化合物は、一般的な合成法で合成することが可能であり、例えば特表２００８−５３７７５６号公報中に記載のジアゾ成分及びカップリング成分を変更、種々組み合わせることで合成することができる。
【０１５４】
（一般式（Ｂ−Ｖ）で表される化合物）
【化３８】
2014152231.tif 000042
【０１５５】
（一般式（Ｂ−Ｖ）中、Ｒ１３はそれぞれ独立に、水素原子又は置換基を表し、Ｒ１４はそれぞれ独立に、−ＯＲ１６、−ＮＨＲ１７又はシアノ基を表し、Ｒ１６及びＲ１７は水素原子又は置換基を表し、Ｘ１は置換若しくは無置換のアリール基又は置換若しくは無置換のトリアジン基を表し、ｎ６は０又は１であり、Ａｒ１はそれぞれ独立に、２価のヘテロ環基を表し、Ａｒ２はそれぞれ独立に、置換若しくは無置換のアルキル基、置換若しくは無置換のアリール基又はトリアジン基を表す。）
【０１５６】
Ｒ１３はそれぞれ独立に、水素原子、置換若しくは無置換のアルキル基、置換若しくは無置換のアルコキシ基、又は置換若しくは無置換のアリール基であることが好ましく、水素原子、メチル基、エチル基、ターシャリーブチル基、フェニル基、メトキシ基、エトキシ基であることがより好ましく、水素原子、又はターシャリーブチル基であることが更に好ましい。Ｒ１３がさらに置換基を有する場合の置換基としては、前記置換基群Ａが挙げられ、アルキル基、アリール基、ヘテロ環基、シアノ基、ヒドロキシル基、ニトロ基、又はアルコキシ基が好ましく、アルキル基、アリール基、又はヘテロ環基が更に好ましい。
Ｒ１４はそれぞれ、シアノ基であることが好ましい。
【０１５７】
Ａｒ１で表される２価のヘテロ環基としては、それぞれ独立に５員又は６員環のものが好ましく、それらは更に縮環していてもよい。また、芳香族ヘテロ環であっても非芳香族ヘテロ環であっても良い。
Ａｒ１で表される２価のヘテロ環基としては、例えば、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。中では芳香族ヘテロ環基が好ましく、その好ましい例を先と同様に例示すると、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールが挙げられる。チアジアゾールが最も好ましい。それらは置換基を有していても良く、置換基の例としては、前述の置換基群Ａと同じであり、アルキル基、アリール基、ヘテロ環基、シアノ基、ヒドロキシル基、ニトロ基、又はアルコキシ基が好ましく、アルキル基、アリール基、又はヘテロ環基が更に好ましい。
【０１５８】
Ａｒ２はそれぞれ独立に、置換若しくは無置換のアリール基であることが好ましく、置換若しくは無置換のフェニル基であることが更に好ましく、イオン性親水性基で置換されたフェニル基であることが特に好ましく、該イオン性親水性基は、−ＳＯ３Ｍ又は−ＣＯ２Ｍが好ましく、−ＣＯ２Ｍがより好ましい。Ｍはそれぞれ独立に、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましい。該イオン性親水性基は、カルボキシル基であることが好ましく、カルボキシル基のカリウム塩であることが更に好ましい。
【０１５９】
Ｘ１で表される二価の連結基は、アルキレン基（例、メチレン、エチレン、プロピレン、ブチレン、ペンチレン）、アルケニレン基（例、エテニレン、プロぺニレン）、アルキニレン基（例、エチニレン、プロピニレン）、アリーレン基（例、フェニレン、ナフチレン）、二価のヘテロ環基（例、６−クロロ−１，３，５−トリアジン−２，４−ジイル基、ピリミジン−２，４−ジイル基、キノキサリン−２，３−ジイル基）、−Ｏ−、−ＣＯ−、−ＮＲＡ−（ＲＡは水素原子、アルキル基又はアリール基）、−Ｓ−、−ＳＯ２−、−ＳＯ−又はこれらの組み合わせであることが好ましい。これらは更に−ＯＲ２０（Ｒ２０は水素原子又はカチオンを表し、Ｍがカチオンを表す場合はＬｉ＋イオン、Ｎａ＋イオン、Ｋ＋イオン又はＮＨ４＋イオンを表す。）により置換されていてもよい。より好ましくは二価のヘテロ環基であり、特に好ましくは、−１，３，５−トリアジン−２，４−ジイル基であり、−ＯＲ２０で置換されていることがより好ましい。
ｎ６は１であることが好ましい。
【０１６０】
一般式（Ｂ−Ｖ）で表される化合物は、下記一般式（Ｂ−ＶＩ）で表される化合物であることが好ましく、下記一般式（Ｂ−ＶＩＩ）で表される化合物であることが更に好ましい。
【０１６１】
【化３９】
2014152231.tif 000043
【０１６２】
（一般式（Ｂ−ＶＩ）中、Ｒ１３はそれぞれ独立に、水素原子又は置換基を表し、Ｒ１４はそれぞれ独立に、−ＯＲ１６、−ＮＨＲ１７又はシアノ基を表し、Ｒ１６及びＲ１７は水素原子又は置換基を表し、Ｘ１は置換若しくは無置換のアリール基又は置換若しくは無置換のトリアジン基を表し、ｎ０は０又は１であり、Ａｒ１はそれぞれ独立に、２価のヘテロ環基を表し、Ａ４はそれぞれ独立に、イオン性親水性基を表し、ｎ７は０〜２を表す。）
【０１６３】
一般式（Ｂ−ＶＩ）におけるＡｒ１、Ｒ１３、Ｒ１４、ｎ６及びＸ１は一般式（Ｂ−Ｖ）におけるＡｒ１、Ｒ１３、Ｒ１４、ｎ６及びＸ１と同義であり好ましいものも同様である。
Ａ４が表すイオン性親水性基は、−ＳＯ３Ｍ又は−ＣＯ２Ｍが好ましく、−ＳＯ３Ｍがより好ましく、−ＣＯ２Ｋが特に好ましい。Ｍはそれぞれ独立に、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましく、カリウム塩又はカリウム塩を主成分とする混合塩が更に好ましく、カリウム塩が最も好ましい。
ｎ７は１又は２であることが好ましく、２であることがより好ましい。
【０１６４】
【化４０】
2014152231.tif 000044
【０１６５】
（一般式（Ｂ−ＶＩＩ）中、Ｒ１５は−ＯＭを表し、Ｒ２０は−ＣＯ２Ｍを表し、Ｍは水素原子又は一価のカウンターカチオンを表す。Ｒ２１は置換若しくは無置換のアルキル基を表し、Ｒ１３はそれぞれ独立に、水素原子又は置換基を表し、Ｒ１８は置換若しくは無置換のアミノ基を表し、Ｒ１９はシアノ基を表す。）
【０１６６】
一般式（Ｂ−ＶＩＩ）におけるＲ１３及びＭは、一般式（Ｂ−Ｖ）におけるＲ１３及びＭと同義であり好ましいものも同様である。
Ｒ２１はそれぞれ独立に、水素原子、置換若しくは無置換のアルキル基、置換若しくは無置換のアルコキシ基、又は置換若しくは無置換のアリール基であることが好ましく、水素原子、メチル基、エチル基、ターシャリーブチル基、フェニル基、メトキシ基、エトキシ基であることがより好ましく、水素原子、又はターシャリーブチル基であることが更に好ましい。Ｒ２１がさらに置換基を有する場合の置換基としては、前記置換基群Ａが挙げられ、アルキル基、アリール基、ヘテロ環基、シアノ基、ヒドロキシル基、ニトロ基、又はアルコキシ基が好ましく、アルキル基、アリール基、又はヘテロ環基が更に好ましい。
一般式（Ｂ−ＶＩＩ）におけるＲ１８は無置換のアミノ基であることが好ましい。
次に上記一般式（Ｂ−Ｖ）〜（Ｂ−ＶＩＩ）で表される化合物の具体例を下記に示す。
【０１６７】
【化４１】
2014152231.tif 000045
【０１６８】
【化４２】
2014152231.tif 000046
【０１６９】
【化４３】
2014152231.tif 000047
【０１７０】
上記化合物については、特開２００６−５７０７６号公報、特開２００７−２１７６８１号公報に記載の合成法により合成される。
【０１７１】
〔色材の含有量〕
本発明のインクセットにおいて、前記一般式（Ａ−Ｉ）で表される化合物（第１の色材）と、前記一般式（Ｂ−Ｉ）で表される化合物及び前記一般式（Ｂ−Ｖ）で表される化合物より選択される少なくとも１種（第２の色材）とを含有するインク組成物（イエローインク組成物）は、前記第１の色材（染料）及び第２の色材（染料）とを含有し、例えば水性媒体中に前記第１の色材及び第２の色材を溶解してなることが好ましい。
一般式（Ａ−Ｉ）で表される染料（第１の色材）の含有量は、インク組成物全量に対し、好ましくは、０．１〜８質量％であり、より好ましくは、０．５〜７．５質量％であり、更に好ましくは１．０〜７質量％である。当該染料を使用することで、得られる画像のにじみや色移りを抑制することができ、また良好な色相や色濃度を有する品質とすることができる。更に、一般的なアゾ染料に比して、光、熱、空気、水、薬品等に対する堅牢性に優れるため、インク及び記録画像の保存安定性に寄与する。
【０１７２】
一般式（Ｂ−Ｉ）又は一般式（Ｂ−Ｖ）で表される染料（第２の色材）の含有量は、インク組成物全量に対し、好ましくは、０．１〜８質量％であり、より好ましくは、０．５〜７．５質量％であり、更に好ましくは１〜７質量％である。当該第２の色材を第１の色材と組み合わせて使用することで、所望の色相を得ることができる。
なお、この場合の第２の色材の含有量は、下記のようにすることがより好ましい。一般式（Ｂ−Ｉ）で表される化合物を単独で用いる場合はその含有量が、また、一般式（Ｂ−Ｉ）で表される化合物及び一般式（Ｂ−Ｖ）で表される化合物のうち、２種以上を併用する場合はその合計含有量が、それぞれ上記の範囲を満足するように構成することが好ましい。第１の色材及び第２の色材の含有量を上述の範囲とすることで、それぞれ単独の色材を用いた場合には発現できなかった領域での発色が可能となった。さらに、画像の対光性と色調を満足させるだけではなく、色濃度や色再現性といったインクの性能も満足させることが可能となる。
【０１７３】
また上記インク組成物は、インクジェット記録用インクであることが好ましい。すなわち、本発明はインクジェット記録用インクセットにも関する。インクジェット記録用インクにおける一般式（Ａ−Ｉ）で表される第１の色材及び一般式（Ｂ−Ｉ）及び一般式（Ｂ−Ｖ）より選択される第２の色材の含有量は、上記インク組成物中における含有量と同様である。
上記インクジェット記録用インクは、インクジェット記録用インクの原液を水等により希釈して調製してもよい。またインクジェット記録用インクには、インク組成物が含有していてもよい後述の成分を同様に含ませることができる。
【０１７４】
インク組成物中における一般式（Ａ−Ｉ）で表される第１の色材の含有量は、第２の色材の含有量に対して、質量比率（第１の色材の質量／第２の色材の質量）で、０．１以上１０．０以下であることが好ましい。色材の含有量の質量比率を上記範囲となるように構成することで、予測される性能をはるかに上回る所望の色相を発現することができる。
本発明においては更に、第１の色材の含有量は、第２の色材の含有量に対して、質量比率（第１の色材の質量／第２の色材の質量）で、０．１以上８．０以下であることがより好ましく、０．２以上６．０以下であることが更に好ましい。この割合とすることで、堅牢性及び印字濃度等の点でより優れた効果を得ることができ、加えて、インクとしての信頼性も十分に満足することが可能となる。
【０１７５】
質量比率が０．１以上であると、インク溶液の保存安定性が向上し、１０．０以下であれば、インク組成物の水溶液安定性に優れる。色材の含有量の質量比率を上記範囲となるように構成することで、第１の色材が有する色相・色濃度と、第２の色材が有する色相・色濃度との組み合わせから予測される性能を上回る高いレベルの色相・色濃度の制御を達成することができる。また、好ましい色相の画像が得られ、インクとしての信頼性も満足できる。
【０１７６】
第１の色材と第２の色材とを併用することで、相乗効果が発揮され、予測を上回る色相・色濃度の制御を達成できる理由を本発明者らは以下のように推測している。第１の色材は、もともと水性媒体に対する溶解性が低い傾向があるため、これらの化合物を含有するインク組成物を用いたインクを記録媒体に付与すると、その直後から速やかに色材の会合や凝集が起こる。会合や凝集は、画像を形成している記録媒体上の色材の堅牢性を向上させる傾向がある。しかし、その一方で、過度の会合や凝集は、水溶液及びインク溶液への溶解性を低下させ、色相・色濃度を低下させる場合がある。これに対し、第１の色材と第２の色材とを共存させることで第１の色材と第２の色材とで適度な会合・凝集が起こり、記録媒体上で、第１の色材と第２の色材が色相・色濃度に関して最適な会合や凝集の状態を形成し、これにより、画像の色相・色濃度が向上したものと考えられる。このメカニズムは堅牢性（耐光性、耐オゾン性）の向上にも当てはまる。
【０１７７】
また、第１の色材と第２の色材とを特定の質量比率で用いることで、相乗効果が発揮され、インク組成物を用いたインクの信頼性が達成される理由を本発明者らは以下のように推測している。上記で述べた通り、インク中には、インクカートリッジやインク供給経路を構成する部材から溶出したと考えられる不純物が混入し、インク供給経路の目詰まりやインク供給特性の低下、インク保存安定性の低下の原因となる場合がある。本発明者らは検討の結果、第一の色材構造に類似の第二の色材をインク中に共存させることにより、インクの着色力を低下させること無く、第一の色材の結晶化抑制を付与することができ、インクの貯蔵安定性を大幅に向上させることができたと考えている。つまり、色材として第１の色材のみを使用することでは達成が困難であったインクの信頼性に関して、第２の色材を併用することにより、予想を上回る効果が得られ、十分な信頼性を達成することができるのである。
【０１７８】
また、インク組成物中の第１の色材と、第２の色材との含有量の合計（質量％）が、インク組成物全質量を基準として、０．１質量％以上２０．０質量％以下であることが好ましく、特に２．０質量％以上１５．０質量％以下であることが好ましい。含有量の合計が２．０質量％以上であれば、耐光性及び発色性が十分に得られ、含有量の合計が１５．０質量％以下であれば、インク中に不溶物の析出等が無くインクジェット吐出特性に優れる。
【０１７９】
上記インク組成物は、インク原料として、着色剤を高い濃度で含む濃厚水溶液とすることができる。濃厚水溶液の着色剤濃度は１５質量％以下、好ましくは１２質量％以下であることが染料の経時安定性、取り扱いの容易さ（粘度）の点で好ましく、染料の経時安定性の向上や輸送コストの抑制の観点から、８質量％以上の濃度であることが好ましい。
また、上記インク組成物は、インクジェット用インクとすることもできる。インクジェット用インクの着色剤濃度はインク粘度や、印画物の濃度の点で、１〜１２質量％が好ましく、２〜８質量％がより好ましく、３〜６質量％が特に好ましい。３質量％以上とすることで紙上に明瞭な印字を行うことができ、６質量％以下とすることで、高濃度によるインクの析出やそれによるプリンタからの印字不良を防ぐことができる。また、高濃度では、紙に印刷した際に金属光沢が生じたり、粘度が上がることにより均一にインクが印字されなくなる問題が生じる。
【０１８０】
前記した第１の色材と第３の色材とを特定の質量比で用いることで、相乗効果が発揮され、予測を上回る耐水性、耐光性、耐オゾン性、色調、濃度、紙依存性も改良が得られる理由は明確には明らかではないが、本発明者らは以下のように推測している。
【０１８１】
一般式（Ａ−Ｉ）で表される化合物は、分子間相互作用が働き易く、もともと水への溶解性が低い。そのため、これらの化合物を含有するインクを記録媒体に付与すると、その直後から速やかに水溶性染料の会合や凝集、或いは受像層構成素材との相互作用も起こり易い。会合や凝集は、画像を形成している記録媒体上の水溶性染料の堅牢性を向上させる傾向があるため好ましいが、一方で、過度の会合や凝集は、化合物本来の耐光性の能力を低下させる場合がある。これに対して、一般式（Ｂ−Ｉ）及び一般式（Ｂ−Ｖ）より選択される化合物が堅牢性や浸透性に関して最適な会合や凝集の状態を形成し、受像層構成素材との相互作用をも適度に抑制するため、印字濃度までもが、これにより向上したものと考えられる。
【０１８２】
なお、上記インクジェット用インクはイエローインクであるが、イエローインクとして好ましい色調とは、以下の二つのことを意味する。すなわち、イエローインクのみを用いて形成した画像が赤味や緑味を帯びていないことを意味する。更に、これに加えて、イエローインクを用いて形成する２次色の画像、つまりレッド領域やグリーン領域の画像を形成する際に、レッド領域及びグリーン領域の色域をいずれも大きく損失することがない色調を有することを意味する。より具体的には、イエローインクのみを用いて形成した画像の色相角が、８５°以上９２°以下、更には８８°以上９０°以下であることが好ましい。
【０１８３】
本発明のインク組成物（好ましくはインクジェット記録用インク）には、前記一般式（Ａ−Ｉ）で表される第１の色材及び前記一般式（Ｂ−Ｉ）で表される第２の色材とともに、色調を整えるためや性能のバランスをとるために他の染料を併用してもよい。また、フルカラーの画像を得る目的で、本発明のインク組成物とともに他の染料や色素を含むインクを併用してもよい。併用することが出来る染料や色素の例としては以下を挙げることが出来る。
【０１８４】
イエロー染料としては、例えばカップリング成分としてフェノール類、ナフトール類、アニリン類、ピラゾロン類、ピリドン類、開鎖型活性メチレン化合物類を有するアリール若しくはヘテリルアゾ染料；例えばカップリング成分として開鎖型活性メチレン化合物類を有するアゾメチン染料；例えばベンジリデン染料やモノメチンオキソノール染料等のようなメチン染料；例えばナフトキノン染料、アントラキノン染料等のようなキノン系染料などがあり、これ以外の染料種としてはキノフタロン染料、ニトロ・ニトロソ染料、アクリジン染料、アクリジノン染料等を挙げることができる。これらの染料は、クロモフォアの一部が解離して初めてイエローを呈するものであってもよく、その場合のカウンターカチオンはアルカリ金属や、アンモニウムのような無機のカチオンであってもよいし、ピリジニウム、４級アンモニウム塩のような有機のカチオンであってもよく、更にはそれらを部分構造に有するポリマーカチオンであってもよい。
【０１８５】
マゼンタ染料としては、例えばカップリング成分としてフェノール類、ナフトール類、アニリン類を有するアリール若しくはヘテリルアゾ染料；例えばカップリング成分としてピラゾロン類、ピラゾロトリアゾール類を有するアゾメチン染料；例えばアリーリデン染料、スチリル染料、メロシアニン染料、オキソノール染料のようなメチン染料；ジフェニルメタン染料、トリフェニルメタン染料、キサンテン染料のようなカルボニウム染料、例えばナフトキノン、アントラキノン、アントラピリドンなどのようなキノン系染料、例えばジオキサジン染料等のような縮合多環系染料等を挙げることができる。これらの染料は、クロモフォアの一部が解離して初めてマゼンタを呈するものであってもよく、その場合のカウンターカチオンはアルカリ金属や、アンモニウムのような無機のカチオンであってもよいし、ピリジニウム、４級アンモニウム塩のような有機のカチオンであってもよく、更にはそれらを部分構造に有するポリマーカチオンであってもよい。
【０１８６】
シアン染料としては、例えばインドアニリン染料、インドフェノール染料のようなアゾメチン染料；シアニン染料、オキソノール染料、メロシアニン染料のようなポリメチン染料；ジフェニルメタン染料、トリフェニルメタン染料、キサンテン染料のようなカルボニウム染料；フタロシアニン染料；アントラキノン染料；例えばカップリング成分としてフェノール類、ナフトール類、アニリン類を有するアリール若しくはヘテリルアゾ染料、インジゴ・チオインジゴ染料を挙げることができる。これらの染料は、クロモフォアの一部が解離して初めてシアンを呈するものであってもよく、その場合のカウンターカチオンはアルカリ金属や、アンモニウムのような無機のカチオンであってもよいし、ピリジニウム、４級アンモニウム塩のような有機のカチオンであってもよく、更にはそれらを部分構造に有するポリマーカチオンであってもよい。
また、ポリアゾ染料などのブラック染料も使用することができる。
【０１８７】
水溶性染料としては、直接染料、酸性染料、食用染料、塩基性染料、反応性染料等が挙げられる。好ましいものとしては、
Ｃ．Ｉ．ダイレクトレッド２、４、９、２３、２６、３１、３９、６２、６３、７２、７５、７６、７９、８０、８１、８３、８４、８９、９２、９５、１１１、１７３、１８４、２０７、２１１、２１２、２１４、２１８、２１、２２３、２２４、２２５、２２６、２２７、２３２、２３３、２４０、２４１、２４２、２４３、２４７
Ｃ．Ｉ．ダイレクトバイオレット７、９、４７、４８、５１、６６、９０、９３、９４、９５、９８、１００、１０１
Ｃ．Ｉ．ダイレクトイエロー８、９、１１、１２、２７、２８、２９、３３、３５、３９、４１、４４、５０、５３、５８、５９、６８、８６、８７、９３、９５、９６、９８、１００、１０６、１０８、１０９、１１０、１３０、１３２、１４２、１４４、１６１、１６３
Ｃ．Ｉ．ダイレクトブルー１、１０、１５、２２、２５、５５、６７、６８、７１、７６、７７、７８、８０、８４、８６、８７、９０、９８、１０６、１０８、１０９、１５１、１５６、１５８、１５９、１６０、１６８、１８９、１９２、１９３、１９４、１９９、２００、２０１、２０２、２０３、２０７、２１１、２１３、２１４、２１８、２２５、２２９、２３６、２３７、２４４、２４８、２４９、２５１、２５２、２６４、２７０、２８０、２８８、２８９、２９１
Ｃ．Ｉ．ダイレクトブラック９、１７、１９、２２、３２、５１、５６、６２、６９、７７、８０、９１、９４、９７、１０８、１１２、１１３、１１４、１１７、１１８、１２１、１２２、１２５、１３２、１４６、１５４、１６６、１６８、１７３、１９９
Ｃ．Ｉ．アシッドレッド３５、４２、５２、５７、６２、８０、８２、１１１、１１４、１１８、１１９、１２７、１２８、１３１、１４３、１５１、１５４、１５８、２４９、２５４、２５７、２６１、２６３、２６６、２８９、２９９、３０１、３０５、３３６、３３７、３６１、３９６、３９７
Ｃ．Ｉ．アシッドバイオレット５、３４、４３、４７、４８、９０、１０３、１２６
Ｃ．Ｉ．アシッドイエロー１７、１９、２３、２５、３９、４０、４２、４４、４９、５０、６１、６４、７６、７９、１１０、１２７、１３５、１４３、１５１、１５９、１６９、１７４、１９０、１９５、１９６、１９７、１９９、２１８、２１９、２２２、２２７
Ｃ．Ｉ．アシッドブルー９、２５、４０、４１、６２、７２、７６、７８、８０、８２、９２、１０６、１１２、１１３、１２０、１２７：１、１２９、１３８、１４３、１７５、１８１、２０５、２０７、２２０、２２１、２３０、２３２、２４７、２５８、２６０、２６４、２７１、２７７、２７８、２７９、２８０、２８８、２９０、３２６
Ｃ．Ｉ．アシッドブラック７、２４、２９、４８、５２：１、１７２
Ｃ．Ｉ．リアクティブレッド３、１３、１７、１９、２１、２２、２３、２４、２９、３５、３７、４０、４１、４３、４５、４９、５５
Ｃ．Ｉ．リアクティブバイオレット１、３、４、５、６、７、８、９、１６、１７、２２、２３、２４、２６、２７、３３、３４
Ｃ．Ｉ．リアクティブイエロー２、３、１３、１４、１５、１７、１８、２３、２４、２５、２６、２７、２９、３５、３７、４１、４２
Ｃ．Ｉ．リアクティブブルー２、３、５、８、１０、１３、１４、１５、１７、１８、１９、２１、２５、２６、２７、２８、２９、３８
Ｃ．Ｉ．リアクティブブラック４、５、８、１４、２１、２３、２６、３１、３２、３４
Ｃ．Ｉ．ベーシックレッド１２、１３、１４、１５、１８、２２、２３、２４、２５、２７、２９、３５、３６、３８、３９、４５、４６
Ｃ．Ｉ．ベーシックバイオレット１、２、３、７、１０、１５、１６、２０、２１、２５、２７、２８、３５、３７、３９、４０、４８
Ｃ．Ｉ．ベーシックイエロー１、２、４、１１、１３、１４、１５、１９、２１、２３、２４、２５、２８、２９、３２、３６、３９、４０
Ｃ．Ｉ．ベーシックブルー１、３、５、７、９、２２、２６、４１、４５、４６、４７、５４、５７、６０、６２、６５、６６、６９、７１
Ｃ．Ｉ．ベーシックブラック８、等が挙げられる。
【０１８８】
更に上記インク組成物には、顔料も併用し得る。
本技術に用いられる顔料としては、市販のものの他、各種文献に記載されている公知のものが利用できる。文献に関してはカラーインデックス（Ｔｈｅ  Ｓｏｃｉｅｔｙ  ｏｆ
Ｄｙｅｒｓ  ａｎｄ  Ｃｏｌｏｕｒｉｓｔｓ編）、「改訂新版顔料便覧」日本顔料技術協会編（１９８９年刊）、「最新顔料応用技術」ＣＭＣ出版（１９８６年刊）、「印刷インキ技術」ＣＭＣ出版（１９８４年刊）、Ｗ．Ｈｅｒｂｓｔ，Ｋ．Ｈｕｎｇｅｒ共著によるＩｎｄｕｓｔｒｉａｌ  Ｏｒｇａｎｉｃ  Ｐｉｇｍｅｎｔｓ  （ＶＣＨ  Ｖｅｒｌａｇｓｇｅｓｅｌｌｓｃｈａｆｔ、１９９３年刊）等がある。具体的には、有機顔料ではアゾ顔料（アゾレーキ顔料、不溶性アゾ顔料、縮合アゾ顔料、キレートアゾ顔料）、多環式顔料（フタロシアニン系顔料、アントラキノン系顔料、ペリレン及びペリノン系顔料、インジゴ系顔料、キナクリドン系顔料、ジオキサジン系顔料、イソインドリノン系顔料、キノフタロン系顔料、ジケトピロロピロール系顔料等）、染付けレーキ顔料（酸性又は塩基性染料のレーキ顔料）、アジン顔料等があり、無機顔料では、黄色顔料のＣ．Ｉ．Ｐｉｇｍｅｎｔ  Ｙｅｌｌｏｗ  ３４，３７，４２，５３など、赤系顔料のＣ．Ｉ．Ｐｉｇｍｅｎｔ  Ｒｅｄ  １０１，１０８など、青系顔料のＣ．Ｉ．Ｐｉｇｍｅｎｔ  Ｂｌｕｅ  ２７，２９，１７：１など、黒系顔料のＣ．Ｉ．Ｐｉｇｍｅｎｔ  Ｂｌａｃｋ  ７，マグネタイトなど、白系顔料のＣ．Ｉ．  Ｐｉｇｍｅｎｔ  Ｗｈｉｔｅ  ４，６，１８，２１などを挙げることができる。
【０１８９】
画像形成用に好ましい色調を持つ顔料としては、青ないしシアン顔料ではフタロシアニン顔料、アントラキノン系のインダントロン顔料（たとえばＣ．Ｉ．Ｐｉｇｍｅｎｔ  Ｂｌｕｅ  ６０など）、染め付けレーキ顔料系のトリアリールカルボニウム顔料が好ましく、特にフタロシアニン顔料（好ましい例としては、Ｃ．Ｉ．Ｐｉｇｍｅｎｔ  Ｂｌｕｅ  １５：１、同１５：２、同１５：３、同１５：４、同１５：６などの銅フタロシアニン、モノクロロないし低塩素化銅フタロシアニン、アルニウムフタロシアニンでは欧州特許８６０４７５号に記載の顔料、Ｃ．Ｉ．Ｐｉｇｍｅｎｔ  Ｂｌｕｅ  １６である無金属フタロシアニン、中心金属がＺｎ、Ｎｉ、Ｔｉであるフタロシアニンなど、中でも好ましいものはＣ．Ｉ．Ｐｉｇｍｅｎｔ  Ｂｌｕｅ  １５：３、同１５：４、アルミニウムフタロシアニン）が最も好ましい。
【０１９０】
赤ないし紫色の顔料では、アゾ顔料（好ましい例としては、Ｃ．Ｉ．Ｐｉｇｍｅｎｔ  Ｒｅｄ  ３、同５、同１１、同２２、同３８、同４８：１、同４８：２、同４８：３、同４８：４、同４９：１、同５２：１、同５３：１、同５７：１、同６３：２、同１４４、同１４６、同１８４）など、中でも好ましいものはＣ．Ｉ．Ｐｉｇｍｅｎｔ  Ｒｅｄ  ５７：１、同１４６、同１８４）、キナクリドン系顔料（好ましい例としてはＣ．Ｉ．Ｐｉｇｍｅｎｔ  Ｒｅｄ  １２２、同１９２、同２０２、同２０７、同２０９、Ｃ．Ｉ．Ｐｉｇｍｅｎｔ  Ｖｉｏｌｅｔ  １９、同４２、なかでも好ましいものはＣ．Ｉ．Ｐｉｇｍｅｎｔ  Ｒｅｄ  １２２）、染め付けレーキ顔料系のトリアリールカルボニウム顔料（好ましい例としてはキサンテン系のＣ．Ｉ．Ｐｉｇｍｅｎｔ  Ｒｅｄ  ８１：１、Ｃ．Ｉ．Ｐｉｇｍｅｎｔ  Ｖｉｏｌｅｔ  １、同２、同３、同２７、同３９）、ジオキサジン系顔料（例えばＣ．Ｉ．Ｐｉｇｍｅｎｔ  Ｖｉｏｌｅｔ  ２３、同３７）、ジケトピロロピロール系顔料（例えばＣ．Ｉ．Ｐｉｇｍｅｎｔ  Ｒｅｄ  ２５４）、ペリレン顔料（例えばＣ．Ｉ．Ｐｉｇｍｅｎｔ  Ｖｉｏｌｅｔ  ２９）、アントラキノン系顔料（例えばＣ．Ｉ．Ｐｉｇｍｅｎｔ  Ｖｉｏｌｅｔ  ５：１、同３１、同３３）、チオインジゴ系（例えばＣ．Ｉ．Ｐｉｇｍｅｎｔ  Ｒｅｄ  ３８、同８８）が好ましく用いられる。
【０１９１】
黄色顔料としては、アゾ顔料（好ましい例としてはモノアゾ顔料系のＣ．Ｉ．Ｐｉｇｍｅｎｔ  Ｙｅｌｌｏｗ  １，３，７４，９８、ジスアゾ顔料系のＣ．Ｉ．ＰｉｇｍｅｎｔＹｅｌｌｏｗ  １２，１３，１４，１６，１７，８３、総合アゾ系のＣ．Ｉ．Ｐｉｇｍｅｎｔ  Ｙｅｌｌｏｗ  ９３，９４，９５，１２８，１５５、ベンズイミダゾロン系のＣ．Ｉ．Ｐｉｇｍｅｎｔ  Ｙｅｌｌｏｗ  １２０，１５１，１５４，１５６，１８０など、なかでも好ましいものはベンジジン系化合物を原料に使用しないもの）、イソインドリン・イソインドリノン系顔料（好ましい例としてはＣ．Ｉ．Ｐｉｇｍｅｎｔ  Ｙｅｌｌｏｗ  １０９，１１０，１３７，１３９など）、キノフタロン顔料（好ましい例としてはＣ．Ｉ．Ｐｉｇｍｅｎｔ  Ｙｅｌｌｏｗ  １３８など）、フラパントロン顔料（例えばＣ．Ｉ．Ｐｉｇｍｅｎｔ  Ｙｅｌｌｏｗ  ２４など）が好ましく用いられる。
【０１９２】
黒顔料としては、無機顔料（好ましくは例としてはカーボンブラック、マグネタイト）やアニリンブラックを好ましいものとして挙げることができる。
この他、オレンジ顔料（Ｃ．Ｉ．Ｐｉｇｍｅｎｔ  Ｏｒａｎｇｅ  １３，１６など）や緑顔料（Ｃ．Ｉ．Ｐｉｇｍｅｎｔ  Ｇｒｅｅｎ  ７など）を使用してもよい。
【０１９３】
本技術に使用できる顔料は、上述の裸の顔料であっても良いし、表面処理を施された顔料でも良い。表面処理の方法には、樹脂やワックスを表面コートする方法、界面活性剤を付着させる方法、反応性物質（例えば、シランカップリング剤やエポキシ化合物、ポリイソシアネート、ジアゾニウム塩から生じるラジカルなど）を顔料表面に結合させる方法などが考えられ、次の文献や特許に記載されている。（１）  金属石鹸の性質と応用（幸書房）（２）  印刷インキ印刷（ＣＭＣ出版  １９８４）（３）  最新顔料応用技術（ＣＭＣ出版  １９８６）（４）  米国特許５，５５４，７３９号、同５，５７１，３１１号（５）特開平９−１５１３４２号、同１０−１４００６５号、同１０−２９２１４３号、同１１−１６６１４５号
特に、上記（４）の米国特許に記載されたジアゾニウム塩をカーボンブラックに作用させて調製された自己分散性顔料や、上記（５）の日本特許に記載された方法で調製されたカプセル化顔料は、インク中に余分な分散剤を使用することなく分散安定性が得られるため特に有効である。
【０１９４】
本発明においては、顔料は更に分散剤を用いて分散されていてもよい。分散剤は、用いる顔料に合わせて公知の種々のもの、例えば界面活性剤型の低分子分散剤や高分子型分散剤を用いることが出来る。分散剤の例としては特開平３−６９９４９号、欧州特許５４９４８６号等に記載のものを挙げることができる。また、分散剤を使用する際に分散剤の顔料への吸着を促進するためにシナジストと呼ばれる顔料誘導体を添加してもよい。
本技術に使用できる顔料の粒径は、分散後で０．０１〜１０μの範囲であることが好ましく、０．０５〜１μであることが更に好ましい。
顔料を分散する方法としては、インク製造やトナー製造時に用いられる公知の分散技術が使用できる。分散機としては、縦型あるいは横型のアジテーターミル、アトライター、コロイドミル、ボールミル、３本ロールミル、パールミル、スーパーミル、インペラー、デスパーサー、ＫＤミル、ダイナトロン、加圧ニーダー等が挙げられる。詳細は「最新顔料応用技術」（ＣＭＣ出版、１９８６）に記載がある。
【０１９５】
〔インクのｐＨ〕
上記インクは、インクの保存安定性及び吐出性の観点から、ｐＨが７．０以上１０．０以下であることが好ましい。
【０１９６】
〔水性媒体〕
上記インクには、水、又は水及び水溶性有機溶剤の混合溶媒である水性媒体を用いることができる。水は、脱イオン水（イオン交換水）を用いることが好ましい。インク中の水の含有量（質量％）は、インク全質量を基準として、１０．０質量％以上９０．０質量％以下であることが好ましい。
【０１９７】
〔水溶性有機溶剤〕
水溶性有機溶剤は、水溶性であれば特に制限はなく、アルコール、多価アルコール（グリコール類、ポリオール類などを含む）、ポリグリコール、グリコールエーテル、含窒素極性溶媒、含硫黄極性溶媒などを用いることができる。インクの吐出安定性などの観点から、インク中の水溶性有機溶剤の含有量（質量％）は、インク全質量を基準として、５．０質量％以上９０．０質量％以下が好ましく、更には１０．０質量％以上５０．０質量％以下であることが好ましい。
【０１９８】
水溶性有機溶剤は、具体的には、例えば、以下のものを用いることができる。
メチルアルコール、エチルアルコール、ｎープロピルアルコール、イソプロピルアルコール、ｎ−ブチルアルコール、ｓｅｃ−ブチルアルコール、ｔｅｒｔ−ブチルアルコールなどの炭素数１〜４のアルキルアルコール類。
ジメチルホルムアミド、ジメチルアセトアミドなどのアミド類。
アセトン、ジアセトンアルコールなどのケトン又はケトアルコール類。
テトラヒドロフラン、ジオキサンなどのエーテル類。
ポリエチレングリコール、ポリプロピレングリコールなどのポリアルキレングリコール類。
エチレングリコール、プロピレングリコール、ブチレングリコール、ジエチレングリコール、トリエチレングリコール、ヘキシレングリコール、チオジグリコールなどのグリコール類。
グリセリン、ヘキサントリオール、チオジグリコール、トリメチロールプロパンなどのポリオール類。
１，５−ペンタンジオール、１，６−ヘキサンジオール、２−メチルー１，３−プロパンジオール、３−メチルー１，５−ペンタンジオール、１，２，６−ヘキサントリオ−ルなどのアルキレン基が２〜６個の炭素原子を持つアルキレングリコール類。
ビス（２−ヒドロキシエチル）スルホン。
ポリエチレングリコールモノメチルエーテルアセテートなどの低級アルキルエーテルアセテート類。
エチレングリコールモノメチルエーテル、エチレングリコールモノエチルエーテル、ジエチレングリコールメチルエーテル、ジエチレングリコールエチルエーテル、トリエチレングリコールモノメチルエーテル、トリエチレングリコールモノエチルエーテル、エチレングリコールモノブチルエーテル、ジエチレングリコールモノブチルエーテル、トリエチレングリコールモノブチルエーテル、プロピレングリコールモノメチルエーテル、プロピレングリコールモノブチルエーテル、ジプロピレングリコールモノメチルエーテル、ポリエチレングリコールモノメチルエーテル、エチレングリコールモノイソプロピルエーテル、エチレングリコールモノイソブチルエーテル、ジエチレングリコールモノイソブチルエーテル、プロピレングリコールモノプロピルエーテルなどのグリコール誘導体を含む多価アルコールのアルキルエーテル類。
エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミンン、ジエチレントリアミン、トリエチレンテトラミン、ポリエチレンイミン、テトラメチルプロピレンジアミンなどのアミン類。
Ｎ−メチル−２−ピロリドン、２−ピロリドン、１，３−ジメチル−２−イミダゾリジノンなど。
勿論、本発明はこれらに限られるものではない。これらの水溶性有機溶剤は、必要に応じて１種又は２種以上を用いることができる。
【０１９９】
〔その他の添加剤〕
上記インクは、上記した成分以外にも必要に応じて、トリメチロールプロパン、トリメチロールエタンなどの多価アルコール類や、エチレン尿素などの尿素誘導体などの、常温で固体の水溶性有機化合物を含有してもよい。更に、上記インクは必要に応じて、界面活性剤、ｐＨ調整剤、防錆剤、防腐剤、防黴剤、酸化防止剤、還元防止剤、蒸発促進剤、キレート化剤、及び水溶性ポリマーなど、種々の添加剤を含有してもよい。
【０２００】
上記インク組成物は、安定性向上（特に、ノズルの目詰まり抑制、及び吐出安定性向上）という観点から、水溶性有機溶剤、尿素系化合物、防腐剤、ノニオン性界面活性剤、及び金属キレート剤の少なくとも１種を含有することが好ましい。
【０２０１】
水溶性有機溶剤の具体例としては前記のとおりである。
溶媒である水と染料や他の添加剤との親和性の観点から、水溶性有機溶剤としては、多価アルコールを含むことが好ましく、多価アルコールとグリコール誘導体とを含むことがより好ましい。また、多価アルコールとしては、グリセリンが特に好ましい。
【０２０２】
〔尿素系化合物〕
次に、尿素系化合物について説明する。
尿素系化合物としては、例えば、尿素、チオ尿素又はそれらの誘導体などを該尿素系化合物として挙げることができる。これらの化合物は、その保水効果によってインクの水分蒸発を抑えることができ、染料の溶解安定性を向上させるため、インク吐出時のノズルの目詰まりを抑制し、低温での凝固（結晶析出）を防止する。また該染料の会合を緩和することで記録紙等への浸透性を向上させる。更にｐＨ維持剤としての効果も有するため、インクの保存安定性を良好にする。
【０２０３】
尿素及びチオ尿素の誘導体としては、特に限定はされないが、メチル尿素、エチル尿素等のモノアルキル尿素；ジメチル尿素（例えば１，１−ジメチル尿素、１，３−ジメチル尿素）、ジエチル尿素（例えば１，１−ジエチル尿素、Ｎ、Ｎ’−ジエチル尿素）、トリメチル尿素、テトラメチル尿素、ｎ−プロピル尿素、ｎ−ブチル尿素、１，１−ジブチル尿素、１，３−ジブチル尿素、アリル尿素、シクロヘキシル尿素、２，４−ジメチルフェニル尿素、（２，４，６−トリメチルフェニル）尿素、１，３−ビス［（２，２−ジメチル−１，３−ジオキソラン−４−イル）メチル］尿素等のジアルキル尿素；エチレン尿素、ジメチルエチレン尿素、ジメチルプロピレン尿素等のアルキレン尿素；メチルチオ尿素、エチルチオ尿素等のモノアルキルチオ尿素；ジメチルチオ尿素（例えば１，１−ジメチルチオ尿素、Ｎ，Ｎ’−ジメチルチオ尿素、）、ジエチルチオ尿素（例えば１，１−ジエチルチオ尿素、１，３−ジエチルチオ尿素）等のジアルキルチオ尿素；エチレンチオ尿素等のアルキレンチオ尿素が挙げられる。
【０２０４】
また、より保水効果の高い尿素誘導体として、ヒドロキシ基を有するヒドロキシエチル尿素（例えば（２−ヒドロキシエチル）尿素）、ジヒドロキシエチル尿素（例えばＮ、Ｎ’−ジヒドロキシエチル尿素）、Ｒ１Ｒ２ＮＣＯＮＨＣＨ２ＣＨ２ＣＨ２ＯＨ［式中Ｒ１、Ｒ２は、水素又はＣｎＨ２ｎＯＨ（ｎ＝２又は３）を示し、Ｒ１及びＲ２は、同時に水素ではない］（例えばＲ１＝Ｈ、Ｒ２＝ＣＨ２ＣＨ２ＯＨ；Ｒ１＝ＣＨ２ＣＨ２ＯＨ、Ｒ２＝ＣＨ２ＣＨ２ＯＨ；Ｒ１＝Ｈ、Ｒ２＝ＣＨ２ＣＨ２ＣＨ２ＯＨ；Ｒ１＝ＣＨ２ＣＨ２ＣＨ２ＯＨ、Ｒ２＝ＣＨ２ＣＨ２ＣＨ２ＯＨ等）で表わされる尿素誘導体を挙げることができる。
具体的には、特に限定はされないが、１，３−ビス（βヒドロキシエチル）尿素、（１−γヒドロキシプロピル−３−（βヒドロキシエチル）尿素、１，１−ビス（βヒドロキシエチル）−３−（βヒドロキシエチル）尿素、１，１−ビス−（γヒドロキシプロピル）−３−（βヒドロキシエチル）尿素、３−モノ（βヒドロキシエチル）尿素、１−モノβヒドロキシエチル−３、３−ビス−βヒドロキシエチル尿素、１−モノβヒドロキシエチル−３、３−ビス−γヒドロキシプロピル尿素等である。
【０２０５】
これらのなかでも、特にメチル尿素、エチル尿素、Ｎ、Ｎ’−ジエチル尿素、尿素、エチレン尿素又はＮ、Ｎ’−ジヒドロキシエチル尿素であることが好ましく、例えばインクの保湿性の観点からは、尿素及びＮ、Ｎ’−ジヒドロキシエチル尿素が好ましく、経時的な安定性と溶解安定性の観点からは、エチレン尿素が好ましい。
【０２０６】
尿素系化合物の添加量は広い範囲で使用可能であるが、好ましくは、インク組成物全質量を基準として、０．１〜２０質量％、より好ましくは、２〜１０質量％である。この範囲とすることで、尿素系化合物の効果をより効率的に得ることができ、また水分蒸発時の粘度変化を抑えることができる。尿素系化合物は１種を単独で使用してもよいし、２種以上併用して使用してもよい。
【０２０７】
〔防腐剤〕  
次に、防腐剤について説明する。
本発明において、防腐剤とは微生物、特に細菌・真菌（カビ）の発生、発育を防止する機能を有するものを言う。
本発明に使用可能な防腐剤としては、種々のものが使用可能である。
【０２０８】
重金属イオンを含有する無機物系の防腐剤（銀イオン含有物など）や塩類をまず挙げることができる。有機系の防腐剤としては、第４級アンモニウム塩（テトラブチルアンモニウムクロリド、セチルピリジニウムクロリド、ベンジルトリメチルアンモニウムクロリド等）、フェノール誘導体（フェノール、クレゾール、ブチルフェノール、キシレノール、ビスフェノール等）、フェノキシエーテル誘導体（フェノキシエタノール等）、複素環化合物（ベンゾトリアゾール、プロキセル（ＰＲＯＸＥＬ）、１，２−ベンゾイソチアゾリン−３−オン等）、アルカンジオール類（ペンチレングリコール（１，２−ペンタンジオール）、イソペンチルジオール（３−メチル−１，３−ブタンジオール）、ヘキサンジオール（１，２−ヘキサンジオール等）、カプリリルグリコール（１，２−オクタンジオール）等）、酸アミド類、カルバミン酸、カルバメート類、アミジン・グアニジン類、ピリジン類（ナトリウムピリジンチオン−１−オキシド等）、ジアジン類、トリアジン類、ピロール・イミダゾール類、オキサゾール・オキサジン類、チアゾール・チアジアジン類、チオ尿素類、チオセミカルバジド類、ジチオカルバメート類、スルフィド類、スルホキシド類、スルホン類、スルファミド類、抗生物質類（ペニシリン、テトラサイクリン等）、デヒドロ酢酸ナトリウム、安息香酸ナトリウム、ｐ−ヒドロキシ安息香酸エチルエステル、及びその塩など種々のものが使用可能である。
防腐剤として好ましくは複素環化合物、フェノール誘導体、フェノキシエーテル誘導体、及びアルカンジオール類からなる群より選ばれる防腐剤を少なくとも１種用いることが好ましい。また、防腐剤としては防菌防微ハンドブック（技報堂：１９８６）、防菌防黴剤事典（日本防菌防黴学会事典編集委員会編）等に記載のものも使用し得る。
【０２０９】
これらの化合物は油溶性の構造、水溶性の構造のものなど種々のものが使用可能であるが、好ましくは水溶性の化合物である。
上記インク組成物は、２種以上の防腐剤を含有してもよい。本発明では、これらの防腐剤を２種以上併用して使用すると、インク及び記録画像の保存安定性、特に色相安定性が向上し、またインクの長期間の経時における吐出安定性が格段に向上するなど、本発明の効果が更に良好に発揮される。これは、２種以上の防腐剤に菌が接触することにより、個々の防腐剤に対する菌の耐性獲得が抑制されるためであると考えられる。
２種以上の防腐剤を組み合わせる場合、それらの防腐剤は異なった化学構造の骨格を有するものであることが好ましい。また、２種以上の防腐剤を含有する場合には、少なくとも１種の防腐剤が、複素環化合物、フェノール誘導体、フェノキシエーテル誘導体、又はアルカンジオール類であることが好ましく、なかでも複素環化合物であることが好ましい。例えば、複素環化合物とフェノキシエーテル誘導体の組み合わせ、複素環化合物とフェノール誘導体との組み合わせ、複素環化合物とアルカンジオール類との組み合わせ等が好ましく挙げられる。
【０２１０】
更に、複素環化合物としては、チアゾール系化合物又はベンゾトリアゾール系化合物であることが好ましい。
チアゾール系化合物は、防腐剤のなかでも、特に防黴剤として機能する。チアゾール系化合物としては、ベンズイソチアゾリン、イソチアゾリン、１，２−ベンズイソチアゾリン−３−オン、５−クロロ−２−メチル−４−イソチアゾリン−３−オン、２−（チオシアノメチルチオ）ベンズチアゾール、２−メルカプトベンズチアゾール及び３−アリルオキシ−１，２−ベンズイソチアゾール−１，１−オキシド等を挙げることができる。また、チアゾール系防黴剤としてアーチ・ケミカルズ（株）より製造販売されているＰｒｏｘｅｌ（商標）シリーズ（ＢＤＮ，ＢＤ２０，ＧＸＬ，ＬＶ，ＸＬ２及びＵｌｔｒａ１０等）を使用することもできる。
【０２１１】
ベンゾトリアゾール系化合物は、防腐剤のなかでも、特に防錆剤として機能し、例えば、インクジェットヘッドを構成する金属材料（特に、４２合金（４２％ニッケルを含有するニッケル−鉄合金））がインクとの接触を原因の一つとする錆の発生を防止することができる。ベンゾトリアゾール系化合物としては、１Ｈ−ベンゾトリアゾール、４−メチル−１Ｈ−ベンゾトリアゾール、５−メチル−１Ｈ−ベンゾトリアゾール及びこれらのナトリウム塩又はカリウム塩等を挙げることができる。
【０２１２】
２種以上の防腐剤を組み合わせる場合の含有量比は、特に限定的ではないが、各防腐剤のそれぞれの含有量が、防腐剤の総含有量の１質量％以上であることが好ましく、１０質量％以上であることがより好ましく、２０質量％以上であることが更に好ましい。また各防腐剤のそれぞれの含有量が、防腐剤の総含有量の９９質量％以下であることが好ましく、９０質量％以下であることがより好ましく、８０質量％以下であることが更に好ましい。この値とすることで、それぞれの防腐剤の効果を効率的に得ることができ、また防腐剤間の相乗効果も得やすくなる。また、防腐剤の効果を維持しつつ、インクに触れた人、特に防腐剤に対して敏感な人が、かぶれ等を生じる可能性も低減できる。
【０２１３】
防腐剤のインク組成物中への添加量（防腐剤を２種以上添加する場合にはその総含有量）は広い範囲で使用可能であるが、好ましくは０．００１〜１０質量％、より好ましくは０．００５〜２．０質量％、更に好ましくは０．０１〜０．５質量％である。この値とすることで、防腐剤の効果をより効率的に得ることができ、また析出物の発生の危険性を抑えることができる。
上記インクジェット記録用インクは、前記インク組成物を原液として水等により、例えば２〜５倍に希釈して調製することができる。また水等による希釈の際に、防腐剤を追加で添加してもよい。防腐剤のインクジェット記録用インク中への添加量は、上記インク組成物中における添加量と同様である。
上記インク組成物又はインクジェット記録用インクにおいて、染料の含有量に対する防腐剤の含有量の比（防腐剤／染料）は、質量比で０．０００１〜５であることが好ましく、０．０００２〜０．５であることがより好まく、０．００１〜０．０５であることが更に好ましい。
【０２１４】
〔ノニオン性界面活性剤〕
次に、ノニオン性界面活性剤について説明する。
【０２１５】
ノニオン性界面活性剤としては、例えば、脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等のアニオン性界面活性剤、脂肪アミン塩、４級アンモニウム塩、アルキルピリジニウム塩等のカチオン性界面活性剤、ポリオキシエチレンアルキルエーテル、ポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー、アセチレングリコール系界面活性剤、アセチレン系ポリオキシエチレンオキシド等が挙げられる。これらは単独あるいは２種以上を用いることができる。
【０２１６】
特に、下記一般式（Ｉ）又は（ＩＩ）で表される化合物あるいはアセチレングリコール系界面活性剤がより好ましい。
【０２１７】
まず、一般式（Ｉ）で表される化合物について説明する。
【０２１８】
【化４４】
2014152231.tif 000048
【０２１９】
一般式（Ｉ）中、Ｒ２１は炭素数５〜４０、好ましくは炭素数８〜１８のアルキル基を表し、直鎖であっても分岐であってもよく、また置換されていてもよい。
Ｒ２１で表されるアルキル基に置換可能な基としては、アリール基（例えばフェニル、ｏ−トリル、ｐ−トリル、ｐ−ｔ−ブチルフェニル）、アルコキシ基（例えば、メトキシ、エトキシ、ｎ−ブトキシ等）、ハロゲン原子（例えば、塩素原子、臭素原子）等を挙げることができる。
【０２２０】
Ｒ２１で表されるアルキル基の具体例としては、ｎ−ペンチル、ｎ−ヘキシル、ｎ−オクチル、ｎ−デシル、ｎ−ドデシル、ｎ−ペンタデシル、ｎ−オクタデシル、２−エチルヘキシル、１−エチルペンチル、１−ｎ−ブチルペンチル、１−ｎ−ペンチルヘキシル、１−ｎ−ヘキシルヘプチル、１−ｎ−ヘプチルオクチル、１−ｎ−オクチルノニル、６−メトキシヘキシル、２−フェニルエチル等を挙げることができる。
【０２２１】
ｍ１はエチレンオキシドの平均付加モル数を表し、２〜４０であり、好ましくは３〜３０であり、特に好ましくは３〜２０である。
【０２２２】
一般式（Ｉ）で表される化合物のうち、特に好ましいのは下記一般式（Ｉ−１）で表される化合物である。
【０２２３】
【化４５】
2014152231.tif 000049
【０２２４】
一般式（Ｉ−１）中、Ｒ２２、Ｒ２３は各々独立に炭素数４〜１０の飽和炭化水素を表し、Ｒ２２、Ｒ２３の炭素数の合計が８〜１８である。ｍ１１はエチレンオキシドの平均付加モル数を表し、３〜２０である。Ｒ２２、Ｒ２３で表される炭素数４〜１０の飽和炭化水素としてはｎ−ブチル、ｉ−ブチル、ｎ−ペンチル、ｎ−ヘキシル、ｎ−ヘプチル、ｎ−オクチル、２−エチルヘキシル、ｎ−ノニル、ｎ−デシル等を挙げることができる。Ｒ２２とＲ２３の炭素数の合計は８〜１８であり、８〜１６が更に好ましい。ｍ１１は３〜２０であり、より好ましくは５〜２０であり、更に好ましくは６〜１８である。
【０２２５】
以下に、一般式（Ｉ）で表される化合物の具体例を示すが、これらに限定されるものではない。
【０２２６】
【化４６】
2014152231.tif 000050
【０２２７】
以下の表４に、一般式（Ｉ−１）で表される化合物の具体例を示すが、これらに限定されるものではない。
【０２２８】
【表４】
2014152231.tif 000051
【０２２９】
次に一般式（ＩＩ）で表される化合物について説明する。
【０２３０】
【化４７】
2014152231.tif 000052
【０２３１】
一般式（ＩＩ）中、Ｒ２４は炭素数５〜４０、好ましくは炭素数５〜３０のアルキル基を表し、直鎖であっても分岐であってもよく、また置換されていてもよい。
Ｒ２４で表されるアルキル基に置換可能な基としては、アリール基（例えばフェニル、ｏ−トリル、ｐ−トリル、ｐ−ｔ−ブチルフェニル）、アルコキシ基（例えば、メトキシ、エトキシ、ｎ−ブトキシ等）、ハロゲン原子（例えば、塩素原子、臭素原子）等を挙げることができる。Ｒ２４で表されるアルキル基の具体例としては、ｎ−ペンチル、ｎ−ヘキシル、ｎ−オクチル、ｎ−デシル、ｎ−ドデシル、ｎ−ペンタデシル、ｎ−オクタデシル、２−エチルヘキシル、１−エチルペンチル、１−ｎ−ブチルヘプチル、１−ｎ−ヘキシルノニル、１−ｎ−ヘプチルデシル、１−ｎ−オクチルドデシル、１−ｎ−デシルテトラデシル、６−メトキシヘキシル、２−フェニルエチル等を挙げることができる。
【０２３２】
ｍ２はエチレンオキシドの平均付加数を表し、２〜４０であり、好ましくは３〜３０であり、特に好ましくは４〜２０である。
【０２３３】
一般式（ＩＩ）で表される化合物のうち、特に好ましいのは下記一般式（ＩＩ−１）で表される化合物である。
【０２３４】
【化４８】
2014152231.tif 000053
【０２３５】
一般式（ＩＩ−１）中、Ｒ２５、Ｒ２６は各々炭素数２〜２０の飽和炭化水素基であり、炭素数４〜１３が好ましい。Ｒ２５、Ｒ２６で表される炭素数２〜２０の飽和炭化水素基としてはエチル、ｎ−ブチル、ｉ−ブチル、ｎ−ペンチル、ｎ−ヘキシル、ｎ−ヘプチル、ｎ−オクチル、２−エチルヘキシル、ｎ−ノニル、ｎ−デシル、ｎ−ドデシル、ｎ−ヘキサデシル、ｎ−オクタデシル等を挙げることができる。ｍ２１はエチレンオキシドの平均付加モル数を表し、２〜４０であり、３〜３０が好ましい。
以下に、一般式（ＩＩ）で表される化合物の具体例を示すが、これらに限定されるものではない。
【０２３６】
【化４９】
2014152231.tif 000054
【０２３７】
一般式（ＩＩ−１）で表される化合物としては、例えば、２−ブチルオクタン酸のポリエチレンオキシドの片末端エステル、ウンデカン−６−オールのポリエチレンオキシド付加物などが挙げられる。以下の表５に、一般式（ＩＩ−１）で表される化合物の具体例を示すが、これらに限定されるものではない。
【０２３８】
【表５】
2014152231.tif 000055
【０２３９】
一般式（Ｉ）又は一般式（ＩＩ）で表される化合物は、公知の方法を用いて合成することが可能であり、例えば藤本武彦著  全訂版「新・界面活性剤入門」（１９９２年）９４〜１０７頁等に記載の方法で得ることができる。
【０２４０】
次にアセチレングリコール系界面活性剤（アセチレン系ポリオキシエチレンオキシドを含む）について説明する。
アセチレングリコール系界面活性剤は、他の界面活性剤と比較して、表面張力及び界面張力を適正に保つ能力に優れており、かつ起泡性がほとんどないという特性を有する。これにより、アセチレングリコール系界面活性剤を含有するインクは、表面張力やヘッドノズル面などインクと接触するプリンター部材との界面張力を適正に保つことができる。またアセチレングリコール系界面活性剤によって、インクの液物性をより好適に調整することもできる。更に、インクの加温保存安定性をより向上させることができる。
【０２４１】
アセチレングリコール系界面活性剤としては、例えば、２，４，７，９−テトラメチル−５−デシン−４，７−ジオール、３，６−ジメチル−４−オクチン−３，６−ジオール、３，５−ジメチル−１−ヘキシン−３オール、２，４−ジメチル−５−ヘキシン−３−オールなどが挙げられるが、その他にも、下記一般式（ＩＩＩ）で表される化合物が挙げられる。
【０２４２】
【化５０】
2014152231.tif 000056
【０２４３】
式中Ｒ３１、Ｒ３２はそれぞれ独立に、炭素数１〜１８のアルキル基を表す。
更に詳しく説明すると、Ｒ３１、Ｒ３２はそれぞれ独立に、炭素数１〜１８のアルキル基（例えば、メチル、エチル、ｎ−プロピル、ブチル、ヘキシル、オクチル、デシル、ドデシル等）を表し、置換されていてもよい。置換基の例としては、アルキル基（例えば、メチル、エチル、イソプロピル等）、アルコキシ基（例えば、メトキシ、エトキシ等）、ハロゲン原子（例えば、塩素原子、臭素原子）等を挙げることができる。このうち、Ｒ３１、Ｒ３２としては炭素数１〜１２の無置換の直鎖アルキル基若しくは無置換の分岐アルキル基が好ましく、その特に好ましい具体例としてはメチル、エチル、ｎ−ブチル、２−メチルブチル、２，４−ジメチルペンチル等を挙げることができる。
【０２４４】
Ｒ３３は水素原子、炭素数１〜６のアルキル基、又はフェニル基を表し、アルキル基、フェニル基は置換されていてもよい。
【０２４５】
Ｒ３３のアルキル基の置換基としては、アルキル基（例えば、メチル、エチル、イソプロピル等）、アルコキシ基（例えば、メトキシ、エトキシ等）、フェニル基を挙げることができる。Ｒ３３のフェニル基の置換基としては、アルキル基（例えば、メチル、エチル、イソプロピル等）、アルコキシ基（例えば、メトキシ、エトキシ等）、ハロゲン原子（例えば、フッ素原子、塩素原子、臭素原子）等を挙げることができる。Ｒ３３のうち好ましいのは、水素原子あるいは炭素数１〜４のアルキル基であり、特に好ましいのは水素原子である。
【０２４６】
Ｘは水素原子、又は
【０２４７】
【化５１】
2014152231.tif 000057
【０２４８】
を表し、Ｒ３４、Ｒ３５はそれぞれ独立に、炭素数１〜１８のアルキル基を表す。Ｒ３４、Ｒ３５の好ましい置換基や具体例は、上記のＲ３１、Ｒ３２と同じ群から選ばれる置換基や具体例である。Ｒ３６は水素原子、炭素数１〜６のアルキル基、又はフェニル基を表し、その好ましい具体例は上記のＲ３３と同じ群から選ばれる置換基や具体例である。
【０２４９】
ｍ３、ｍ４はそれぞれエチレンオキシドの平均付加モル数を表し、ｍ３＋ｍ４は０〜１００、好ましくは０〜５０、特に好ましくは０〜４０である。
【０２５０】
ここで、ｍ３＝０の時Ｒ３３は水素原子を表し、ｍ４＝０の時Ｒ３６は水素原子を表す。  またＸが水素原子を表す時、ｍ３は１〜１００を表し、好ましくは１〜５０、特に好ましくは１〜４０を表す。
【０２５１】
一般式（ＩＩＩ）で表される化合物のうち、特に好ましいのは下記一般式（ＩＩＩ−１）で表される化合物である。
【０２５２】
【化５２】
2014152231.tif 000058
【０２５３】
式中、Ｒ３７、Ｒ３８、Ｒ３９及びＲ４０は、それぞれ独立に、炭素数１〜６、好ましくは炭素数１〜４のアルキル基を表す。ｍ３１とｍ４１はそれぞれエチレンオキシドの付加モル数を表し、それらの和が０〜４０、好ましくは２〜２０となる数である。
【０２５４】
以下に、一般式（ＩＩＩ）又は一般式（ＩＩＩ−１）で表される化合物の具体例を示すが、これらに限定されるものではない。
【０２５５】
【化５３】
2014152231.tif 000059
【０２５６】
【化５４】
2014152231.tif 000060
【０２５７】
【化５５】
2014152231.tif 000061
【０２５８】
一般式（ＩＩＩ）又は一般式（ＩＩＩ−１）で表される化合物は、公知の方法を用いて合成することが可能であり、例えば藤本武彦著  全訂版「新・界面活性剤入門」（１９９２年）９４頁〜１０７頁等に記載の方法で得ることができる。
【０２５９】
また、一般式（ＩＩＩ）又は一般式（ＩＩＩ−１）で表される化合物は市販品としても容易に入手することができ、その具体的な商品名としてはサーフィノール６１，８２，１０４，１０４Ｅ、１０４Ｈ、１０４Ａ、１０４ＢＣ、１０４ＤＰＭ、１０４ＰＡ、１０４ＰＧ−５０、１０４Ｓ、４２０，４４０，４６５，４８５，５０４、ＣＴ−１１１，ＣＴ−１２１，ＣＴ−１３１，ＣＴ−１３６，ＣＴ−１４１，ＣＴ−１５１，ＣＴ−１７１，ＣＴ−３２４，ＤＦ−３７，ＤＦ−５８，ＤＦ−７５，ＤＦ−１１０Ｄ，ＤＦ−２１０，ＧＡ，ＯＰ−３４０，ＰＳＡ−２０４，ＰＳＡ−２１６，ＰＳＡ−３３６，ＳＥ，ＳＥ−Ｆ，ＴＧ、ＧＡ、ダイノール６０４（以上、日信化学（株）及びＡｉｒＰｒｏｄｕｃｔｓ＆Ｃｈｅｍｉｃａｌｓ社）、オルフィンＡ，Ｂ，ＡＫ−０２，ＣＴ−１５１Ｗ，Ｅ１００４，Ｅ１０１０，Ｐ，ＳＰＣ，ＳＴＧ，Ｙ，３２Ｗ、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＳＫ−１４、ＡＥ−３（以上、日信化学（株））アセチレノールＥ００、Ｅ１３Ｔ、Ｅ４０、Ｅ６０、Ｅ８１、Ｅ１００、Ｅ２００（以上全て商品名、川研ファインケミカル（株）社製）等を挙げることができる。なかでもサーフィノール４６５、オルフィンＥ１０１０、アセチレノールＥ１００、Ｅ２００が好適である。
【０２６０】
一般式（ＩＩＩ−１）で表される化合物としては、例えば、アセチレン系ジオールのエチレンオキシド付加物（ＳＵＲＦＹＮＯＬシリーズ（ＡｉｒＰｒｏｄｕｃｔｓ＆Ｃｈｅｍｉｃａｌｓ社））などが好ましく、なかでも分子量が２００以上１０００以下のものが好ましく、分子量３００以上９００以下のものが更に好ましく、分子量４００以上９００以下のものが特に好ましい。
【０２６１】
インク組成物に含有させるノニオン性界面活性剤としては、インクからの析出や分離が起こりにくく、発泡性が少ないことが好ましく、この観点から、疎水性部位の中央付近に親水性基を有するノニオン性界面活性剤、更に疎水性部位が２本鎖若しくは疎水性部位が分岐しているノニオン性界面活性剤が好ましい。なかでも、疎水性部位が２本鎖若しくは疎水性部位が分岐しているノニオン性界面活性剤として一般式（Ｉ−１）又は一般式（ＩＩ−１）で表される化合物、疎水性部位の中央付近に親水性基を有するノニオン性界面活性剤として一般式（ＩＩＩ−１）で表される化合物が好ましい。特に、アセチレングリコール系界面活性剤に相当するものが好ましい。
【０２６２】
インク組成物におけるノニオン性界面活性剤の含有量は、０．０５〜５０ｇ／Ｌであり、好ましくは０．０５〜３０ｇ／Ｌ、更に好ましくは０．１〜２０ｇ／Ｌである。インク組成物中の界面活性剤が０．０５ｇ／Ｌ以上であると、吐出安定性の低下、混色時の滲みの発生、ひげ発生などのように印字品質が著しく低下することを抑制する傾向がある。またインク組成物中のノニオン性界面活性剤が５０ｇ／Ｌ以下であると、吐出時、ハード表面へのインクの付着等により印字不良となることを抑制する傾向がある。この観点から、インクの静的表面張力は、２５℃において２０ｍＮ／ｍ以上が好ましく、２５ｍＮ／ｍ以上がより好ましい。また、２５℃において６０ｍＮ／ｍ以下が好ましく、５０ｍＮ／ｍ以下がより好ましく、４０ｍＮ／ｍ以下が特に好ましい。
【０２６３】
インク組成物又はインクジェット記録用インクにおいて、染料の含有量に対するノニオン性界面活性剤の含有量の比（ノニオン性界面活性剤／染料）は、質量比で０．０２〜１．５であることが好ましく、０．０５〜１．２であることがより好ましく、０．１〜１．０であることが特に好ましい。
【０２６４】
〔金属キレート剤〕
次に、金属キレート剤について説明する。金属キレート剤とは金属イオンと結合した分子の中に２個以上のドナー原子を持つ金属イオン錯体を形成可能な化合物を指す。  
このような化合物としては種々の化合物が知られている。
たとえば脂肪族若しくは芳香族のカルボン酸、ジカルボン酸、トリカルボン酸以上のポリカルボン酸、オキシカルボン酸、ケトカルボン酸、チオカルボン酸、芳香族アルデヒド、アミン系化合物、ジアミン化合物、ポリアミン化合物、アミノポリカルボン酸、ニトリロトリ酢酸誘導体、エチレンジアミンポリカルボン酸、アミノ酸、ヘテロ環カルボン酸、ヘテロ環類、ピリミジン類、ヌクレオシド類、プリン塩基類、β−ジケトン類、オキシン類等を挙げることができる。この中でも特にエチレンジアミンポリカルボン酸類若しくは窒素原子のローンペアがドナーとして作用可能なキレート剤が好ましい。
【０２６５】
このような例としては、特に限定されないが、ピリジン−２−カルボン酸、ピリジン−２，３−ジカルボン酸、ピリジン−２，４−ジカルボン酸、ピリジン−２，６−ジカルボン酸、イミノジ酢酸（ＩＤＡ）、イミノジプロピオン酸、Ｎ−メチルイミノジ酢酸、Ｎ，Ｎ′−エチレンジアミンジ酢酸（ＥＤＤＡ）、エチレンジアミンテトラ酢酸（ＥＤＴＡ）、エチレンジアミン−Ｎ，Ｎ′−ジ酢酸−Ｎ，Ｎ′−ジプロピオン酸（ＥＤＰＡ）、エチレンジアミンテトラプロピオン酸（ＥＤＴＰ）、１，２−プロピレンジアミンテトラ酢酸（ＰＤＴＡ）、トリメチレンジアミンテトラ酢酸（ＴＭＴＡ）、テトラメチレンジアミンテトラ酢酸、ペンタメチレンジアミンテトラ酢酸、ヘキサメチレンジアミンテトラ酢酸、オクタメチレンジアミンテトラ酢酸、１，２−シクロペンタンジアミンテトラ酢酸、ｔｒａｎｓ−シクロヘキサン−１，２−ジアミンテトラ酢酸（ＣＤＴＡ）、１，３，５−トリアミノシクロヘキサンヘキサ酢酸（ＣＴＨＡ）、エチルエーテルジアミンテトラ酢酸〔２，２−オキシビス（エチルイミノジ酢酸）〕（Ｅ−ＥＤＴＡ）、ジエチレントリアミンペンタ酢酸（ＤＴＰＡ）、グリコールエーテルジアミンテトラ酢酸（ＧＥＤＴＡ）、トリメチレンテトラアミンヘキサ酢酸（ＴＴＨＡ）、キノリン−２−カルボン酸、キノリン−８−カルボン酸、８−ヒドロキシキノリン、１，１０−フェナントロリン、２−メチル−１，１０−フェナントロリン（７０）、５−メチル−１，１０−フェナントロリン、ＥＤＴＡ−４ナトリウム、ピコリン酸ナトリウム、キノリン酸ナトリウム、２，９−ジメチル−１，１０−フェナントロリン、４，７−ジメチル−１，１０−フェナントロリン、３−ヒドロキシ−２，２’−イミノジコハク酸４ナトリウム等が挙げられる。
【０２６６】
本発明に用いられる金属キレート剤としては、ＥＤＴＡ−４ナトリウム、ピコリン酸ナトリウム、キノリン酸ナトリウム、１，１０―フェナントロリン、８−ヒドロキシキノリン、３−ヒドロキシ−２，２’−イミノジコハク酸４ナトリウムが好ましい。上記金属キレート剤を使用することにより、多へテロ系で分子量の大きい本願染料のインク中の多価金属イオンによる凝集等を抑制するため、インクの受像紙への浸透性が向上し、印画物のブロンズ光沢を抑えることが可能になる。またカルシウムやマグネシウムなどの２価金属イオンが受像紙媒体中に存在すると、本願記載の染料は、受像紙中でいわゆるレーキ顔料を形成し、不溶化・凝集する為、受像紙内部への浸透性に優れ、印画物のブロンズ光沢を抑えることができるようになる。
【０２６７】
また、インク組成物において、染料の含有量に対する金属キレート剤の含有量の比（金属キレート剤の含有量（ｍｏｌ）／染料の含有量（ｍｏｌ））は０．５〜１であることが好ましい。
【０２６８】
また、インク組成物において、金属キレート剤の含有量が、インク組成物の全質量に対して０．０１〜５質量％であることが好ましく、０．１〜３質量％であることがより好ましく、１〜２質量％であることが更に好ましい。
【０２６９】
本発明のインクセットは、更に、下記一般式（Ｃ−１）で表される化合物を含むインク組成物、下記一般式（Ｄ−１）で表される化合物を含むインク組成物、及び下記一般式（Ｅ−１）で表される化合物を含むインク組成物を含有することが好ましい。
好ましくは、下記一般式（Ｃ−１）で表される化合物を含むインク組成物はシアンインク組成物であり、下記一般式（Ｄ−１）で表される化合物を含むインク組成物はマゼンタインク組成物であり、下記一般式（Ｅ−１）で表される化合物を含むインク組成物はブラックインク組成物である。
一般式（Ｃ−１）：
【０２７０】
【化５６】
2014152231.tif 000062
【０２７１】
一般式（Ｃ−１）中、Ｘ２１、Ｘ２２、Ｘ２３およびＸ２４はそれぞれ独立に−ＳＯ−Ｚ２、−ＳＯ２−Ｚ２、−ＳＯ２ＮＲ２１Ｒ２２、スルホ基、−ＣＯＮＲ２１Ｒ２２、または−ＣＯＯＲ２１を表す。
Ｚ２はそれぞれ独立に置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。
Ｒ２１、Ｒ２２はそれぞれ独立に、水素原子、置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。
Ｙ２１、Ｙ２２、Ｙ２３およびＹ２４はそれぞれ独立に、一価の置換基を表す。
ａ２１〜ａ２４、ｂ２１〜ｂ２４は、それぞれＸ２１〜Ｘ２４およびＹ２１〜Ｙ２４の置換基数を表す。ａ２１〜ａ２４はそれぞれ独立に０〜４の数を表すが、全てが同時に０になることはない。ｂ２１〜ｂ２４はそれぞれ独立に０〜４の数を表す。なお、ａ２１〜ａ２４およびｂ２１〜ｂ２４が２以上の数を表す時、複数のＸ２１〜Ｘ２４、およびＹ２１〜Ｙ２４はそれぞれ同一でも異なっていてもよい。
Ｍは水素原子、金属原子またはその酸化物、水酸化物もしくはハロゲン化物である。
一般式（Ｄ−１）：
【０２７２】
【化５７】
2014152231.tif 000063
【０２７３】
一般式（Ｄ−１）中、Ａ３１は５員ヘテロ環ジアゾ成分Ａ３１−Ｎ２−の残基を表す。
Ｂ３１およびＢ３２は各々＝ＣＲ３１−、−ＣＲ３２＝を表すか、あるいはいずれか一方が窒素原子、他方が＝ＣＲ３１−または−ＣＲ３２＝を表す。Ｒ３５、Ｒ３６は各々独立に水素原子、脂肪族基、芳香族基、ヘテロ環基、アシル基、アルコキシカルボニル基、アリールオキシカルボニル基、カルバモイル基、アルキルもしくはアリールスルホニル基、またはスルファモイル基を表し、各基は更に置換基を有していても良い。
Ｇ３、Ｒ３１、Ｒ３２は各々独立して、水素原子、ハロゲン原子、脂肪族基、芳香族基、ヘテロ環基、シアノ基、カルボキシル基、カルバモイル基、アルコキシカルボニル基、アリールオキシカルボニル基、ヘテロ環オキシカルボニル基、アシル基、ヒドロキシ基、アルコキシ基、アリールオキシ基、ヘテロ環オキシ基、シリルオキシ基、アシルオキシ基、カルバモイルオキシ基、アルコキシカルボニルオキシ基、アリールオキシカルボニルオキシ基、アミノ基（アリールアミノ基、ヘテロ環アミノ基を含む）、アシルアミノ基、ウレイド基、スルファモイルアミノ基、アルコキシカルボニルアミノ基、アリールオキシカルボニルアミノ基、アルキルもしくはアリールスルホニルアミノ基、ヘテロ環スルホニルアミノ基、ニトロ基、アルキル及びアリールチオ基、アルキル及びアリールスルホニル基、ヘテロ環スルホニル基、アルキル及びアリールスルフィニル基、ヘテロ環スルフィニル基、スルファモイル基、スルホ基、またはヘテロ環チオ基を表し、各基は更に置換されていても良い。
Ｒ３１とＲ３５、あるいはＲ３５とＲ３６が結合して５乃至６員環を形成しても良い。
一般式（Ｅ−１）：
Ａ４１−（Ｎ＝Ｎ−（Ｂ４１）ｍ）ｎ−Ｎ＝Ｎ−Ｃ４１
一般式（Ｅ−１）中、Ａ４１、Ｂ４１およびＣ４１は、それぞれ独立に、置換されていてもよい芳香族基または置換されていてもよいヘテロ環基を表し、Ａ４１およびＣ４１は一価の基であり、Ｂ４１は二価の基である。また、ｍは１または２であり、ｎは０以上の整数である。ただし、Ａ４１、Ｂ４１およびＣ４１の少なくとも１つはヘテロ環基である。
【０２７４】
＜シアンインク組成物＞
［一般式（Ｃ−１）で表される化合物］
上記一般式（Ｃ−１）で表される化合物について説明する。
上記一般式（Ｃ−１）で表される化合物は、フタロシアニン染料であることが好ましく、シアンインク組成物に用いられることが好ましい。
上記一般式（Ｃ−１）において、Ｘ２１、Ｘ２２、Ｘ２３およびＸ２４は、それぞれ独立に、−ＳＯ−Ｚ２、−ＳＯ２−Ｚ２、−ＳＯ２ＮＲ２１Ｒ２２、スルホ基、−ＣＯＮＲ２１Ｒ２２、または−ＣＯ２Ｒ２１を表す。これらの置換基の中でも、−ＳＯ−Ｚ２、−ＳＯ２−Ｚ２、−ＳＯ２ＮＲ２１Ｒ２２および−ＣＯＮＲ２１Ｒ２２が好ましく、特に−ＳＯ２−Ｚ２および−ＳＯ２ＮＲ２１Ｒ２２が好ましく、−ＳＯ２−Ｚ２が最も好ましい。ここで、その置換基数を表すａ２１〜ａ２４のいずれかが２以上の数を表す場合、Ｘ２１〜Ｘ２４の内、複数存在するものは同一でも異なっていても良く、それぞれ独立に上記のいずれかの基を表す。また、Ｘ２１、Ｘ２２、Ｘ２３およびＸ２４は、それぞれ全く同じ置換基であってもよく、あるいは例えばＸ２１、Ｘ２２、Ｘ２３およびＸ２４が全て−ＳＯ２−Ｚ２であり、かつ各Ｚ２は異なるものを含む場合のように、同じ種類の置換基であるが部分的に互いに異なる置換基であってもよく、あるいは互いに異なる置換基を、例えば−ＳＯ２−Ｚ２と−ＳＯ２ＮＲ２１Ｒ２２を含んでいてもよい。
【０２７５】
上記Ｚ２は、それぞれ独立に、置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。好ましくは、置換もしくは無置換のアルキル基、置換もしくは無置換のアリール基、置換もしくは無置換のヘテロ環基であり、その中でも置換アルキル基、置換アリール基、置換ヘテロ環基が最も好ましい。
【０２７６】
上記Ｒ２１、Ｒ２２は、それぞれ独立に、水素原子、置換もしくは無置換のアルキル基、置換もしくは無置換のシクロアルキル基、置換もしくは無置換のアルケニル基、置換もしくは無置換のアラルキル基、置換もしくは無置換のアリール基、または置換もしくは無置換のヘテロ環基を表す。なかでも、水素原子、置換もしくは無置換のアルキル基、置換もしくは無置換のアリール基、および置換もしくは無置換のヘテロ環基が好ましく、その中でも水素原子、置換アルキル基、置換アリール基、および置換ヘテロ環基がさらに好ましい。但し、Ｒ２１、Ｒ２２がいずれも水素原子であることは好ましくない。
【０２７７】
Ｒ２１、Ｒ２２およびＺ２が表す置換もしくは無置換のアルキル基としては、炭素原子数が１〜３０のアルキル基が好ましい。特に染料の溶解性やインク安定性を高めるという理由から、分岐のアルキル基が好ましく、特に不斉炭素を有する場合（ラセミ体での使用）が特に好ましい。置換基の例としては、後述のＺ２、Ｒ２１、Ｒ２２、Ｙ２１、Ｙ２２、Ｙ２３およびＹ２４が更に置換基を持つことが可能な場合の置換基と同じものが挙げられる。中でも水酸基、エーテル基、エステル基、シアノ基、アミド基、スルホンアミド基が染料の会合性を高め堅牢性を向上させるので特に好ましい。この他、ハロゲン原子やイオン性親水性基を有していても良い。なお、アルキル基の炭素原子数は置換基の炭素原子を含まず、他の基についても同様である。
【０２７８】
Ｒ２１、Ｒ２２およびＺ２が表す置換もしくは無置換のシクロアルキル基としては、炭素原子数が５〜３０のシクロアルキル基が好ましい。特に染料の溶解性やインク安定性を高めるという理由から、不斉炭素を有する場合（ラセミ体での使用）が特に好ましい。置換基の例としては、後述のＺ２、Ｒ２１、Ｒ２２、Ｙ２１、Ｙ２２、Ｙ２３およびＹ２４が更に置換基を持つことが可能な場合の置換基と同じものが挙げられる。なかでも、水酸基、エーテル基、エステル基、シアノ基、アミド基、およびスルホンアミド基が染料の会合性を高め堅牢性を向上させるので特に好ましい。この他、ハロゲン原子やイオン性親水性基を有していても良い。
【０２７９】
Ｒ２１、Ｒ２２およびＺ２が表す置換もしくは無置換のアルケニル基としては、炭素原子数が２〜３０のアルケニル基が好ましい。特に染料の溶解性やインク安定性を高めるという理由から、分岐のアルケニル基が好ましく、特に不斉炭素を有する場合（ラセミ体での使用）が特に好ましい。置換基の例としては、後述のＺ２、Ｒ２１、Ｒ２２、Ｙ２１、Ｙ２２、Ｙ２３およびＹ２４が更に置換基を持つことが可能な場合の置換基と同じものが挙げられる。なかでも、水酸基、エーテル基、エステル基、シアノ基、アミド基、スルホンアミド基が染料の会合性を高め堅牢性を向上させるので特に好ましい。この他、ハロゲン原子やイオン性親水性基を有していてもよい。
【０２８０】
Ｒ２１、Ｒ２２およびＺ２が表す置換もしくは無置換のアラルキル基としては、炭素原子数が７〜３０のアラルキル基が好ましい。特に染料の溶解性やインク安定性を高めるという理由から、分岐のアラルキル基が好ましく、特に不斉炭素を有する場合（ラセミ体での使用）が特に好ましい。置換基の例としては、後述のＺ２、Ｒ２１、Ｒ２２、Ｙ２１、Ｙ２２、Ｙ２３およびＹ２４が更に置換基を持つことが可能な場合の置換基と同じものが挙げられる。なかでも、水酸基、エーテル基、エステル基、シアノ基、アミド基、スルホンアミド基が染料の会合性を高め堅牢性を向上させるので特に好ましい。この他、ハロゲン原子やイオン性親水性基を有していてもよい。
【０２８１】
Ｒ２１、Ｒ２２およびＺ２が表す置換もしくは無置換のアリール基としては、炭素原子数が６〜３０のアリール基が好ましい。置換基の例としては、後述のＺ２、Ｒ２１、Ｒ２２、Ｙ２１、Ｙ２２、Ｙ２３およびＹ２４が更に置換基を持つことが可能な場合の置換基と同じものが挙げられる。なかでも、染料の酸化電位を貴とし堅牢性を向上させるので電子吸引性基が特に好ましい。電子吸引性基としては、ハメットの置換基定数σｐ値が正のものが挙げられる。なかでも、ハロゲン原子、ヘテロ環基、シアノ基、カルボキシル基、アシルアミノ基、スルホンアミド基、スルファモイル基、カルバモイル基、スルホニル基、イミド基、アシル基、スルホ基、４級アンモニウム基が好ましく、シアノ基、カルボキシル基、スルファモイル基、カルバモイル基、スルホニル基、イミド基、アシル基、スルホ基、４級アンモニウム基が更に好ましい。
【０２８２】
Ｒ２１、Ｒ２２およびＺ２が表すヘテロ環基としては、５員または６員環のものが好ましく、それらは更に縮環していてもよい。また、芳香族ヘテロ環であっても非芳香族ヘテロ環であっても良い。以下にＲ２１、Ｒ２２およびＺ２で表されるヘテロ環基を、置換位置を省略してヘテロ環の形で例示するが、置換位置は限定されるものではなく、例えばピリジンであれば、２位、３位、４位で置換することが可能である。ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。なかでも、芳香族ヘテロ環基が好ましく、その好ましい例を先と同様に例示すると、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールが挙げられる。それらは置換基を有していても良く、置換基の例としては、後述のＺ２、Ｒ２１、Ｒ２２、Ｙ２１、Ｙ２２、Ｙ２３およびＹ２４が更に置換基を持つことが可能な場合の置換基と同じものが挙げられる。好ましい置換基は前記アリール基の置換基と、更に好ましい置換基は、前記アリール基の更に好ましい置換基とそれぞれ同じである。
【０２８３】
Ｙ２１、Ｙ２２、Ｙ２３およびＹ２４は、それぞれ独立に、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アシルアミノ基、アリールアミノ基、ウレイド基、スルファモイルアミノ基、アルキルチオ基、アリールチオ基、アルコキシカルボニルアミノ基、スルホンアミド基、カルバモイル基、スルファモイル基、スルホニル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基、カルボキシル基、またはスルホ基を挙げる事ができ、各々はさらに置換基を有していてもよい。
なかでも、水素原子、ハロゲン原子、アルキル基、アリール基、シアノ基、アルコキシ基、アミド基、ウレイド基、スルホンアミド基、カルバモイル基、スルファモイル基、アルコキシカルボニル基、カルボキシル基、およびスルホ基が好ましく、特に水素原子、ハロゲン原子、シアノ基、カルボキシル基およびスルホ基が好ましく、水素原子が最も好ましい。
【０２８４】
Ｚ２、Ｒ２１、Ｒ２２、Ｙ２１、Ｙ２２、Ｙ２３およびＹ２４が更に置換基を有することが可能な基であるときは、以下に挙げる置換基を更に有してもよい。
炭素数１〜１２の直鎖または分岐鎖アルキル基、炭素数７〜１８の直鎖または分岐鎖アラルキル基、炭素数２〜１２の直鎖または分岐鎖アルケニル基、炭素数２〜１２の直鎖または分岐鎖アルキニル基、炭素数３〜１２の直鎖または分岐鎖シクロアルキル基、炭素数３〜１２の直鎖または分岐鎖シクロアルケニル基（以上の各基は分岐鎖を有するものが染料の溶解性およびインクの安定性を向上させる理由から好ましく、不斉炭素を有するものが特に好ましい。以上の各基の具体例：例えばメチル、エチル、プロピル、イソプロピル、ｓｅｃ−ブチル、ｔ−ブチル、２−エチルヘキシル、２−メチルスルホニルエチル、３−フェノキシプロピル、トリフルオロメチル、シクロペンチル）、ハロゲン原子（例えば、塩素原子、臭素原子）、アリール基（例えば、フェニル、４−ｔ−ブチルフェニル、２，４−ジ−ｔ−アミルフェニル）、ヘテロ環基（例えば、イミダゾリル、ピラゾリル、トリアゾリル、２−フリル、２−チエニル、２−ピリミジニル、２−ベンゾチアゾリル）、シアノ基、ヒドロキシル基、ニトロ基、カルボキシ基、アミノ基、アルキルオキシ基（例えば、メトキシ、エトキシ、２−メトキシエトキシ、２−メタンスルホニルエトキシ）、アリールオキシ基（例えば、フェノキシ、２−メチルフェノキシ、４−ｔ−ブチルフェノキシ、３−ニトロフェノキシ、３−ｔ−ブチルオキシカルバモイルフェノキシ、３−メトキシカルバモイル）、アシルアミノ基（例えば、アセトアミド、ベンズアミド、４−（３−ｔ−ブチル−４−ヒドロキシフェノキシ）ブタンアミド）、アルキルアミノ基（例えば、メチルアミノ、ブチルアミノ、ジエチルアミノ、メチルブチルアミノ）、アニリノ基（例えば、フェニルアミノ、２−クロロアニリノ、ウレイド基（例えば、フェニルウレイド、メチルウレイド、Ｎ，Ｎ−ジブチルウレイド）、スルファモイルアミノ基（例えば、Ｎ，Ｎ−ジプロピルスルファモイルアミノ）、アルキルチオ基（例えば、メチルチオ、オクチルチオ、２−フェノキシエチルチオ）、アリールチオ基（例えば、フェニルチオ、２−ブトキシ−５−ｔ−オクチルフェニルチオ、２−カルボキシフェニルチオ）、アルキルオキシカルボニルアミノ基（例えば、メトキシカルボニルアミノ）、スルホンアミド基（例えば、メタンスルホンアミド、ベンゼンスルホンアミド、ｐ−トルエンスルホンアミド）、カルバモイル基（例えば、Ｎ−エチルカルバモイル、Ｎ，Ｎ−ジブチルカルバモイル）、スルファモイル基（例えば、Ｎ−エチルスルファモイル、Ｎ，Ｎ−ジプロピルスルファモイル、Ｎ−フェニルスルファモイル）、スルホニル基（例えば、メタンスルホニル、オクタンスルホニル、ベンゼンスルホニル、トルエンスルホニル）、アルキルオキシカルボニル基（例えば、メトキシカルボニル、ブチルオキシカルボニル）、ヘテロ環オキシ基（例えば、１−フェニルテトラゾール−５−オキシ、２−テトラヒドロピラニルオキシ）、アゾ基（例えば、フェニルアゾ、４−メトキシフェニルアゾ、４−ピバロイルアミノフェニルアゾ、２−ヒドロキシ−４−プロパノイルフェニルアゾ）、アシルオキシ基（例えば、アセトキシ）、カルバモイルオキシ基（例えば、Ｎ−メチルカルバモイルオキシ、Ｎ−フェニルカルバモイルオキシ）、シリルオキシ基（例えば、トリメチルシリルオキシ、ジブチルメチルシリルオキシ）、アリールオキシカルボニルアミノ基（例えば、フェノキシカルボニルアミノ）、イミド基（例えば、Ｎ−スクシンイミド、Ｎ−フタルイミド）、ヘテロ環チオ基（例えば、２−ベンゾチアゾリルチオ、２，４−ジ−フェノキシ−１，３，５−トリアゾール−６−チオ、２−ピリジルチオ）、スルフィニル基（例えば、３−フェノキシプロピルスルフィニル）、ホスホニル基（例えば、フェノキシホスホニル、オクチルオキシホスホニル、フェニルホスホニル）、アリールオキシカルボニル基（例えば、フェノキシカルボニル）、アシル基（例えば、アセチル、３−フェニルプロパノイル、ベンゾイル）、イオン性親水性基（例えば、カルボキシル基、スルホ基、ホスホノ基および４級アンモニウム基）が挙げられる。
【０２８５】
前記一般式（Ｃ−１）で表されるフタロシアニン染料が水溶性である場合には、イオン性親水性基を有することが好ましい。イオン性親水性基には、スルホ基、カルボキシル基、ホスホノ基および４級アンモニウム基等が含まれる。前記イオン性親水性基としては、カルボキシル基、ホスホノ基、およびスルホ基が好ましく、特にカルボキシル基、スルホ基が好ましい。カルボキシル基、ホスホノ基およびスルホ基は塩の状態であってもよく、塩を形成する対イオンの例には、アンモニウムイオン、アルカリ金属イオン（例、リチウムイオン、ナトリウムイオン、カリウムイオン）および有機カチオン（例、テトラメチルアンモニウムイオン、テトラメチルグアニジウムイオン、テトラメチルホスホニウム）が含まれる。対イオンのなかでも、アルカリ金属塩が好ましく、特にリチウム塩は染料の溶解性を高めインク安定性を向上させるため特に好ましい。
【０２８６】
イオン性親水性基の数としては、フタロシアニン系染料１分子中少なくとも２個有することが好ましく、スルホ基および／またはカルボキシル基を少なくとも２個有することが特に好ましい。
【０２８７】
ａ２１〜ａ２４およびｂ２１〜ｂ２４は、それぞれＸ２１〜Ｘ２４およびＹ２１〜Ｙ２４の置換基数を表す。ａ２１〜ａ２４は、それぞれ独立に、０〜４の整数を表すが、全てが同時に０になることはない。ｂ２１〜ｂ２４は、それぞれ独立に、０〜４の整数を表す。なお、ａ２１〜ａ２４およびｂ２１〜ｂ２４のいずれかが２以上の整数であるときは、Ｘ２１〜Ｘ２４およびＹ２１〜Ｙ２４のいずれかは複数個存在することになり、それらは同一でも異なっていてもよい。
【０２８８】
ａ２１とｂ２１は、ａ２１＋ｂ２１＝４の関係を満たす。特に好ましいのは、ａ２１が１または２を表し、ｂ２１が３または２を表す組み合わせであり、そのなかでも、ａ２１が１を表し、ｂ２１が３を表す組み合わせが最も好ましい。
【０２８９】
ａ２２とｂ２２、ａ２３とｂ２３、ａ２４とｂ２４の各組み合わせにおいても、ａ２１とｂ２１の組み合わせと同様の関係であり、好ましい組み合わせも同様である。
【０２９０】
Ｍは、水素原子、金属元素またはその酸化物、水酸化物もしくはハロゲン化物を表す。
Ｍとして好ましいものは、水素原子の他に、金属元素として、Ｌｉ、Ｎａ、Ｋ、Ｍｇ、Ｔｉ、Ｚｒ、Ｖ、Ｎｂ、Ｔａ、Ｃｒ、Ｍｏ、Ｗ、Ｍｎ、Ｆｅ、Ｃｏ、Ｎｉ、Ｒｕ、Ｒｈ、Ｐｄ、Ｏｓ、Ｉｒ、Ｐｔ、Ｃｕ、Ａｇ、Ａｕ、Ｚｎ、Ｃｄ、Ｈｇ、Ａｌ、Ｇａ、Ｉｎ、Ｓｉ、Ｇｅ、Ｓｎ、Ｐｂ、Ｓｂ、Ｂｉ等が挙げられる。酸化物としては、ＶＯ、ＧｅＯ等が好ましく挙げられる。
また、水酸化物としては、Ｓｉ（ＯＨ）２、Ｃｒ（ＯＨ）２、Ｓｎ（ＯＨ）２等が好ましく挙げられる。さらに、ハロゲン化物としては、ＡｌＣｌ、ＳｉＣｌ２、ＶＣｌ、ＶＣｌ２、ＶＯＣｌ、ＦｅＣｌ、ＧａＣｌ、ＺｒＣｌ等が挙げられる。なかでも、Ｃｕ、Ｎｉ、Ｚｎ、Ａｌ等が好ましく、Ｃｕが最も好ましい。
また、Ｌ（２価の連結基）を介してＰｃ（フタロシアニン環）が２量体（例えば、Ｐｃ−Ｍ−Ｌ−Ｍ−Ｐｃ）または３量体を形成してもよく、その時のＭはそれぞれ同一であっても異なるものであってもよい。
【０２９１】
Ｌで表される２価の連結基は、オキシ基−Ｏ−、チオ基−Ｓ−、カルボニル基−ＣＯ−、スルホニル基−ＳＯ２−、イミノ基−ＮＨ−、メチレン基−ＣＨ２−、およびこれらを組み合わせて形成される基が好ましい。
【０２９２】
前記一般式（Ｃ−１）で表される化合物の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０２９３】
前記一般式（Ｃ−１）で表されるフタロシアニン染料のなかでも、下記一般式（Ｃ−２）で表される化合物が更に好ましい。
一般式（Ｃ−２）：
【化５８】
2014152231.tif 000064
【０２９４】
一般式（Ｃ−２）において、Ｘ５１〜Ｘ５４およびＹ５１〜Ｙ５８、Ｍ１は一般式（Ｃ−１）の中のＸ２１〜Ｘ２４およびＹ２１〜Ｙ２４、Ｍとそれぞれ同義である。ａ５１〜ａ５４はそれぞれ独立に１または２の整数を表す。
以下に一般式（Ｃ−２）で表されるフタロシアニン染料について詳しく述べる。
【０２９５】
前記一般式（Ｃ−２）において、Ｘ５１〜Ｘ５４、Ｙ５１〜Ｙ５８は一般式（Ｃ−１）の中のＸ２１〜Ｘ２４、Ｙ２１〜Ｙ２４とそれぞれ同義であり、好ましい例も同じである。また、Ｍ１は一般式（Ｃ−１）中のＭと同義であり、好ましい例も同様である。
【０２９６】
一般式（Ｃ−２）中、ａ５１〜ａ５４は、それぞれ独立に、１または２の整数であり、好ましくは４≦ａ５１＋ａ５２＋ａ５３＋ａ５４≦６を満たし、特に好ましくはａ５１＝ａ５２＝ａ５３＝ａ５４＝１のときである。
【０２９７】
Ｘ５１、Ｘ５２、Ｘ５３およびＸ５４は、それぞれ全く同じ置換基であってもよく、あるいは例えばＸ５１、Ｘ５２、Ｘ５３およびＸ５４が全て−ＳＯ２−Ｚ５であり、かつ各Ｚ５は異なるものを含む場合のように、同じ種類の置換基であるが部分的に互いに異なる置換基であってもよく、あるいは互いに異なる置換基を、例えば−ＳＯ２−Ｚ５と−ＳＯ２ＮＲ５１Ｒ５２を含んでいてもよい。
【０２９８】
一般式（Ｃ−２）で表されるフタロシアニン染料のなかでも、特に好ましい置換基の組み合わせは、以下の通りである。
Ｘ５１〜Ｘ５４としては、それぞれ独立に、−ＳＯ−Ｚ５、−ＳＯ２−Ｚ５、−ＳＯ２ＮＲ５１Ｒ５２または−ＣＯＮＲ５１Ｒ５２が好ましく、特に−ＳＯ２−Ｚ５または−ＳＯ２ＮＲ５１Ｒ５２が好ましく、−ＳＯ２−Ｚ５が最も好ましい。
【０２９９】
Ｚ５は、それぞれ独立に、置換もしくは無置換のアルキル基、置換もしくは無置換のアリール基、置換もしくは無置換のヘテロ環基が好ましく、そのなかでも、置換アルキル基、置換アリール基、置換ヘテロ環基が最も好ましい。特に染料の溶解性やインク安定性を高めるという理由から、置換基中に不斉炭素を有する場合（ラセミ体での使用）が好ましい。また、会合性を高め堅牢性を向上させるという理由から、水酸基、エーテル基、エステル基、シアノ基、アミド基、スルホンアミド基が置換基中に有する場合が好ましい。
【０３００】
Ｒ５１、Ｒ５２は、それぞれ独立に、水素原子、置換もしくは無置換のアルキル基、置換もしくは無置換のアリール基、置換もしくは無置換のヘテロ環基が好ましく、そのなかでも、水素原子、置換アルキル基、置換アリール基、置換ヘテロ環基がより好ましい。ただしＲ５１、Ｒ５２が共に水素原子であることは好ましくない。特に染料の溶解性やインク安定性を高めるという理由から、置換基中に不斉炭素を有する場合（ラセミ体での使用）が好ましい。また、会合性を高め堅牢性を向上させるという理由から、水酸基、エーテル基、エステル基、シアノ基、アミド基、スルホンアミド基が置換基中に有する場合が好ましい。
【０３０１】
Ｙ５１〜Ｙ５８は、それぞれ独立に、水素原子、ハロゲン原子、アルキル基、アリール基、シアノ基、アルコキシ基、アミド基、ウレイド基、スルホンアミド基、カルバモイル基、スルファモイル基、アルコキシカルボニル基、カルボキシル基、およびスルホ基が好ましく、特に水素原子、ハロゲン原子、シアノ基、カルボキシル基、またはスルホ基であることが好ましく、水素原子であることが最も好ましい。
【０３０２】
ａ５１〜ａ５４は、それぞれ独立に、１または２であることが好ましく、全てが１であることが特に好ましい。
【０３０３】
Ｍ１は、水素原子、金属元素またはその酸化物、水酸化物もしくはハロゲン化物を表し、特にＣｕ、Ｎｉ、Ｚｎ、Ａｌが好ましく、なかでも特に特にＣｕが最も好ましい。
【０３０４】
前記一般式（Ｃ−２）で表されるフタロシアニン染料が水溶性である場合には、イオン性親水性基を有することが好ましい。イオン性親水性基には、スルホ基、カルボキシル基、ホスホノ基および４級アンモニウム基等が含まれる。前記イオン性親水性基としては、カルボキシル基、ホスホノ基、およびスルホ基が好ましく、特にカルボキシル基、スルホ基が好ましい。カルボキシル基、ホスホノ基およびスルホ基は塩の状態であってもよく、塩を形成する対イオンの例には、アンモニウムイオン、アルカリ金属イオン（例、リチウムイオン、ナトリウムイオン、カリウムイオン）および有機カチオン（例、テトラメチルアンモニウムイオン、テトラメチルグアニジウムイオン、テトラメチルホスホニウム）が含まれる。対イオンのなかでも、アルカリ金属塩が好ましく、特にリチウム塩は染料の溶解性を高めインク安定性を向上させるため特に好ましい。
【０３０５】
イオン性親水性基の数としては、フタロシアニン系染料１分子中に少なくとも２個有することが好ましく、スルホ基および／またはカルボキシル基を少なくとも２個有することが特に好ましい。
【０３０６】
前記一般式（Ｃ−２）で表される化合物の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０３０７】
一般式（Ｃ−２）で表される化合物の化学構造としては、スルフィニル基、スルホニル基、スルファモイル基のような電子吸引性基を、フタロシアニンの４つの各ベンゼン環に少なくとも一つずつ、フタロシアニン骨格全体の置換基のσｐ値の合計で１．６以上となるように導入することが好ましい。
【０３０８】
ここで、本明細書中で用いられるハメットの置換基定数σｐ値について説明する。ハメット則はベンゼン誘導体の反応または平衡に及ぼす置換基の影響を定量的に論ずるために１９３５年にＬ．Ｐ．Ｈａｍｍｅｔｔにより提唱された経験則であるが、これは今日広く妥当性が認められている。ハメット則に求められた置換基定数にはσｐ値とσｍ値があり、これらの値は多くの一般的な成書に見出すことができるが、例えば、Ｊ．Ａ．Ｄｅａｎ編、「Ｌａｎｇｅ’ｓ  Ｈａｎｄｂｏｏｋ  ｏｆ  Ｃｈｅｍｉｓｔｒｙ」第１２版、１９７９年（ＭｃＧｒａｗ−Ｈｉｌｌ）や「化学の領域」増刊、１２２号、９６〜１０３頁、１９７９年（南光堂）に詳しい。尚、本発明において各置換基をハメットの置換基定数σｐにより限定したり、説明したりするが、これは上記の成書で見出せる、文献既知の値がある置換基にのみ限定されるという意味ではなく、その値が文献未知であってもハメット則に基づいて測定した場合にその範囲内に包まれるであろう置換基をも含むことはいうまでもない。また、本発明の一般式（３−Ａ）の中には、ベンゼン誘導体ではない物も含まれるが、置換基の電子効果を示す尺度として、置換位置に関係なくσｐ値を使用する。本発明において、σｐ値をこのような意味で使用する。
【０３０９】
ハメット置換基定数σｐ値が０．６０以上の電子吸引性基としては、シアノ基、ニトロ基、アルキルスルホニル基（例えばメチルスルホニル基、アリールスルホニル基（例えばフェニルスルホニル基）を例として挙げることができる。
【０３１０】
ハメットσｐ値が０．４５以上の電子吸引性基としては、上記に加えアシル基（例えばアセチル基）、アルコキシカルボニル基（例えばドデシルオキシカルボニル基）、アリールオキシカルボニル基（例えば、ｍ−クロロフェノキシカルボニル）、アルキルスルフィニル基（例えば、ｎ−プロピルスルフィニル）、アリールスルフィニル基（例えばフェニルスルフィニル）、スルファモイル基（例えば、Ｎ−エチルスルファモイル、Ｎ，Ｎ−ジメチルスルファモイル）、ハロゲン化アルキル基（例えば、トリフロロメチル）を挙げることができる。
【０３１１】
ハメット置換基定数σｐ値が０．３０以上の電子吸引性基としては、上記に加え、アシルオキシ基（例えば、アセトキシ）、カルバモイル基（例えば、Ｎ−エチルカルバモイル、Ｎ，Ｎ−ジブチルカルバモイル）、ハロゲン化アルコキシ基（例えば、トリフロロメチルオキシ）、ハロゲン化アリールオキシ基（例えば、ペンタフロロフェニルオキシ）、スルホニルオキシ基（例えばメチルスルホニルオキシ基）、ハロゲン化アルキルチオ基（例えば、ジフロロメチルチオ）、２つ以上のσｐ値が０．１５以上の電子吸引性基で置換されたアリール基（例えば、２，４−ジニトロフェニル、ペンタクロロフェニル）、およびヘテロ環（例えば、２−ベンゾオキサゾリル、２−ベンゾチアゾリル、１−フェニルー２−ベンゾイミダゾリル）を挙げることができる。
σｐ値が０．２０以上の電子吸引性基の具体例としては、上記に加え、ハロゲン原子などが挙げられる。
【０３１２】
一般式（Ｃ−２）で表される化合物は、特表２００７−５１０７６０号公報等に記載された方法により合成することができる。
【０３１３】
以下に、一般式（Ｃ−２）で表される化合物の具体例を示すが、これらに限定されるものではない。
【０３１４】
【化５９】
2014152231.tif 000065
【０３１５】
【化６０】
2014152231.tif 000066
【０３１６】
【化６１】
2014152231.tif 000067
【０３１７】
【化６２】
2014152231.tif 000068
【０３１８】
【化６３】
2014152231.tif 000069
【０３１９】
【化６４】
2014152231.tif 000070
【０３２０】
【化６５】
2014152231.tif 000071
【０３２１】
【化６６】
2014152231.tif 000072
【０３２２】
【化６７】
2014152231.tif 000073
【０３２３】
【化６８】
2014152231.tif 000074
【０３２４】
【化６９】
2014152231.tif 000075
【０３２５】
【化７０】
2014152231.tif 000076
【０３２６】
【化７１】
2014152231.tif 000077
【０３２７】
【化７２】
2014152231.tif 000078
【０３２８】
【化７３】
2014152231.tif 000079
【０３２９】
【化７４】
2014152231.tif 000080
【０３３０】
【化７５】
2014152231.tif 000081
【０３３１】
【化７６】
2014152231.tif 000082
【０３３２】
なお、化合物No.１４６〜１９１で示されるフタロシアニン化合物の構造は下記一般式（Ｃ）の通りである。なお、ｍ、ｎは置換数を示す。ＹｑとＹｑ’は各々独立に、水素原子、置換若しくは無置換のアルキル基、カルボキシル基、又はアミノ基を表す。
一般式（Ｃ）：
【０３３３】
【化７７】
2014152231.tif 000083
【０３３４】
本発明のインクセットは、シアンインク組成物中、一般式（Ｃ−１）で表される化合物を好ましくは、０．２〜２０質量％含有し、より好ましくは、０．５〜１５質量％含有する。
【０３３５】
シアンインク組成物は、一般式（Ｃ−１）で表される化合物以外の成分を含有してもよい。これらの成分としては、上記イエローインク組成物において説明した染料、顔料、水溶性有機溶剤、その他の添加剤が挙げられる。
【０３３６】
＜マゼンタインク組成物＞
［一般式（Ｄ−１）で表される化合物］
下記一般式（Ｄ−１）で表される化合物について説明する。
下記一般式（Ｄ−１）で表される化合物は、マゼンタインク組成物に用いられることが好ましい。
一般式（Ｄ−１）：
【０３３７】
【化７８】
2014152231.tif 000084
【０３３８】
一般式（Ｄ−１）中、Ａ３１は５員ヘテロ環ジアゾ成分Ａ３１−Ｎ２−の残基を表す。
Ｂ３１およびＢ３２は各々＝ＣＲ３１−、−ＣＲ３２＝を表すか、あるいはいずれか一方が窒素原子、他方が＝ＣＲ３１−または−ＣＲ３２＝を表す。Ｒ３５、Ｒ３６は各々独立に水素原子、脂肪族基、芳香族基、ヘテロ環基、アシル基、アルコキシカルボニル基、アリールオキシカルボニル基、カルバモイル基、アルキルもしくはアリールスルホニル基、またはスルファモイル基を表し、各基は更に置換基を有していても良い。
Ｇ３、Ｒ３１、Ｒ３２は各々独立して、水素原子、ハロゲン原子、脂肪族基、芳香族基、ヘテロ環基、シアノ基、カルボキシル基、カルバモイル基、アルコキシカルボニル基、アリールオキシカルボニル基、ヘテロ環オキシカルボニル基、アシル基、ヒドロキシ基、アルコキシ基、アリールオキシ基、ヘテロ環オキシ基、シリルオキシ基、アシルオキシ基、カルバモイルオキシ基、アルコキシカルボニルオキシ基、アリールオキシカルボニルオキシ基、アミノ基（アリールアミノ基、ヘテロ環アミノ基を含む）、アシルアミノ基、ウレイド基、スルファモイルアミノ基、アルコキシカルボニルアミノ基、アリールオキシカルボニルアミノ基、アルキルもしくはアリールスルホニルアミノ基、ヘテロ環スルホニルアミノ基、ニトロ基、アルキル及びアリールチオ基、アルキル及びアリールスルホニル基、ヘテロ環スルホニル基、アルキル及びアリールスルフィニル基、ヘテロ環スルフィニル基、スルファモイル基、スルホ基、またはヘテロ環チオ基を表し、各基は更に置換されていても良い。
Ｒ３１とＲ３５、あるいはＲ３５とＲ３６が結合して５乃至６員環を形成しても良い。
【０３３９】
一般式（Ｄ−１）について更に詳細に説明する。
一般式（Ｄ−１）において、Ａ31は５員ヘテロ環基を表すが、ヘテロ環のヘテロ原子の例には、Ｎ、Ｏ、およびＳを挙げることができる。好ましくは含窒素５員ヘテロ環であり、ヘテロ環に脂肪族環、芳香族環または他のヘテロ環が縮合していてもよい。Ａ31の好ましいヘテロ環の例には、ピラゾール環、イミダゾール環、チアゾール環、イソチアゾール環、チアジアゾール環、ベンゾチアゾール環、ベンゾオキサゾール環、ベンゾイソチアゾール環を挙げる事ができる。各ヘテロ環基は更に置換基を有していても良い。中でも下記一般式（ａ）から（ｆ）で表されるピラゾール環、イミダゾール環、イソチアゾール環、チアジアゾール環、ベンゾチアゾール環が好ましい。
【０３４０】
下記一般式（ａ）から（ｆ）において、Ｒ７からＲ２０は一般式（Ｄ−１）におけるＧ3、Ｒ31、Ｒ32と同じ置換基を表す。
一般式（ａ）から（ｆ）のうち、好ましいのは一般式（ａ）、（ｂ）で表されるピラゾール環、イソチアゾール環であり、最も好ましいのは一般式（ａ）で表されるピラゾール環である。
【０３４１】
【化７９】
2014152231.tif 000085
【０３４２】
一般式（Ｄ−１）において、Ｂ３１およびＢ３２は各々＝ＣＲ３１−および−ＣＲ３２＝を表すか、あるいはいずれか一方が窒素原子、他方が＝ＣＲ３１−または−ＣＲ３２＝を表すが、各々＝ＣＲ３１−、−ＣＲ３２＝を表すものがより好ましい。
【０３４３】
Ｒ３５およびＲ３６は各々独立に水素原子または置換基を表し、該置換基は脂肪族基、芳香族基、ヘテロ環基、アシル基、アルコキシカルボニル基、アリールオキシカルボニル基、カルバモイル基、アルキルスルホニル基、アリールスルホニル基、またはスルファモイル基を表し、該各置換基の水素原子は置換されていても良い。
【０３４４】
Ｒ３５、Ｒ３６は好ましくは、水素原子、脂肪族基、芳香族基、ヘテロ環基、アシル基、アルキルまたはアリールスルホニル基を挙げる事ができる。さらに好ましくは水素原子、芳香族基、ヘテロ環基、アシル基、アルキルまたはアリールスルホニル基である。最も好ましくは、水素原子、アリール基、ヘテロ環基である。該各置換基の水素原子は置換されていても良い。ただし、Ｒ３５およびＲ３６が同時に水素原子であることはない。
【０３４５】
Ｇ３、Ｒ３１およびＲ３２は各々独立して、水素原子または置換基を示し、該置換基は、ハロゲン原子、脂肪族基、芳香族基、ヘテロ環基、シアノ基、カルボキシル基、カルバモイル基、アルコキシカルボニル基、アリールオキシカルボニル基、ヘテロ環オキシカルボニル基、アシル基、ヒドロキシ基、アルコキシ基、アリールオキシ基、ヘテロ環オキシ基、シリルオキシ基、アシルオキシ基、カルバモイルオキシ基、アルコキシカルボニルオキシ基、アリールオキシカルボニルオキシ基、アミノ基、アシルアミノ基、ウレイド基、スルファモイルアミノ基、アルコキシカルボニルアミノ基、アリールオキシカルボニルアミノ基、アルキルスルホニルアミノ基、アリールスルホニルアミノ基、ヘテロ環スルホニルアミノ基、ニトロ基、アルキルチオ基、アリールチオ基、ヘテロ環チオ基、アルキルスルホニル基、アリールスルホニル基、ヘテロ環スルホニル基、アルキルスルフィニル基、アリールスルフィニル基、ヘテロ環スルフィニル基、スルファモイル基、またはスルホ基を表し、該各置換基の水素原子は置換されていても良い。
【０３４６】
Ｇ３としては水素原子、ハロゲン原子、脂肪族基、芳香族基、ヒドロキシ基、アルコキシ基、アリールオキシ基、アシルオキシ基、ヘテロ環オキシ基、アミノ基、アシルアミノ基、ウレイド基、スルファモイルアミノ基、アルコキシカルボニルアミノ基、アリールオキシカルボニルアミノ基、アルキル及びアリールチオ基、またはヘテロ環チオ基が好ましく、更に好ましくは水素原子、ハロゲン原子、アルキル基、ヒドロキシ基、アルコキシ基、アリールオキシ基、アシルオキシ基、アミノ基またはアシルアミノ基であり、中でも水素原子、アミノ基（好ましくは、アニリノ基）、アシルアミノ基が最も好ましい。該各置換基の水素原子は置換されていても良い。
【０３４７】
Ｒ３１、Ｒ３２として好ましいものは、水素原子、アルキル基、ハロゲン原子、アルコキシカルボニル基、カルボキシル基、カルバモイル基、ヒドロキシ基、アルコキシ基、シアノ基を挙げる事ができる。該各置換基の水素原子は置換されていても良い。
Ｒ３１とＲ３５、あるいはＲ３５とＲ３６が結合して５〜６員環を形成しても良い。
【０３４８】
Ａ３１が置換基を有する場合、またはＲ３１、Ｒ３２、Ｒ３５、Ｒ３６またはＧ３の置換基が更に置換基を有する場合の置換基としては、上記Ｇ３、Ｒ３１、Ｒ３２で挙げた置換基を挙げる事ができる。
【０３４９】
本発明の染料が水溶性染料である場合には、Ａ３１、Ｒ３１、Ｒ３２、Ｒ３５、Ｒ３６、Ｇ３上のいずれかの位置に置換基としてさらにイオン性親水性基を有することが好ましい。置換基としてのイオン性親水性基には、スルホ基、カルボキシル基、ホスホノ基および４級アンモニウム基等が含まれる。前記イオン性親水性基としては、カルボキシル基、ホスホノ基、およびスルホ基が好ましく、特にカルボキシル基、スルホ基が好ましい。カルボキシル基、ホスホノ基およびスルホ基は塩の状態であってもよく、塩を形成する対イオンの例には、アンモニウムイオン、アルカリ金属イオン（例、リチウムイオン、ナトリウムイオン、カリウムイオン）および有機カチオン（例、テトラメチルアンモニウムイオン、テトラメチルグアニジウムイオン、テトラメチルホスホニウム）が含まれる。
【０３５０】
一般式（Ｄ−１）の中でも、特に好ましい構造は、下記一般式（Ｄ−２）で表されるものである。
【０３５１】
一般式（Ｄ−２）：
【化８０】
2014152231.tif 000086
【０３５２】
一般式（Ｄ−２）において、Ｒ３１、Ｒ３２、Ｒ３５およびＲ３６は一般式（Ｄ−１）と同義である。
Ｒ３３およびＲ３４は各々独立に水素原子または置換基を表し、該置換基は脂肪族基、芳香族基、ヘテロ環基、アシル基、アルコキシカルボニル基、アリールオキシカルボニル基、カルバモイル基、アルキルスルホニル基、アリールスルホニル基、またはスルファモイル基を表す。
Ｚ３１はハメットの置換基定数σｐ値が０．２０以上の電子求引性基を表す。
Ｚ３２は水素原子または置換基を表し、該置換基は脂肪族基、芳香族基もしくはヘテロ環基を表す。
Ｑは水素原子または置換基を表し、該置換基は脂肪族基、芳香族基もしくはヘテロ環基を表す。
【０３５３】
一般式（Ｄ−２）中、Ｒ３１、Ｒ３２、Ｒ３５およびＲ３６は一般式（Ｄ−１）と同義である。
Ｒ３３およびＲ３４は各々独立に水素原子または置換基を表し、該置換基は脂肪族基、芳香族基、ヘテロ環基、アシル基、アルコキシカルボニル基、アリールオキシカルボニル基、カルバモイル基、アルキルスルホニル基、アリールスルホニル基、またはスルファモイル基を表す。中でも水素原子、芳香族基、ヘテロ環基、アシル基、アルキルスルホニル基もしくはアリールスルホニル基が好ましく、水素原子、芳香族基、ヘテロ環基が特に好ましい。
【０３５４】
Ｚ３１はハメットの置換基定数σｐ値が０．２０以上の電子吸引性基を表す。Ｚ３１はσｐ値が０．３０以上の電子吸引性基であるのが好ましく、０．４５以上の電子吸引性基が更に好ましく、０．６０以上の電子吸引性基が特に好ましいが、１．０を超えないことが望ましい。好ましい具体的な置換基については後述する電子吸引性置換基を挙げることができるが、中でも、炭素数２〜２０のアシル基、炭素数２〜２０のアルキルオキシカルボニル基、ニトロ基、シアノ基、炭素数１〜２０のアルキルスルホニル基、炭素数６〜２０のアリールスルホニル基、炭素数１〜２０のカルバモイル基及び炭素数１〜２０のハロゲン化アルキル基が好ましい。特に好ましいものは、シアノ基、炭素数１〜２０のアルキルスルホニル基、炭素数６〜２０のアリールスルホニル基であり、最も好ましいものはシアノ基である。
【０３５５】
Ｚ３２は水素原子または置換基を表し、該置換基は脂肪族基、芳香族基もしくはヘテロ環基を表す。Ｚ３２は好ましくは脂肪族基であり、更に好ましくは炭素数１〜６のアルキル基である。
【０３５６】
Ｑは水素原子または置換基を表し、該置換基は脂肪族基、芳香族基もしくはヘテロ環基を表す。中でもＱは５〜８員環を形成するのに必要な非金属原子群からなる基が好ましい。前記５〜８員環は置換されていてもよいし、飽和環であっても不飽和結合を有していてもよい。その中でも特に芳香族基、ヘテロ環基が好ましい。好ましい非金属原子としては、窒素原子、酸素原子、イオウ原子または炭素原子が挙げられる。そのような環構造の具体例としては、例えばベンゼン環、シクロペンタン環、シクロヘキサン環、シクロヘプタン環、シクロオクタン環、シクロヘキセン環、ピリジン環、ピリミジン環、ピラジン環、ピリダジン環、トリアジン環、イミダゾール環，ベンゾイミダゾール環、オキサゾール環、ベンゾオキサゾール環、チアゾール環、ベンゾチアゾール環、オキサン環、スルホラン環およびチアン環等が挙げられる。
【０３５７】
一般式（Ｄ−２）で説明した各置換基の水素原子は置換されていても良い。該置換基としては、一般式（Ｄ−１）で説明した置換基、Ｇ３、Ｒ３１、Ｒ３２で例示した基やイオン性親水性基が挙げられる。
【０３５８】
前記一般式（Ｄ−１）で表されるアゾ染料として特に好ましい置換基の組み合わせは、Ｒ３５およびＲ３６として好ましくは、水素原子、アルキル基、アリール基、ヘテロ環基、スルホニル基、アシル基であり、さらに好ましくは水素原子、アリール基、ヘテロ環基、スルホニル基であり、最も好ましくは、水素原子、アリール基、ヘテロ環基である。ただし、Ｒ３５およびＲ３６が共に水素原子であることは無い。
【０３５９】
Ｇ３として好ましくは、水素原子、ハロゲン原子、アルキル基、ヒドロキシル基、アミノ基、アシルアミノ基であり、さらに好ましくは水素原子、ハロゲン原子、アミノ基、アシルアミノ基であり、もっとも好ましくは水素原子、アミノ基、アシルアミノ基である。
【０３６０】
Ａ３１のうち、好ましくはピラゾール環、イミダゾール環、イソチアゾール環、チアジアゾール環、ベンゾチアゾール環であり、さらにはピラゾール環、イソチアゾール環であり、最も好ましくはピラゾール環である。
【０３６１】
Ｂ３１およびＢ３２がそれぞれ＝ＣＲ３１−、−ＣＲ３２＝であり、Ｒ３１、Ｒ３２は各々好ましくは水素原子、アルキル基、ハロゲン原子、シアノ基、カルバモイル基、カルボキシル基、ヒドロキシル基、アルコキシ基、アルコキシカルボニル基であり、さらに好ましくは水素原子、アルキル基、カルボキシル基、シアノ基、カルバモイル基である。
【０３６２】
尚、前記一般式（Ｄ−１）で表される化合物の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０３６３】
前記一般式（Ｄ−１）で表される化合物の具体例を以下に示すが、これらに限定されるものではない。
【０３６４】
【化８１】
2014152231.tif 000087
【０３６５】
【化８２】
2014152231.tif 000088
【０３６６】
【化８３】
2014152231.tif 000089
【０３６７】
【化８４】
2014152231.tif 000090
【０３６８】
【化８５】
2014152231.tif 000091
【０３６９】
【化８６】
2014152231.tif 000092
【０３７０】
【化８７】
2014152231.tif 000093
【０３７１】
【化８８】
2014152231.tif 000094
【０３７２】
【化８９】
2014152231.tif 000095
【０３７３】
【化９０】
2014152231.tif 000096
【０３７４】
【化９１】
2014152231.tif 000097
【０３７５】
【化９２】
2014152231.tif 000098
【０３７６】
【化９３】
2014152231.tif 000099
【０３７７】
【化９４】
2014152231.tif 000100
【０３７８】
本発明のインクセットは、マゼンタインク組成物中、一般式（Ｄ−１）で表される染料を好ましくは、０．２〜２０質量％含有し、より好ましくは、０．５〜１５質量％含有する。また、その染料の20℃における水への溶解度（又は安定状態での分散度）は、５質量％以上が好ましく、より好ましくは１０質量％以上である。
【０３７９】
マゼンタインク組成物は、一般式（Ｄ−１）で表される化合物以外の成分を含有してもよい。これらの成分としては、上記イエローインク組成物において説明した染料、顔料、水溶性有機溶剤、その他の添加剤が挙げられる。
【０３８０】
＜ブラックインク組成物＞
［一般式（Ｅ−１）で表される化合物］
下記一般式（Ｅ−１）で表される化合物について説明する。
本発明のインクセットにおいて、一般式（Ｅ−１）で表される化合物は、ブラックインク組成物に含有されることが好ましい。
一般式（Ｅ−１）：
Ａ４１−（Ｎ＝Ｎ−（Ｂ４１）ｍ）ｎ−Ｎ＝Ｎ−Ｃ４１
一般式（Ｅ−１）中、Ａ４１、Ｂ４１およびＣ４１は、それぞれ独立に、置換されていてもよい芳香族基または置換されていてもよいヘテロ環基を表し、Ａ４１およびＣ４１は一価の基であり、Ｂ４１は二価の基である。また、ｍは１または２であり、ｎは０以上の整数である。ただし、Ａ４１、Ｂ４１およびＣ４１の少なくとも１つはヘテロ環基である。
【０３８１】
一般式（Ｅ−１）中、Ａ４１、Ｂ４１およびＣ４１は、それぞれ独立に、置換されていてもよい芳香族基または置換されていてもよいヘテロ環基を表す（Ａ４１およびＣ４１は一価の基であり、Ｂ４１は二価の基である）。
ｍは１または２であり、ｎは０以上の整数であり、好ましくはｍ＝ｎ＝１である。
【０３８２】
一般式（Ｅ−１）において、Ａ４１、Ｂ４１、Ｃ４１は、それぞれ独立して、置換されていてもよい芳香族基（Ａ４１、Ｃ４１は１価の芳香族基、例えばアリール基；Ｂ４１は２価の芳香族基、例えばアリーレン基）または置換されていてもよいヘテロ環基（Ａ４１、Ｃ４１は１価のヘテロ環基；Ｂ４１は２価のヘテロ環基）を表す。芳香族環の例としてはベンゼン環やナフタレン環をあげることができ、ヘテロ環のヘテロ原子としてはＮ、Ｏ、およびＳをあげることができる。ヘテロ環に脂肪族環、芳香族環または他のヘテロ環が縮合していてもよい。
置換基としてはアリールアゾ基またはヘテロ環アゾ基であってもよい。
Ａ４１、Ｂ４１、Ｃ４１の少なくとも１つがヘテロ環基であるのが好ましく、Ａ４１、Ｂ４１、Ｃ４１の少なくとも２つがヘテロ環基であるのがより好ましい。また、Ａ４１、Ｂ４１、Ｃ４１の全てがヘテロ環基であってもよい。
【０３８３】
Ｂ４１が環構造であるときの好ましいヘテロ環としてはチオフェン環、チアゾール環、イミダゾール環、ベンゾチアゾール環、チエノチアゾール環を挙げることができる。各ヘテロ環基は更に置換基を有していても良い。
【０３８４】
一般式（Ｅ−１）で表される化合物は、下記一般式（Ｅ−２）で表される化合物であることが好ましい。
一般式（Ｅ−２）：
【０３８５】
【化９５】
2014152231.tif 000101
【０３８６】
一般式（Ｅ−２）中、Ａ１は置換若しくは無置換のアリール基、又は置換若しくは無置換のヘテロ環基を表す。
Ｒ１は置換又は無置換のアリール基を表す。
Ｇ１は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｂ１、及びＢ２はそれぞれ独立に、窒素原子又は−Ｃ（Ｒ６１）＝を表す。Ｒ６１は、水素原子、アルキル基、スルホ基、カルボキシ基、置換若しくは無置換のカルバモイル基、又はシアノ基を表す。
Ｒ２及びＲ３はそれぞれ独立に、水素原子、置換若しくは無置換のアリール基、置換若しくは無置換のアルキル基、置換若しくは無置換のアルキルアミノ基、又は置換若しくは無置換のアリールアミノ基を表す。
Ｒ４は水素原子、置換若しくは無置換のアルキルアミノ基、又は置換若しくは無置換のアリールアミノ基を表す。
【０３８７】
Ａ１は置換若しくは無置換のアリール基、又は置換若しくは無置換のヘテロ環基を表し、置換アリール基であることが好ましい。Ａ１が、置換基を有する場合の置換基としては、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、又は置換又は無置換のスルファモイル基であることが好ましく、イオン性親水性基、シアノ基、メタンスルホニル基、フェニルスルホニル基、ニトロ基、メトキシカルボニル基、カルバモイル基であることがより好ましく、イオン性親水性基、又はシアノ基であることがより好ましく、イオン親水性基であることが更に好ましい。
Ｒ１は置換又は無置換のアリール基を表し、該アリール基としては、フェニル基又はナフチル基が好ましい。
上記アリール基が有してもよい置換基としては、イオン性親水性基、置換若しくは無置換のアミノ基、置換若しくは無置換のカルバモイル基、置換若しくは無置換のスルファモイル基、置換若しくは無置換のアルキルスルホニルアミノ基、置換若しくは無置換のアリールスルホニルアミノ基、置換若しくは無置換のアシルアミノ基のいずれかであることが好ましい。置換若しくは無置換のアミノ基である場合、ヘテロ環アミノ基であることが好ましい。
置換基としては、イオン性親水性基、置換若しくは無置換のヘテロ環アミノ基、置換若しくは無置換のアルキルスルホニルアミノ基、置換若しくは無置換のアリールスルホニルアミノ基、置換若しくは無置換のアシルアミノ基のいずれかであることがより好ましく、水素原子、置換若しくは無置換のヘテロ環アミノ基、置換若しくは無置換のアリールスルホニルアミノ基、置換若しくは無置換のアシルアミノ基のいずれかであることが特に好ましい。
【０３８８】
ヘテロ環アミノ基、スルファモイル基、アルキルスルホニルアミノ基、アリールスルホニルアミノ基、アシルアミノ基が置換基を有する場合の置換基としては、それぞれ独立に、イオン性親水性基（例えば、−ＣＯ２Ｍ、−ＳＯ３Ｍ：Ｍは一価のカウンターカチオン）であることより好ましい。
該置換基は更に置換基を有していてもよく、更なる置換基としては、水酸基、置換若しくは無置換のアミノ基又はイオン性親水性基を有していてもよいアリール基、イオン性親水性基を有していてもよいヘテロ環基を挙げることができ、置換若しくは無置換のアミノ基であることが好ましい。該置換アミノ基の置換基としては、例えば、置換若しくは無置換のアルキル基、置換若しくは無置換のアリール基、置換若しくは無置換のヘテロ環基であることが好ましく、イオン性親水性基で置換されたアルキル基、又はイオン性親水性基で置換されたアリール基であることがより好ましい。
【０３８９】
ヘテロ環アミノ基としては、置換若しくは無置換のトリアジニルアミノ基が好ましく、置換基を有するトリアジニルアミノ基がより好ましい。
トリアジニルアミノ基が有する置換基としては、置換若しくは無置換のアミノ基が好ましく、置換若しくは無置換のアミノ基であることが特に好ましい。
該置換アミノ基の置換基としては、上述の例が好適に用いられる。ここで、イオン性親水性基で置換されたアルキル基におけるアルキル基としては、メチル基、エチル基、又はｎ−プロピル基が好ましく、エチル基がより好ましい。イオン性親水性基で置換されたアリール基におけるアリール基としてはフェニル基が好ましい。
【０３９０】
アシルアミノ基としては、アルキルカルボニルアミノ基、イオン性親水性基を置換基として有するアルキルカルボニルアミノ基、イオン性親水性基を置換基として有するアリールカルボニルアミノ基が好ましい。該アルキルカルボニルアミノ基におけるアルキル基としては、メチル基、エチル基、又はｎ−プロピル基が好ましく、エチル基がより好ましい。該アリールカルボニルアシル基におけるアリール基としてはフェニル基が好ましい。
【０３９１】
置換基は、互いに結合して環を形成しても良く、該環としては、例えばベンゼン環、ナフタレン環が挙げられ、ベンゼン環であることが好ましい。
【０３９２】
置換アミノ基としてより具体的には、下記の置換基（Ａ１）を挙げることができる。
【０３９３】
【化９６】
2014152231.tif 000102
【０３９４】
（置換基（Ａ１）中、*は結合手を表す。Ｌ１は単結合、カルボニル基、スルホニル基を表す。Ｒ１は置換若しくは無置換のアルキル基、置換若しくは無置換のアリール基、置換若しくは無置換のヘテロ環基を表す。）
【０３９５】
Ｒ１は置換若しくは無置換のアルキル基、置換若しくは無置換のアリール基、置換若しくは無置換のヘテロ環基であることが好ましく、置換基を有する場合の置換基は、イオン性親水性基、アリールアミノ基、アルキルアミノ基が挙げられる。
【０３９６】
前記置換基（Ａ１）は、下記置換基（Ａ２）又は（Ａ３）であることが好ましい。
【０３９７】
【化９７】
2014152231.tif 000103
【０３９８】
（置換基（Ａ２）及び（Ａ３）中、*は結合手を表す。Ｌ２はカルボニル基、又はスルホニル基を表す。ＲＡ２は置換若しくは無置換のアルキル基、又は置換若しくは無置換のアリール基を表す。ＲＡ３は置換若しくは無置換のヘテロ環基を表す。）
【０３９９】
ＲＡ２は置換若しくは無置換のアルキル基、又は置換若しくは無置換のアリール基を表し、アルキル基であることが好ましい。置換基を有する場合の置換基は、イオン性親水性基であることが好ましい。
Ｌ２はカルボニル基であることが好ましい。
ＲＡ３は置換若しくは無置換のヘテロ環基を表し、置換基を有する場合の置換基は、アルキルアミノ基、アリールアミノ基であることが好ましく、アルキルアミノ基又はアリールアミノ基であることがより好ましく、これらは更に置換基を有していてもよくイオン性親水性基により置換されていることが好ましい。
【０４００】
前記置換基（Ａ３）は、下記置換基（Ａ４）であることが好ましい。
【０４０１】
【化９８】
2014152231.tif 000104
【０４０２】
（置換基（Ａ４）中、*は結合手を表す。ＲＡ４はそれぞれ独立に置換若しくは無置換のアルキルアミノ基、又は置換若しくは無置換のアリールアミノ基を表す。）
【０４０３】
ＲＡ４はそれぞれ独立に置換若しくは無置換のアルキルアミノ基、または置換若しくは無置換のアリールアミノ基を表し、置換基を有する場合の置換基は、イオン性親水性基であることが好ましい。
【０４０４】
前記置換基（Ａ１）〜（Ａ４）の具体例を以下に示すが、下記の例に限定されるものではない。
【０４０５】
【化９９】
2014152231.tif 000105
【０４０６】
Ｇ１は窒素原子又は−Ｃ（Ｒ６０）＝を表し、窒素原子であることが好ましい。Ｒ６０は、水素原子、スルホ基、カルボキシ基、置換若しくは無置換のカルバモイル基、又はシアノ基を表し、カルバモイル基（−ＣＯＮＨ２基）又はシアノ基であることが好ましく、シアノ基であることがより好ましい。
【０４０７】
Ｒ２、及びＲ３はそれぞれ独立に、水素原子、置換若しくは無置換のアリール基、置換若しくは無置換のアルキル基、置換若しくは無置換のアルキルアミノ基、又は置換若しくは無置換のアリールアミノ基を表し、置換若しくは無置換のアリールアミノ基であることが好ましい。置換若しくは無置換のフェニルアミノ基であることが好ましい。
【０４０８】
Ｒ２、及びＲ３が、置換基を有する場合の置換基としては、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、又は置換又は無置換のスルファモイル基であることが好ましく、イオン性親水性基、シアノ基、メタンスルホニル基、フェニルスルホニル基、ニトロ基、メトキシカルボニル基、カルバモイル基であることがより好ましく、イオン性親水性基、又はシアノ基であることがより好ましく、イオン親水性基であることが更に好ましい。
【０４０９】
Ｂ１、及びＢ２はそれぞれ独立に、窒素原子又は−Ｃ（Ｒ６１）＝を表し−Ｃ（Ｒ６１）＝であることが好ましい。Ｒ６１は、水素原子、アルキル基、スルホ基、カルボキシ基、置換若しくは無置換のカルバモイル基、又はシアノ基を表し、アルキル基又はシアノ基であることがより好ましい。
【０４１０】
Ｒ４は水素原子、置換若しくは無置換のアルキルアミノ基、又は置換若しくは無置換のアリールアミノ基を表し置換若しくは無置換のアリールアミノ基であることが好ましい。置換若しくは無置換のフェニルアミノ基であることが好ましい。
Ｒ４が、置換基を有する場合の置換基としては、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、又は置換又は無置換のスルファモイル基であることが好ましく、イオン性親水性基、シアノ基、メタンスルホニル基、フェニルスルホニル基、ニトロ基、メトキシカルボニル基、カルバモイル基であることがより好ましく、イオン性親水性基、又はシアノ基であることがより好ましく、イオン親水性基であることが更に好ましい。
【０４１１】
一般式（Ｅ−２）で表される化合物は、下記一般式（Ｅ−３）で表される化合物であることが好ましい。
一般式（Ｅ−３）：
【０４１２】
【化１００】
2014152231.tif 000106
【０４１３】
一般式（Ｅ−３）中、Ａ１は置換若しくは無置換のアリール基、又は置換若しくは無置換の含窒素５員ヘテロ環基を表す。
Ｒ１は置換又は無置換のアリール基を表す。
Ｇ１は窒素原子又は−Ｃ（Ｒ６０）＝を表す。Ｒ６０は、水素原子、スルホ基、カルボキシ基、置換若しくは無置換のカルバモイル基、又はシアノ基を表す。
Ｍはそれぞれ独立に水素原子又は一価のカウンターカチオンを表す。
【０４１４】
一般式（Ｅ−３）におけるＧ１、Ｒ１、及びＡ１は、前記一般式（Ｅ−２）におけるＧ１、Ｒ１、及びＡ１と同義であり好ましいものも同様である。
【０４１５】
以下に、一般式（Ｅ−１）で表される化合物の具体例を挙げるが、これらに限定されない。
【０４１６】
【化１０１】
2014152231.tif 000107
【０４１７】
【化１０２】
2014152231.tif 000108
【０４１８】
【化１０３】
2014152231.tif 000109
【０４１９】
【化１０４】
2014152231.tif 000110
【０４２０】
【化１０５】
2014152231.tif 000111
【０４２１】
【化１０６】
2014152231.tif 000112
【０４２２】
【化１０７】
2014152231.tif 000113
【０４２３】
【化１０８】
2014152231.tif 000114
【０４２４】
【化１０９】
2014152231.tif 000115
【０４２５】
【化１１０】
2014152231.tif 000116
【０４２６】
【化１１１】
2014152231.tif 000117
【０４２７】
一般式（Ｅ−１）〜（Ｅ−３）で表される化合物は、ジアゾ成分とカプラーとのカップリング反応によって合成することができるが、それらについては、特開２００３−３０６６２３号や特開２００５−１３９４２７号に記載がある。
【０４２８】
本発明のインクセットでは、ブラックインク組成物中、一般式（Ｅ−１）で表される染料を好ましくは、０．２〜２０質量％含有し、より好ましくは、０．５〜１５質量％含有する。
【０４２９】
ブラックインク組成物は、一般式（Ｅ−１）で表される化合物以外の成分を含有してもよい。これらの成分としては、上記イエローインク組成物において説明した染料、顔料、水溶性有機溶剤、その他の添加剤が挙げられる。
【０４３０】
＜その他のインク組成物＞
本発明のインクセットは、上記イエローインク組成物、シアンインク組成物、マゼンタインク組成物、ブラックインク組成物以外のインク組成物を含有してもよい。例えば、ライトマゼンタインク組成物、ライトシアンインク組成物、ダークイエローインク組成物、フォトシアンインク組成物、フォトマゼンタインク組成物、レッドインク組成物、グリーンインク組成物及びブルーインク組成物などが挙げられる。また、これらのインク組成物と実質的に同一の色調を有する、所謂淡インクを更に組み合わせて用いることもできる。これらのインク又は淡インクの水溶性染料は、公知の染料であっても、新規に合成された水溶性染料であっても用いることができる。
【０４３１】
＜インクジェット印刷機用カートリッジインク＞
本発明のインクセットは、インクジェット印刷機用のカートリッジインクセットとして好適に使用することができる。即ち、上記インクセットを印刷機用カートリッジ内のチャンバーに充填することにより、インクジェット印刷機により画像を形成することができる。
【０４３２】
＜記録媒体＞
上記インクセットを用いて画像を形成する際に用いる記録媒体は、インクを付与して記録を行う記録媒体であればいずれのものでも用いることができる。本発明においては、染料や顔料などの色材をインク受容層の多孔質構造を形成する微粒子に吸着させる、インクジェット用の記録媒体を用いることが好ましい。特には、支持体上のインク受容層に形成された空隙によりインクを吸収する、所謂、隙間吸収タイプのインク受容層を有する記録媒体を用いることが好ましい。隙間吸収タイプのインク受容層は、微粒子を主体として構成されるものであり、更に必要に応じて、バインダーやその他の添加剤を含有してもよい。
【０４３３】
微粒子は、具体的には、以下のものを用いることができる。シリカ、クレー、タルク、炭酸カルシウム、カオリン、アルミナ又はアルミナ水和物などの酸化アルミニウム、珪藻土、酸化チタン、ハイドロタルサイト、又は酸化亜鉛などの無機顔料。尿素ホルマリン樹脂、エチレン樹脂、スチレン樹脂などの有機顔料。これらの微粒子は、必要に応じて１種又は２種以上を用いることができる。
【０４３４】
バインダーは、水溶性高分子やラテックスなどが挙げられ、具体的には、以下のものを用いることができる。ポリビニルアルコール、澱粉、ゼラチン、又はこれらの変性体。アラビアゴム。カルボキシメチルセルロース、ヒドロキシエチルセルロース、又はヒドロキシプロピルメチルセルロースなどのセルロース誘導体。ＳＢＲラテックス、ＮＢＲラテックス、メチルメタクリレート−ブタジエン共重合体ラテックス、官能基変性重合体ラテックス、又はエチレン酢酸ビニル共重合体などのビニル系共重合体ラテックス。ポリビニルピロリドン。無水マレイン酸若しくはその共重合体、又はアクリル酸エステル共重合体など。これらのバインダーは、必要に応じて１種又は２種以上を用いることができる。
【０４３５】
その他に、必要に応じて添加剤を用いることができる。例えば、分散剤、増粘剤、ｐＨ調整剤、潤滑剤、流動性変性剤、界面活性剤、消泡剤、離型剤、蛍光増白剤、紫外線吸収剤、酸化防止剤、染料定着剤などを用いることができる。
【０４３６】
本発明のインクセットを用いて画像を形成する際には、平均粒子径が１μｍ以下である微粒子を主体として、インク受容層を形成した記録媒体を用いることが好ましい。前記微粒子の具体例は、シリカ微粒子や酸化アルミニウム微粒子などが挙げられる。シリカ微粒子として好ましいものは、コロイダルシリカに代表されるシリカ微粒子である。コロイダルシリカは市販品を用いることもできるが、特には、例えば、特許第２８０３１３４号公報、同２８８１８４７号公報に記載のコロイダルシリカを用いることが好ましい。また、酸化アルミニウム微粒子として好ましいものは、アルミナ水和物微粒子（アルミナ系顔料）を挙げることができる。
【０４３７】
記録媒体は上記したインク受容層を支持するための支持体を有することが好ましい。支持体は、インク受容層が、上記多孔質の微粒子で形成することが可能であって、かつインクジェット記録装置などの搬送機構によって搬送可能な剛度を与えるものであれば、特に制限はなく、いずれのものも用いることができる。例えば、天然セルロース繊維を主体としたパルプ原料で構成される紙支持体を用いることができる。また、ポリエステル（例えば、ポリエチレンテレフタラート）、セルローストリアセテート、ポリカーボネート、ポリ塩化ビニル、ポリプロピレン、ポリイミドなどの材料で構成されるプラスチック支持体を用いることができる。更に、基紙の少なくとも一方の面に白色顔料などを添加したポリオレフィン樹脂被覆層を有する樹脂被覆紙（例：ＲＣペーパー）を用いることができる。
【０４３８】
＜インクジェット記録方法＞
本発明は、上記インクセット又はインクジェット記録用インクセットを使用して、インクジェットプリンターにより画像記録を行うインクジェット記録方法にも関する。
本発明のインクセットはインクジェットの記録方式に制限はなく、公知の方式例えば静電誘引力を利用してインクを吐出させる電荷制御方式、ピエゾ素子の振動圧力を利用するドロップオンデマンド方式（圧力パルス方式）、電気信号を音響ビームに変えインクに照射して放射圧を利用してインクを吐出させる音響インクジェット方式、及びインクを加熱して気泡を形成し、生じた圧力を利用するサーマルインクジェット方式等に用いられる。
インクジェット記録方式には、フォトインクと称する濃度の低いインクを小さい体積で多数射出する方式、実質的に同じ色相で濃度の異なる複数のインクを用いて画質を改良する方式や無色透明のインクを用いる方式が含まれる。
【０４３９】
本発明のインクジェット記録用インクは、インクジェット記録以外の用途に使用することもできる。例えば、ディスプレイ画像用材料、室内装飾材料の画像形成材料及び屋外装飾材料の画像形成材料などに使用が可能である。
【０４４０】
ディスプレイ画像用材料としては、ポスター、壁紙、装飾小物（置物や人形など）、商業宣伝用チラシ、包装紙、ラッピング材料、紙袋、ビニール袋、パッケージ材料、看板、交通機関（自動車、バス、電車など）の側面に描画や添付した画像、ロゴ入りの洋服、等各種の物を指す。本発明の染料をディスプレイ画像の形成材料とする場合、その画像とは狭義の画像の他、抽象的なデザイン、文字、幾何学的なパターンなど、人間が認知可能な染料によるパターンをすべて含む。
【０４４１】
室内装飾材料としては、壁紙、装飾小物（置物や人形など）、照明器具の部材、家具の部材、床や天井のデザイン部材等各種の物を指す。本発明の染料を画像形成材料とする場合、その画像とは狭義の画像の他、抽象的なデザイン、文字、幾何学的なパターンなど、人間が認知可能な染料によるパターンをすべて含む。
【０４４２】
屋外装飾材料としては、壁材、ルーフィング材、看板、ガーデニング材料屋外装飾小物（置物や人形など）、屋外照明器具の部材等各種の物を指す。本発明の染料を画像形成材料とする場合、その画像とは狭義の画像ののみならず、抽象的なデザイン、文字、幾何学的なパターンなど、人間が認知可能な染料によるパターンをすべて含む。
【０４４３】
以上のような用途において、パターンが形成されるメディアとしては、紙、繊維、布（不織布も含む）、プラスチック、金属、セラミックス等種々の物を挙げることができる。染色形態としては、媒染、捺染、若しくは反応性基を導入した反応性染料の形で色素を固定化することもできる。この中で、好ましくは媒染形態で染色されることが好ましい。
【実施例】
【０４４４】
以下、実施例及び比較例を用いて本発明を更に詳細に説明するが、本発明は、その要旨を超えない限り、下記の実施例によって何ら限定されるものではない。
【０４４５】
以下、実施例に本発明の染料混合物の合成法を詳しく説明するが、本発明はこれらの実施例に何ら限定されるものではない。
【０４４６】
（合成例）
〔化合物（Ａ−１）の合成〕
以下に示す化合物Ａ−１で表される染料は、例えば下記合成ルートから誘導することができる。
【０４４７】
【化１１２】
2014152231.tif 000118
【０４４８】
（合成例Ａ−１−１）
ＤＭＦ（Ｎ，Ｎ−ジメチルホルムアミド）４５０ｍＬと１，２−ジクロロエタン２４．７５ｇ中に、室温で化合物（ａ）（２−アミノ−５−メルカプト−１，３，４−チアジアゾール（和光純薬工業（株）製／カタログ番号０１９−１１１２５））７６．５ｇを加え、炭酸カリウム７９．５ｇを添加後に７０℃まで昇温して同温度で３０分間撹拌した。引き続き、８０℃の温水３７５ｍＬを上記反応液中に１０分間かけて滴下し、内温２５℃まで冷却した。析出した結晶をろ別し、イオン交換水２５０ｍＬ、引き続きメタノール１５０ｍＬで洗浄後７０℃にて一晩乾燥して化合物（ｂ）６５．１ｇを得た。
【０４４９】
（合成例Ａ−１−２）
アミノイソフタル酸（（和光純薬工業（株）製／カタログ番号３２２−２６１７５））（Ａ）１８１．２ｇをイオン交換水１０００ｍｌに懸濁後、濃塩酸２５７ｍＬを添加し、氷浴で５℃に保った。そこへ亜硝酸ナトリウム６９．７ｇの水溶液１１６ｍｌを滴下した（反応液Ａ）。亜硫酸ナトリウム３７８．１ｇの水溶液１３００ｍｌを内温２５℃で攪拌し、そこへ上記反応液Ａを注入した。この状態で３０分攪拌した後、内温を３０℃まで加熱して、６０分攪拌した。この反応液に塩酸５００ｍＬを添加し、すぐに内温５０℃まで昇温した（反応液Ｂ）。この状態で９０分攪拌した後に、ピバロイルアセトニトリル（東京化成（株）製／カタログ番号Ｐ１１１２）１２５．２ｇとイソプロパノール１００ｍＬを上記反応液Ｂに添加後、内温を９３℃まで昇温し、２４０分間攪拌した。室温まで冷却後、析出した結晶（Ｃ）を吸引濾過し、結晶をイオン交換水１５００ｍＬ、続いてイソプロパノール１０００ｍＬで洗浄後乾燥した。単離収率２２３．５ｇ。収率７３．７％。
【０４５０】
（合成例Ａ−１−３）
メタンスルホン酸１００ｍＬ、酢酸１２０ｍＬ、プロピオン酸１８０ｍＬ中に、室温で化合物（ｂ）２９．２ｇを添加し、内温を４５℃まで昇温して均一溶液にした後に内温０℃まで冷却した。引き続き、ＮａＮＯ２１４．７ｇとイオン交換水２７ｍＬの溶液を上記均一溶液中に内温０〜１０℃を保ちながら滴下し、内温５℃で１５分間撹拌して、ジアゾニウム塩を調製した。合成例Ａ−１−２で作成したカプラー成分（結晶）（Ｃ）６０．６ｇ、メタノール６００ｍＬ、エチレングリコール６００ｍＬから予め作成した溶液に、内温０〜１０℃を保つ速度で上記ジアゾニウム塩溶液を滴下した。引き続き、内温２５℃で３０分間撹拌した。析出した結晶をろ過し、メタノール２５０ｍＬで洗浄後、粗結晶を６５０ｍＬの水に分散し、その後内温８０℃で３０分間撹拌後室温まで冷却し、ろ過、水３００ｍＬで洗浄後、６０℃で一晩乾燥して、６４．４７ｇの色素（Ｄ）を得た。
【０４５１】
（合成例Ａ−１−４）
予め調製したＫＯＨ（錠剤）１６．５ｇとイオン交換水４１４．９ｍＬの溶液中に、内温２０〜３０℃で上記合成例Ａ−１−３で作成した色素（Ｄ）４６．１ｇを添加して溶解した。
引き続き、酢酸カリウム４０．０ｇとメタノール２００ｍＬの溶液を上記色素水溶液中に内温２５℃で滴下し、引き続き同温で１０分間撹拌した。その後、ＩＰＡ（イソプロパノール）２４８８ｍＬを滴下して造塩し、同温度で３０分間撹拌後にろ過、ＩＰＡ５００ｍＬで洗浄、７０℃で一晩乾燥して、４４ｇの化合物（Ａ−１）で表される水溶性染料の粗結晶を得た。
【０４５２】
（合成例Ａ−１−５）
イオン交換水７８．３ｍＬに化合物（Ａ−１）で表される水溶性染料の粗結晶８．７ｇを室温で溶解後、０．１Ｎ塩酸を用いて水溶液のｐＨ値を８．５に調整し、０．２μｍのメンブランフィルターでろ過後、ろ液中にＩＰＡ３９１．５ｍＬを内温２５℃で滴下した。析出した結晶をろ過、ＩＰＡ１００ｍＬで洗浄後、８０℃で一晩乾燥して、７．８ｇの化合物（Ａ−１）で表される水溶性染料の精結晶を得た。｛λｍａｘ：４２８ｎｍ（Ｈ２Ｏ）、εｍａｘ：４．２０×１０４｝
【０４５３】
【化１１３】
2014152231.tif 000119
【０４５４】
＜インク組成物の調製＞
下記インク処方Ａ及びＢのインクセットを作成した。各インク組成物は、下記組成に基づき、各成分を常温において３０分間攪拌した後、得られた溶液を目開き１．０μｍのメンブランフィルターを用いて濾過することにより各インク組成物を調製した。
【０４５５】
［インク処方Ａ］
〔ライトシアンインク＝ＬＣ−１０１処方〕
（固形分）
シアン染料（下記表６〜９に記載のシアン染料）              ２０ｇ／ｌ
尿素（ＵＲ）                                              １５ｇ／ｌ
ベンゾトリアゾール（ＢＴＺ）                          ０．０８ｇ／ｌ
ＰＲＯＸＥＬ  ＸＬ２（ＰＸＬ）                          ３．５ｇ／ｌ
（液体成分）
トリエチレングリコール（ＴＥＧ）                        １１０ｇ／ｌ
グリセリン（ＧＲ）                                      １３０ｇ／ｌ
トリエチレングリコールモノブチルエーテル（ＴＧＢ）      １１０ｇ／ｌ
２−ピロリドン（ＰＲＤ）                                  ６０ｇ／ｌ
トリエタノールアミン（ＴＥＡ）                              ７ｇ／ｌ
サーフィノールＳＴＧ（ＳＷ）                              １０ｇ／ｌ
【０４５６】
〔シアンインク＝Ｃ−１０１処方〕
（固形分）
シアン染料（下記表６〜９に記載のシアン染料）              ６０ｇ／ｌ
尿素（ＵＲ）                                              ３０ｇ／ｌ
ベンゾトリアゾール（ＢＴＺ）                          ０．０８ｇ／ｌ
ＰＲＯＸＥＬ  ＸＬ２（ＰＸＬ）                          ３．５ｇ／ｌ
（液体成分）
トリエチレングリコール（ＴＥＧ）                        １１０ｇ／ｌ
グリセリン（ＧＲ）                                      １３０ｇ／ｌ
トリエチレングリコールモノブチルエーテル（ＴＧＢ）      １３０ｇ／ｌ
２−ピロリドン（ＰＲＤ）                                  ６０ｇ／ｌ
トリエタノールアミン（ＴＥＡ）                              ７ｇ／ｌ
サーフィノールＳＴＧ（ＳＷ）                              １０ｇ／ｌ
【０４５７】
〔ライトマゼンタインク＝ＬＭ−１０１処方〕
（固形分）
マゼンタ色素（下記表６〜９に記載のマゼンタ染料）        ７．５ｇ／ｌ
尿素（ＵＲ）                                              １０ｇ／ｌ
ＰＲＯＸＥＬ  ＸＬ２（ＰＸＬ）                              ５ｇ／ｌ
（液体成分）
ジエチレングリコール（ＤＥＧ）                            ９０ｇ／ｌ
グリセリン（ＧＲ）                                        ７０ｇ／ｌ
トリエチレングリコールモノブチルエーテル（ＴＧＢ）        ７０ｇ／ｌ
トリエタノールアミン（ＴＥＡ）                          ６．９ｇ／ｌ
サーフィノールＳＴＧ（ＳＷ）                              １０ｇ／ｌ
【０４５８】
〔マゼンタインク＝Ｍ−１０１処方〕
（固形分）
マゼンタ色素（下記表６〜９に記載のマゼンタ染料）          ２３ｇ／ｌ
尿素（ＵＲ）                                              １５ｇ／ｌ
ＰＲＯＸＥＬ  ＸＬ２（ＰＸＬ）                              ５ｇ／ｌ
（液体成分）
ジエチレングリコール                                      ９０ｇ／ｌ
グリセリン                                                ７０ｇ／ｌ
トリエチレングリコールモノブチルエーテル                  ７０ｇ／ｌ
トリエタノールアミン                                    ６．９ｇ／ｌ
サーフィノールＳＴＧ                                      １０ｇ／ｌ
【０４５９】
〔イエローインク＝Ｙ−１０１処方〕
（固形分）
イエロー染料（下記表６〜９に記載のイエロー染料）          ３５ｇ／ｌ
ＰＲＯＸＥＬ  ＸＬ２（ＰＸＬ）                          ３．５ｇ／ｌ
ベンゾトリアゾール（ＢＴＺ）                          ０．０８ｇ／ｌ
尿素                                                      １０ｇ／ｌ
（液体成分）
トリエチレングリコールモノブチルエーテル（ＴＧＢ）      １３０ｇ／ｌ
グリセリン（ＧＲ）                                      １１５ｇ／ｌ
ジエチレングリコール（ＤＥＧ）                          １２０ｇ／ｌ
２−ピロリドン                                            ３５ｇ／ｌ
トリエタノールアミン（ＴＥＡ）                              ８ｇ／ｌ
サーフィノールＳＴＧ（ＳＷ）                              １０ｇ／ｌ
【０４６０】
〔ダークイエローインク＝ＤＹ−１０１処方〕
（固形分）
イエロー染料（下記表６〜９に記載のイエロー染料）          ３５ｇ／ｌ
マゼンタ染料（下記表６〜９に記載のマゼンタ染料）            ２ｇ／ｌ
シアン染料（下記表６〜９に記載のシアン染料）                ２ｇ／ｌ
ＰＲＯＸＥＬ  ＸＬ２（ＰＸＬ）                              ５ｇ／ｌ
ベンゾトリアゾール（ＢＴＺ）                          ０．０８ｇ／ｌ
尿素                                                      １０ｇ／ｌ
（液体成分）
トリエチレングリコールモノブチルエーテル（ＴＧＢ）      １４０ｇ／ｌ
グリセリン（ＧＲ）                                      １２５ｇ／ｌ
ジエチレングリコール（ＤＥＧ）                          １２０ｇ／ｌ
２−ピロリドン                                            ３５ｇ／ｌ
トリエタノールアミン（ＴＥＡ）                              ８ｇ／ｌ
サーフィノールＳＴＧ（ＳＷ）                              １０ｇ／ｌ
【０４６１】
〔ブラックインク＝Ｂｋ−１０１処方〕
（固形分）
ブラック染料（下記表６〜９に記載のブラック染料）        １０５ｇ／ｌ
ＰＲＯＸＥＬ  ＸＬ２（ＰＸＬ）                              ５ｇ／ｌ
尿素                                                      １０ｇ／ｌ
ベンゾトリアゾール                                          ３ｇ／ｌ
（液体成分）
ジエチレングリコールモノブチルエーテル（ＤＧＢ）        １２０ｇ／ｌ
グリセリン（ＧＲ）                                      １２５ｇ／ｌ
ジエチレングリコール（ＤＥＧ）                          １００ｇ／ｌ
２−ピロリドン                                            ３５ｇ／ｌ
トリエタノールアミン（ＴＥＡ）                              ８ｇ／ｌ
サーフィノールＳＴＧ（ＳＷ）                              １０ｇ／ｌ
【０４６２】
［インク処方Ｂ］
〔フォトシアンインク液＝ＬＣ−２０１処方〕
（固形分）
シアン染料（下記表６〜９に記載のシアン染料）              １０ｇ／ｌ
尿素（ＵＲ）                                              １５ｇ／ｌ
ベンゾトリアゾール（ＢＴＺ）                          ０．０８ｇ／ｌ
ＰＲＯＸＥＬ  ＸＬ２（ＰＸＬ）                          ３．５ｇ／ｌ
（液体成分）
トリエチレングリコール（ＴＥＧ）                          ５０ｇ／ｌ
グリセリン（ＧＲ）                                      １００ｇ／ｌ
トリエチレングリコールモノブチルエーテル（ＴＧＢ）        ６０ｇ／ｌ
１，５−ペンタンジオール（ＰＴＤ）                        ４０ｇ／ｌ
イソプロパノール（ＩＰＡ）                                ２０ｇ／ｌ
トリエタノールアミン（ＴＥＡ）                              ７ｇ／ｌ
サーフィノールＳＴＧ（ＳＷ）                              １０ｇ／ｌ
【０４６３】
〔シアンインク＝Ｃ−２０１処方〕
（固形分）
シアン染料（下記表６〜９に記載のシアン染料）              ３０ｇ／ｌ
尿素（ＵＲ）                                              ４０ｇ／ｌ
ベンゾトリアゾール（ＢＴＺ）                          ０．０８ｇ／ｌ
ＰＲＯＸＥＬ  ＸＬ２（ＰＸＬ）                          ３．５ｇ／ｌ
（液体成分）
トリエチレングリコール（ＴＥＧ）                          ４０ｇ／ｌ
グリセリン（ＧＲ）                                      １００ｇ／ｌ
トリエチレングリコールモノブチルエーテル（ＴＧＢ）        ７０ｇ／ｌ
１，５−ペンタンジオール（ＰＴＤ）                        ５０ｇ／ｌ
イソプロパノール（ＩＰＡ）                                ２０ｇ／ｌ
トリエタノールアミン（ＴＥＡ）                              ７ｇ／ｌ
サーフィノールＳＴＧ（ＳＷ）                              １０ｇ／ｌ
【０４６４】
〔フォトマゼンタインク＝ＬＭ−２０１処方〕
（固形分）
マゼンタ色素（下記表６〜９に記載のマゼンタ染料）        ７．５ｇ／ｌ
尿素（ＵＲ）                                              １０ｇ／ｌ
ＰＲＯＸＥＬ  ＸＬ２（ＰＸＬ）                              ５ｇ／ｌ
（液体成分）
トリエチレングリコール（ＴＥＧ）                          ４０ｇ／ｌ
グリセリン（ＧＲ）                                      １００ｇ／ｌ
トリエチレングリコールモノブチルエーテル（ＴＧＢ）        ６０ｇ／ｌ
１，５−ペンタンジオール（ＰＴＤ）                        ４０ｇ／ｌ
イソプロパノール（ＩＰＡ）                                ２０ｇ／ｌ
トリエタノールアミン（ＴＥＡ）                          ６．９ｇ／ｌ
サーフィノールＳＴＧ（ＳＷ）                              １０ｇ／ｌ
【０４６５】
〔マゼンタインク＝Ｍ−２０１処方〕
（固形分）
マゼンタ色素（下記表６〜９に記載のマゼンタ染料）          ２３ｇ／ｌ
尿素（ＵＲ）                                              １５ｇ／ｌ
ＰＲＯＸＥＬ  ＸＬ２（ＰＸＬ）                              ５ｇ／ｌ
（液体成分）
トリエチレングリコール（ＴＥＧ）                          ５０ｇ／ｌ
グリセリン（ＧＲ）                                      １００ｇ／ｌ
トリエチレングリコールモノブチルエーテル（ＴＧＢ）        ５０ｇ／ｌ
１，５−ペンタンジオール（ＰＴＤ）                        ４０ｇ／ｌ
イソプロパノール（ＩＰＡ）                                ２０ｇ／ｌ
トリエタノールアミン                                    ６．９ｇ／ｌ
サーフィノールＳＴＧ                                      １０ｇ／ｌ
【０４６６】
〔イエローインク＝Ｙ−２０１処方〕
（固形分）
イエロー染料（下記表６〜９に記載のイエロー染料）          ３５ｇ／ｌ
ＰＲＯＸＥＬ  ＸＬ２（ＰＸＬ）                          ３．５ｇ／ｌ
ベンゾトリアゾール（ＢＴＺ）                          ０．０８ｇ／ｌ
尿素                                                      １０ｇ／ｌ
（液体成分）
トリエチレングリコール（ＴＥＧ）                          ４０ｇ／ｌ
グリセリン（ＧＲ）                                      １００ｇ／ｌ
トリエチレングリコールモノブチルエーテル（ＴＧＢ）        ７０ｇ／ｌ
１，５−ペンタンジオール（ＰＴＤ）                        ６０ｇ／ｌ
イソプロパノール（ＩＰＡ）                                ２０ｇ／ｌ
トリエタノールアミン（ＴＥＡ）                              ８ｇ／ｌ
サーフィノールＳＴＧ（ＳＷ）                              １０ｇ／ｌ
【０４６７】
〔ブラックインク＝Ｂｋ−２０１処方〕
（固形分）
ブラック染料（下記表６〜９に記載のブラック染料）        １０５ｇ／ｌ
ＰＲＯＸＥＬ  ＸＬ２（ＰＸＬ）                              ５ｇ／ｌ
尿素                                                      １０ｇ／ｌ
ベンゾトリアゾール                                          ３ｇ／ｌ
（液体成分）
トリエチレングリコール（ＴＥＧ）                          ６０ｇ／ｌ
グリセリン（ＧＲ）                                      １００ｇ／ｌ
トリエチレングリコールモノブチルエーテル（ＴＧＢ）        ７０ｇ／ｌ
１，５−ペンタンジオール（ＰＴＤ）                        ５０ｇ／ｌ
イソプロパノール（ＩＰＡ）                                ２０ｇ／ｌ
トリエタノールアミン（ＴＥＡ）                              ８ｇ／ｌ
サーフィノールＳＴＧ（ＳＷ）                              １０ｇ／ｌ
【０４６８】
下記表６〜９に記載のシアン染料Ｎｏ．１５４及び１９１は、前記一般式（Ｃ）中のＹｑとＹｑ’が全て水素原子である化合物である。
【０４６９】
これらのインクをＥＰＳＯＮ社製インクジェットプリンターＰＭ−９８０Ｃ（実施例Ａ）またはＰＩＸＵＳ９５０ｉ（実施例Ｂ）のインクカートリッジに装填し、Ｃ、Ｍ、Ｙ、Ｂ、Ｇ、Ｒ６色とグレーに関して、階段状に濃度が変化した画像パターンを印字させた。
比較例のインクセットとして、キヤノン株式会社製のＢＣＩ−３２１、ＢＣＩ−３５１、セイコーエプソン株式会社製のＩＣ−５０、ＩＣ−７０を用いた。
ここで使用した受像シートは、富士フイルム（株）製インクジェットペーパーフォト光沢紙「画彩」を用いた。
【０４７０】
これらのサンプルを使用して、画像保存性の評価を行った。なお、評価には、イエロー、マゼンタ、シアン、ブラックの４色のインク組成物を用いた。
光堅牢性（ＬＦ）は印字直後の画像濃度Ｃｉ（ＯＤ＿ＲＥＤ）を反射濃度計（Ｘ−Ｒｉｔｅ３１０ＴＲ）にて測定した後、アトラス社製ウェザーメーターを用い画像にキセノン光（８万５千ルックス）を２１日照射した後、再び画像濃度Ｃｆ（ＯＤ＿ＲＥＤ）を測定し染料残存率｛（Ｃｆ（ＯＤ＿ＲＥＤ）／Ｃｉ（ＯＤ＿ＲＥＤ））×１００｝を求め評価を行った。ＯＤ＿ＧＲＥＥＮ、ＯＤ＿ＢＬＵＥについても同様に評価した。
耐オゾン性（ＯＦ）については、前記画像を形成したフォト光沢紙を、オゾンガス濃度が５ｐｐｍに設定されたボックス内に７日間放置し、オゾンガス下放置前後の画像濃度を反射濃度計（Ｘ−Ｒｉｔｅ３１０ＴＲ）を用いて測定し、上記と同様に染料残存率として評価した。ボックス内のオゾンガス濃度は、ＡＰＰＬＩＣＳ製オゾンガスモニター（モデル：ＯＺＧ−ＥＭ−０１）を用いて設定した。
耐湿性（ＨＦ）は温度３０℃、湿度９０％の恒温槽で７日間放置した前後での反射濃度の残存率（％）から上記と同様に算出した。
ＬＦ、ＯＦ、ＨＦは、ＯＤ＿ＲＥＤ、ＯＤ＿ＧＲＥＥＮ、ＯＤ＿ＢＬＵＥのそれぞれの差が、０〜１５％であることが好ましく、０〜１０％であることがより好ましく、０〜５％であることが更に好ましい。
【０４７１】
【表６】
2014152231.tif 000120
【０４７２】
【表７】
2014152231.tif 000121
【０４７３】
【表８】
2014152231.tif 000122
【０４７４】
【表９】
2014152231.tif 000123